(57)【要約】  ＣＱＩ情報受信方法、送信方法、受信装置、及び送信装置。ＣＱＩ情報受信方法は、高レベル構成シグナリングを端末に送信するステップと、ＣＱＩ情報を端末から受信するステップとを含み、ＣＱＩ情報はＣＱＩ表に従って判定され、ＣＱＩ表は高レベル構成シグナリングに従って取得される。技術的解決策により、拡張ＭＴＣ端末又は５Ｇ端末をカバーするための要件を満たすより高いデータ送信信頼性及びより低いデータ送信速度の効果が達成される。【選択図】図1
2018531545.tif 000002
【特許請求の範囲】
【請求項１】
チャネル品質表示（ＣＱＩ）情報の受信方法であって、
上位層構成シグナリングメッセージを端末に送信するステップと、
ＣＱＩ情報を前記端末から受信し、前記ＣＱＩ情報を前記上位層構成シグナリングメッセージに基づいて取得されるＣＱＩ表に基づいて判定するステップと
を含む方法。
【請求項２】
前記上位層構成シグナリングメッセージが有効範囲レベルシグナリング、チャネル状態情報（ＣＳＩ）参照リソースに占有されるサブフレーム数、ダウンリンク制御チャネル向けの反復数、ダウンリンクデータ共有チャネル向けの反復数、物理ランダムアクセスチャネル（ＰＲＡＣＨ）向けの反復数、ＣＱＩ表選択シグナリング、端末カテゴリー、シナリオ表示シグナリング、周波数帯域表示シグナリング、又はチャネル符号化種別表示情報のうちの少なくとも一つの情報を含み、
前記有効範囲レベルシグナリングが、通常の有効範囲若しくは拡張有効範囲、通常の有効範囲、中程度の有効範囲若しくは深い有効範囲、又は通常の有効範囲、低い拡張有効範囲、中程度の拡張有効範囲若しくは高い拡張有効範囲のうちの一つを含む有効範囲レベルを意味し、
前記シナリオ表示シグナリングが、拡張モバイルブロードバンド（ｅＭＢＢ）シナリオ、超高信頼低遅延通信（ＵＲＬＬＣ）シナリオ又は大容量マシン型通信（ｍＭＴＣ）シナリオを意味し、
前記周波数帯域表示シグナリングが様々な範囲の搬送波周波数を意味し、
前記チャネル符号化種別表示情報が低密度パリティ検査（ＬＤＰＣ）符号、ターボ符号、畳み込み符号又は極性符号のうちのいずれか二つを含む様々なチャネル符号化種別を意味する請求項１に記載の方法。
【請求項３】
前記ＣＱＩ表が第１のＣＱＩ表及び第２のＣＱＩ表を含み、前記第２のＣＱＩ表が以下の特徴、即ち、
前記第２のＣＱＩ表が２ｘの値を有し、前記第２のＣＱＩ表における各ＣＱＩがｘビットで表わされ、変調スキームと符号レートのＬ１通りの組み合わせが、前記第１のＣＱＩ表における変調スキームと符号レートのＬ２通りの組み合わせを除き、前記第２のＣＱＩ表における変調スキームと符号レートの最後のＬ１通りの組み合わせとして使用され、前記第２のＣＱＩ表における変調スキームと符号レートの最初のＬ２通りの組み合わせが、直角位相シフトキーイング（ＱＰＳＫ）と符号レートｒの組み合わせである（ただしＬ１とＬ２はそれぞれ０以上の整数であり、ｒは７８／１０２４より小さい実数であり、Ｌ１＋Ｌ２≦１５、且つｘ≦４である）こと、
前記第２のＣＱＩ表が２ｘの値を有し、前記第２のＣＱＩ表における各ＣＱＩがｘビットで表わされ、変調スキームと符号レートのＬ１通りの組み合わせが、前記第１のＣＱＩ表における変調スキームと符号レートのＬ２通りの組み合わせを除き、前記第２のＣＱＩ表における変調スキームと符号レートの最後のＬ１通りの組み合わせとして使用され、前記第２のＣＱＩ表における変調スキームと符号レートの最初のＬ２通りの組み合わせが、二位相シフトキーイング（ＢＰＳＫ）と符号レートｒの組み合わせである（ただしＬ１とＬ２はそれぞれ０以上の整数であり、ｒは１５６／１０２４より小さい実数であり、Ｌ１＋Ｌ２≦１５、且つｘ≦４である）こと、
前記第２のＣＱＩ表が２ｘの値を有し、前記第２のＣＱＩ表における各ＣＱＩがｘビットで表わされ、変調スキームと符号レートのＬ１通りの組み合わせが、前記第１のＣＱＩ表における変調スキームと符号レートのＬ２通りの組み合わせを除き、前記第２のＣＱＩ表における変調スキームと符号レートの最後のＬ１通りの組み合わせとして使用され、前記第２のＣＱＩ表における変調スキームと符号レートの最初のＬ２通りの組み合わせが、ＢＰＳＫと符号レートｒのＬ２１通りの組み合わせ及びＱＰＳＫと符号レートｒのＬ２２通りの組み合わせを含む（ただしＬ１とＬ２はそれぞれ０以上の整数であり、Ｌ２＝Ｌ２１＋Ｌ２２であり、ｒは１５６／１０２４より小さい実数であり、Ｌ１＋Ｌ２≦１５、且つｘ≦４である）こと、
前記第２のＣＱＩ表が２ｘの値を有し、前記第２のＣＱＩ表における各ＣＱＩがｘビットで表わされ、前記第１のＣＱＩ表が変調スキームと符号レートの合計Ｌ１通りの組み合わせを含み、変調スキームと符号レートの前記Ｌ１通りの組み合わせが前記第２のＣＱＩ表における変調スキームと符号レートの最初又は最後のＬ１通りの組み合わせとして使用され、前記第２のＣＱＩ表における変調スキームと符号レートの残りのＬ２通りの組み合わせがＢＰＳＫと符号レートｒのＬ２１通りのタイプ１の組み合わせ及びＱＰＳＫと符号レートｒのＬ２２通りのタイプ２の組み合わせを含む（ただしＬ１とＬ２はそれぞれ０より大きい整数であり、Ｌ２１とＬ２２はそれぞれ０以上の整数であり、Ｌ２＝Ｌ２１＋Ｌ２２であり、ｒは１５６／１０２４より小さい実数であり、Ｌ１＋Ｌ２≦１５、且つｘ≦４である）こと、
前記第１のＣＱＩ表が変調スキームと符号レートの合計Ｌ１通りの組み合わせを含み、前記第２のＣＱＩ表が変調スキームと符号レートの合計Ｌ２通りの組み合わせを含み、前記Ｌ２通りの組み合わせが前記Ｌ１通りの組み合わせのサブセットである（ただし８≦Ｌ１≦１５、Ｌ２≦７であり、Ｌ１とＬ２はそれぞれ０より大きい整数であり、前記第１のＣＱＩ表における最も高次の変調スキームは６４直角位相振幅変調（ＱＡＭ）であり、前記第２のＣＱＩ表における最も高次の変調スキームは１６ＱＡＭである）こと、又は
前記第１のＣＱＩ表及び前記第２のＣＱＩ表が変調スキームと符号レートの合計Ｌ１＝７通りの組み合わせを含み、前記第１のＣＱＩ表における変調スキームがＱＰＳＫと１６ＱＡＭを含み、前記第２のＣＱＩ表における変調スキームがＱＰＳＫ及び／又はＢＰＳＫを含み、前記第２のＣＱＩ表が前記第１のＣＱＩ表における第１、第３、第５及び第７の組み合わせのうちの少なくとも二つ、若しくは前記第１のＣＱＩ表における第２、第４、第６の組み合わせのうちの少なくとも二つを含むこと
のうちの少なくとも一つを含み、
前記第１のＣＱＩ表が、最大６４の変調次数を有するＣＱＩ表、最大１６の変調次数を有するＣＱＩ表、又はロングタームエボリューション（ＬＴＥ）リリース８における４ビットＣＱＩ表のうちの少なくとも一つを含む請求項２に記載の方法。
【請求項４】
前記第２のＣＱＩ表が以下の特徴、即ち、
ｒの最小値が１／１０２４未満であること、
ｒの前記最小値が１／２０４８、１／４０９６又は１／３０７２に等しいこと、
ＱＰＳＫとｒ＝４４９／１０２４の組み合わせが除外されること、
前記第２のＣＱＩ表が、ＱＰＳＫとｒ＝４４９／１０２４の組み合わせを除く、前記第１のＣＱＩ表におけるＱＰＳＫと符号レートの組み合わせを全て含むこと、
前記第２のＣＱＩ表が前記第１のＣＱＩ表における１６ＱＡＭと符号レートの組み合わせを一つ含むこと、
前記第２のＣＱＩ表が１６ＱＡＭと符号レート４９０／１０２４の組み合わせ及び１６ＱＡＭと符号レート６１６／１０２４の組み合わせのうちの一つを含むこと、
前記第２のＣＱＩ表において隣接する組み合わせの全てのペアにおけるスペクトル効率比のうち、最後の組み合わせと最後から２番目の組み合わせのペアにおけるスペクトル効率比が最も高いこと、
前記第２のＣＱＩ表において隣接する組み合わせの全てのペアにおけるスペクトル効率比のうち、第２の組み合わせと第１の組み合わせのペアにおけるスペクトル効率比が最も高いこと、
前記第２のＣＱＩ表において隣接する組み合わせの全てのペアにおけるスペクトル効率比のうち、最後の組み合わせと最後から２番目の組み合わせのペアにおけるスペクトル効率比及び第２の組み合わせと第１の組み合わせのペアにおけるスペクトル効率比が、他の組み合わせのペアにおけるスペクトル効率比より高いこと、
前記第２のＣＱＩ表において隣接する組み合わせの全てのペアにおけるスペクトル効率比のうち、最後の組み合わせと最後から２番目の組み合わせのペアにおけるスペクトル効率比及び最後から３番目の組み合わせと最後から２番目の組み合わせのペアにおけるスペクトル効率比が、他の組み合わせのペアにおけるスペクトル効率比より高いこと、
前記第２のＣＱＩ表において隣接する組み合わせの全てのペアにおけるスペクトル効率比のうち、第２の組み合わせと第１の組み合わせのペアにおけるスペクトル効率比及び第３の組み合わせと第２の組み合わせのペアにおけるスペクトル効率比が、他の組み合わせのペアにおけるスペクトル効率比より高いこと、
最新のＣＱＩが前記第１のＣＱＩ表を基本とし、該ＣＱＩが範囲外状態を意味する値を有する場合に、現在のＣＱＩが前記第２のＣＱＩ表に基づく別のＣＱＩのフィードバックをトリガーすること、
前記ＣＱＩ表がさらに、より低いスペクトル効率を有する変調スキームと符号レートの組み合わせから成る第３のＣＱＩ表をも含み、最新のＣＱＩが前記第２のＣＱＩ表を基本とし、該ＣＱＩが範囲外状態を意味する値を有する場合に、現在のＣＱＩが前記第３のＣＱＩ表に基づく別のＣＱＩのフィードバックをトリガーすること、
前記第２のＣＱＩ表が二通りの範囲外状態、即ち最も低いスペクトル効率に対応する変調スキームと符号レートの組み合わせよりも低い状態、及び最も高いスペクトル効率に対応する変調スキームと符号レートの組み合わせよりも高い状態を含むこと、
前記第２のＣＱＩ表における変調スキームと符号レートのＮ１通りの連続的組み合わせからの隣接する組み合わせのどのペアのスペクトル効率比も、前記第１のＣＱＩ表における変調スキームと符号レートのＮ２通りの連続的組み合わせからの隣接する組み合わせのあらゆるペアのスペクトル効率比よりも高い（ただしＮ１及びＮ２はそれぞれ２以上の整数である）こと、又は
前記第２のＣＱＩ表の中間における変調スキームと符号レートのＮ３通りの連続的組み合わせからの隣接する組み合わせの各ペアのスペクトル効率比が、前記第２のＣＱＩ表における最初のＮ４通りの連続的組み合わせ及び最後のＮ５通りの連続的組み合わせからの隣接する組み合わせのあらゆるペアのスペクトル効率比よりも低い（ただしＮ３、Ｎ４及びＮ５はそれぞれ２以上の整数である）ことのうちの少なくとも一つを含む請求項３に記載の方法。
【請求項５】
前記ＣＱＩ表が第１のＣＱＩ表、第４のＣＱＩ表及び第５のＣＱＩ表を含み、前記第４のＣＱＩ表及び前記第５のＣＱＩ表が以下の組み合わせ、即ち、
前記第４のＣＱＩ表が２ｘの値を有し、前記第４のＣＱＩ表における各ＣＱＩがｘビットで表わされ、変調スキームと符号レートのＬ１通りの組み合わせが、前記第１のＣＱＩ表における変調スキームと符号レートのＬ２通りの組み合わせを除き、前記第４のＣＱＩ表における変調スキームと符号レートの最後のＬ１通りの組み合わせとして使用され、前記第４のＣＱＩ表における変調スキームと符号レートの最初のＬ２通りの組み合わせがＱＰＳＫと符号レートｒの組み合わせであり（ただしＬ１とＬ２はそれぞれ１より大きい正の整数であり、ｒは７８／１０２４より小さい実数であり、Ｌ１＋Ｌ２≦１５、且つｘ≦４である）、前記第５のＣＱＩ表が２ｙの値を有し、前記第５のＣＱＩ表における各ＣＱＩがｙビットで表わされ、変調スキームと符号レートのＬ３通りの組み合わせが、前記第４のＣＱＩ表における変調スキームと符号レートのＬ４通りの組み合わせを除き、前記第５のＣＱＩ表における変調スキームと符号レートの最後のＬ３通りの組み合わせとして使用され、前記第５のＣＱＩ表における変調スキームと符号レートの最初のＬ４通りの組み合わせがＱＰＳＫと符号レートｒの組み合わせである（ただしＬ３とＬ４はそれぞれ１より大きい正の整数であり、ｒは７８／１０２４より小さい実数であり、Ｌ３＋Ｌ４≦１５、且つｙ≦４である）こと、
前記第４のＣＱＩ表が２ｘの値を有し、前記第４のＣＱＩ表における各ＣＱＩがｘビットで表わされ、変調スキームと符号レートのＬ１通りの組み合わせが、前記第１のＣＱＩ表における変調スキームと符号レートのＬ２通りの組み合わせを除き、前記第４のＣＱＩ表における変調スキームと符号レートの最後のＬ１通りの組み合わせとして使用され、前記第４のＣＱＩ表における変調スキームと符号レートの最初のＬ２通りの組み合わせがＢＰＳＫと符号レートｒの組み合わせであり（ただしＬ１とＬ２はそれぞれ１より大きい正の整数であり、ｒは１５６／１０２４より小さい実数であり、Ｌ１＋Ｌ２≦１５、且つｘ≦４である）、前記第５のＣＱＩ表が２ｙの値を有し、前記第５のＣＱＩ表における各ＣＱＩがｙビットで表わされ、変調スキームと符号レートのＬ３通りの組み合わせが、前記第４のＣＱＩ表における変調スキームと符号レートのＬ４通りの組み合わせを除き、前記第５のＣＱＩ表における変調スキームと符号レートの最後のＬ３通りの組み合わせとして使用され、前記第５のＣＱＩ表における変調スキームと符号レートの最初のＬ４通りの組み合わせがＢＰＳＫと符号レートｒの組み合わせである（ただしＬ３とＬ４はそれぞれ１より大きい正の整数であり、ｒは１５６／１０２４より小さい実数であり、Ｌ３＋Ｌ４≦１５、且つｙ≦４である）こと、
前記第４のＣＱＩ表が２ｘの値を有し、前記第４のＣＱＩ表における各ＣＱＩがｘビットで表わされ、変調スキームと符号レートのＬ１通りの組み合わせが、前記第１のＣＱＩ表における変調スキームと符号レートのＬ２通りの組み合わせを除き、前記第４のＣＱＩ表における変調スキームと符号レートの最後のＬ１通りの組み合わせとして使用され、前記第４のＣＱＩ表における変調スキームと符号レートの最初のＬ２通りの組み合わせがＢＰＳＫと符号レートｒのＬ２１通りの組み合わせ及びＱＰＳＫと符号レートｒのＬ２２通りの組み合わせを含み（ただしＬ１とＬ２はそれぞれ１より大きい正の整数であり、Ｌ２＝Ｌ２１＋Ｌ２２であり、ｒは１５６／１０２４より小さい実数であり、Ｌ１＋Ｌ２≦１５、且つｘ≦４である）、前記第５のＣＱＩ表が２ｙの値を有し、前記第５のＣＱＩ表における各ＣＱＩがｙビットで表わされ、変調スキームと符号レートのＬ３通りの組み合わせが、前記第４のＣＱＩ表における変調スキームと符号レートのＬ４通りの組み合わせを除き、前記第５のＣＱＩ表における変調スキームと符号レートの最後のＬ３通りの組み合わせとして使用され、前記第５のＣＱＩ表における変調スキームと符号レートの最初のＬ４通りの組み合わせがＢＰＳＫと符号レートｒのＬ４１通りの組み合わせ及びＱＰＳＫと符号レートｒのＬ４２通りの組み合わせを含む（ただしＬ３とＬ４はそれぞれ１より大きい正の整数であり、Ｌ２＝Ｌ４１＋Ｌ４２であり、ｒは１５６／１０２４より小さい実数であり、Ｌ３＋Ｌ４≦１５、且つｙ≦４である）こと、又は
前記第１のＣＱＩ表が変調スキームと符号レートのＬ１通りの組み合わせを含み、前記第４のＣＱＩ表が変調スキームと符号レートのＬ２通りの組み合わせを含み、前記第５のＣＱＩ表が変調スキームと符号レートのＬ２通りの組み合わせを含み（ただしＬ１とＬ２はそれぞれ７以上の整数であり、Ｌ２＜Ｌ１／２である）、前記第４のＣＱＩ表における変調スキームと符号レートの全ての組み合わせ及び前記第５のＣＱＩ表における変調スキームと符号レートの全ての組み合わせがそれぞれ、前記第１のＣＱＩ表における変調スキームと符号レートの全ての組み合わせのサブセットであること
のうちの一つを含み、
前記第１のＣＱＩ表が、最大６４の変調次数を有するＣＱＩ表、最大１６の変調次数を有するＣＱＩ表、又はロングタームエボリューション（ＬＴＥ）リリース８における４ビットＣＱＩ表のうちの少なくとも一つを含む請求項２に記載の方法。
【請求項６】
前記第４のＣＱＩ表及び前記第５のＣＱＩ表が以下の特徴、即ち、
前記第５のＣＱＩ表における符号レートの最小値が前記第４のＣＱＩ表における符号レートの最小値より小さいこと、
前記第５のＣＱＩ表における符号レートの前記最小値が１／１０２４以下であること、
前記第４のＣＱＩ表における符号レートの前記最小値が１／１０２４以下であること、
前記第４のＣＱＩ表がＱＰＳＫとｒ＝４４９／１０２４の組み合わせを含むこと、
前記第４のＣＱＩ表が前記第１のＣＱＩ表におけるＱＰＳＫと符号レートの組み合わせを全て含むこと、
前記第５のＣＱＩ表が前記第１のＣＱＩ表におけるＱＰＳＫと符号レートの組み合わせを全く含まないこと、
前記第５のＣＱＩ表が、前記第４のＣＱＩ表に含まれるが前記第１のＣＱＩ表に含まれないＱＰＳＫと符号レートの組み合わせを全て含むこと、
前記第４のＣＱＩ表が前記第１のＣＱＩ表における１６ＱＡＭと符号レートの少なくとも一つの組み合わせを含むこと、
前記第４のＣＱＩ表において隣接する組み合わせの全てのペアにおけるスペクトル効率比のうち、最後の組み合わせと最後から２番目の組み合わせのペアにおけるスペクトル効率比が最も高いこと、
前記第４のＣＱＩ表において隣接する組み合わせの全てのペアにおけるスペクトル効率比のうち、第２の組み合わせと第１の組み合わせのペアにおけるスペクトル効率比が最も高いこと、
前記第４のＣＱＩ表において隣接する組み合わせの全てのペアにおけるスペクトル効率比のうち、最後の組み合わせと最後から２番目の組み合わせのペアにおけるスペクトル効率比及び第２の組み合わせと第１の組み合わせのペアにおけるスペクトル効率比が、他の組み合わせのペアにおけるスペクトル効率比より高いこと、
前記第４のＣＱＩ表において隣接する組み合わせの全てのペアにおけるスペクトル効率比のうち、最後の組み合わせと最後から２番目の組み合わせのペアにおけるスペクトル効率比及び最後から３番目の組み合わせと最後から２番目の組み合わせのペアにおけるスペクトル効率比が、他の組み合わせのペアにおけるスペクトル効率比より高いこと、
前記第４のＣＱＩ表において隣接する組み合わせの全てのペアにおけるスペクトル効率比のうち、第２の組み合わせと第１の組み合わせのペアにおけるスペクトル効率比及び第３の組み合わせと第２の組み合わせのペアにおけるスペクトル効率比が、他の組み合わせのペアにおけるスペクトル効率比より高いこと、
現在のＣＱＩ又は最新のＣＱＩが前記第１のＣＱＩ表を基本とし、該ＣＱＩが範囲外状態を意味する値を有する場合に、現在のＣＱＩが前記第４のＣＱＩ表に基づく別のＣＱＩのフィードバックをトリガーすること、又は
現在のＣＱＩ又は最新のＣＱＩが前記第４のＣＱＩ表を基本とし、該ＣＱＩが範囲外状態を意味する値を有する場合に、現在のＣＱＩが前記第５のＣＱＩ表に基づく別のＣＱＩのフィードバックをトリガーすることのうちの少なくとも一つを含む請求項５に記載の方法。
【請求項７】
チャネル品質表示（ＣＱＩ）情報の送信方法であって、
基地局から送信される上位層構成シグナリングメッセージを受信するステップと、
ＣＱＩ情報を前記上位層構成シグナリングメッセージに基づいて取得されるＣＱＩ表に基づいて判定するステップと、
前記判定されたＣＱＩ情報を前記基地局に送信するステップと
を含む方法。
【請求項８】
前記上位層構成シグナリングメッセージが有効範囲レベルシグナリング、チャネル状態情報（ＣＳＩ）参照リソースに占有されるサブフレーム数、ダウンリンク制御チャネル向けの反復数、ダウンリンクデータ共有チャネル向けの反復数、物理ランダムアクセスチャネル（ＰＲＡＣＨ）向けの反復数、ＣＱＩ表選択シグナリング、端末カテゴリー、シナリオ表示シグナリング、周波数帯域表示シグナリング、又はチャネル符号化種別表示情報のうちの少なくとも一つの情報を含み、
前記有効範囲レベルシグナリングが通常の有効範囲若しくは拡張有効範囲、通常の有効範囲、中程度の有効範囲若しくは深い有効範囲、又は通常の有効範囲、低い拡張有効範囲、中程度の拡張有効範囲若しくは高い拡張有効範囲のうちの一つを含む有効範囲レベルを意味し、
前記シナリオ表示シグナリングが拡張モバイルブロードバンド（ｅＭＢＢ）シナリオ、超高信頼低遅延通信（ＵＲＬＬＣ）シナリオ又は大容量マシン型通信（ｍＭＴＣ）シナリオを意味し、
前記周波数帯域表示シグナリングが様々な範囲の搬送波周波数を意味し、
前記チャネル符号化種別表示情報が低密度パリティ検査（ＬＤＰＣ）符号、ターボ符号、畳み込み符号又は極性符号のうちのいずれか二つを含む様々なチャネル符号化種別を意味する請求項７に記載の方法。
【請求項９】
前記ＣＱＩ表が第１のＣＱＩ表及び第２のＣＱＩ表を含み、前記第２のＣＱＩ表が以下の特徴、即ち、
前記第２のＣＱＩ表が２ｘの値を有し、前記第２のＣＱＩ表における各ＣＱＩがｘビットで表わされ、変調スキームと符号レートのＬ１通りの組み合わせが、前記第１のＣＱＩ表における変調スキームと符号レートのＬ２通りの組み合わせを除き、前記第２のＣＱＩ表における変調スキームと符号レートの最後のＬ１通りの組み合わせとして使用され、前記第２のＣＱＩ表における変調スキームと符号レートの最初のＬ２通りの組み合わせが、４位相シフトキーイング（ＱＰＳＫ）と符号レートｒの組み合わせである（ただしＬ１とＬ２はそれぞれ０以上の整数であり、ｒは７８／１０２４より小さい実数であり、Ｌ１＋Ｌ２≦１５、且つｘ≦４である）こと、
前記第２のＣＱＩ表が２ｘの値を有し、前記第２のＣＱＩ表における各ＣＱＩがｘビットで表わされ、変調スキームと符号レートのＬ１通りの組み合わせが、前記第１のＣＱＩ表における変調スキームと符号レートのＬ２通りの組み合わせを除き、前記第２のＣＱＩ表における変調スキームと符号レートの最後のＬ１通りの組み合わせとして使用され、前記第２のＣＱＩ表における変調スキームと符号レートの最初のＬ２通りの組み合わせが、二位相シフトキーイング（ＢＰＳＫ）と符号レートｒの組み合わせである（ただしＬ１とＬ２はそれぞれ０以上の整数であり、ｒは１５６／１０２４より小さい実数であり、Ｌ１＋Ｌ２≦１５、且つｘ≦４である）こと、
前記第２のＣＱＩ表が２ｘの値を有し、前記第２のＣＱＩ表における各ＣＱＩがｘビットで表わされ、変調スキームと符号レートのＬ１通りの組み合わせが、前記第１のＣＱＩ表における変調スキームと符号レートのＬ２通りの組み合わせを除き、前記第２のＣＱＩ表における変調スキームと符号レートの最後のＬ１通りの組み合わせとして使用され、前記第２のＣＱＩ表における変調スキームと符号レートの最初のＬ２通りの組み合わせが、ＢＰＳＫと符号レートｒのＬ２１通りの組み合わせ及びＱＰＳＫと符号レートｒのＬ２２通りの組み合わせを含む（ただしＬ１とＬ２はそれぞれ０以上の整数であり、Ｌ２＝Ｌ２１＋Ｌ２２であり、ｒは１５６／１０２４より小さい実数であり、Ｌ１＋Ｌ２≦１５、且つｘ≦４である）こと、
前記第２のＣＱＩ表が２ｘの値を有し、前記第２のＣＱＩ表における各ＣＱＩがｘビットで表わされ、前記第１のＣＱＩ表が変調スキームと符号レートの合計Ｌ１通りの組み合わせを含み、変調スキームと符号レートのＬ１通りの組み合わせが前記第２のＣＱＩ表における変調スキームと符号レートの最初又は最後のＬ１通りの組み合わせとして使用され、前記第２のＣＱＩ表における変調スキームと符号レートの残りのＬ２通りの組み合わせがＢＰＳＫと符号レートｒのＬ２１通りのタイプ１の組み合わせ及びＱＰＳＫと符号レートｒのＬ２２通りのタイプ２の組み合わせを含む（ただしＬ１とＬ２はそれぞれ０より大きい整数であり、Ｌ２１とＬ２２はそれぞれ０以上の整数であり、Ｌ２＝Ｌ２１＋Ｌ２２であり、ｒは１５６／１０２４より小さい実数であり、Ｌ１＋Ｌ２≦１５、且つｘ≦４である）こと、
前記第１のＣＱＩ表が変調スキームと符号レートの合計Ｌ１通りの組み合わせを含み、前記第２のＣＱＩ表が変調スキームと符号レートの合計Ｌ２通りの組み合わせを含み、Ｌ２通りの組み合わせがＬ１通りの組み合わせのサブセットである（ただし８≦Ｌ１≦１５、Ｌ２≦７であり、Ｌ１とＬ２はそれぞれ０より大きい整数であり、前記第１のＣＱＩ表における最も高次の変調スキームは６４直角位相振幅変調（ＱＡＭ）であり、前記第２のＣＱＩ表における最も高次の変調スキームは１６ＱＡＭである）こと、又は
前記第１のＣＱＩ表及び前記第２のＣＱＩ表が変調スキームと符号レートの合計Ｌ１＝７通りの組み合わせを含み、前記第１のＣＱＩ表における変調スキームがＱＰＳＫと１６ＱＡＭを含み、前記第２のＣＱＩ表における変調スキームがＱＰＳＫ及び／又はＢＰＳＫを含み、前記第２のＣＱＩ表が前記第１のＣＱＩ表における第１、第３、第５及び第７の組み合わせのうちの少なくとも二つ、若しくは前記第１のＣＱＩ表における第２、第４、第６の組み合わせのうちの少なくとも二つを含むこと
のうちの少なくとも一つを含み、
前記第１のＣＱＩ表が、最大６４の変調次数を有するＣＱＩ表、最大１６の変調次数を有するＣＱＩ表、又はロングタームエボリューション（ＬＴＥ）リリース８における４ビットＣＱＩ表のうちの少なくとも一つを含む請求項８に記載の方法。
【請求項１０】
前記第２のＣＱＩ表が以下の特徴、即ち、
ｒの最小値が１／１０２４未満であること、
ｒの前記最小値が１／２０４８、１／４０９６又は１／３０７２に等しいこと、
ＱＰＳＫとｒ＝４４９／１０２４の組み合わせが除外されること、
前記第２のＣＱＩ表が、ＱＰＳＫとｒ＝４４９／１０２４の組み合わせを除く、前記第１のＣＱＩ表におけるＱＰＳＫと符号レートの組み合わせを全て含むこと、
前記第２のＣＱＩ表が前記第１のＣＱＩ表における１６ＱＡＭと符号レートの組み合わせを一つ含むこと、
前記第２のＣＱＩ表が１６ＱＡＭと符号レート４９０／１０２４の組み合わせ及び１６ＱＡＭと符号レート６１６／１０２４の組み合わせのうちの一つを含むこと、
前記第２のＣＱＩ表において隣接する組み合わせの全てのペアにおけるスペクトル効率比のうち、最後の組み合わせと最後から２番目の組み合わせのペアにおけるスペクトル効率比が最も高いこと、
前記第２のＣＱＩ表において隣接する組み合わせの全てのペアにおけるスペクトル効率比のうち、第２の組み合わせと第１の組み合わせのペアにおけるスペクトル効率比が最も高いこと、
前記第２のＣＱＩ表において隣接する組み合わせの全てのペアにおけるスペクトル効率比のうち、最後の組み合わせと最後から２番目の組み合わせのペアにおけるスペクトル効率比及び第２の組み合わせと第１の組み合わせのペアにおけるスペクトル効率比が、他の組み合わせのペアにおけるスペクトル効率比より高いこと、
前記第２のＣＱＩ表において隣接する組み合わせの全てのペアにおけるスペクトル効率比のうち、最後の組み合わせと最後から２番目の組み合わせのペアにおけるスペクトル効率比及び最後から３番目の組み合わせと最後から２番目の組み合わせのペアにおけるスペクトル効率比が、他の組み合わせのペアにおけるスペクトル効率比より高いこと、
前記第２のＣＱＩ表において隣接する組み合わせの全てのペアにおけるスペクトル効率比のうち、第２の組み合わせと第１の組み合わせのペアにおけるスペクトル効率比及び第３の組み合わせと第２の組み合わせのペアにおけるスペクトル効率比が、他の組み合わせのペアにおけるスペクトル効率比より高いこと、
最新のＣＱＩが前記第１のＣＱＩ表を基本とし、該ＣＱＩが範囲外状態を意味する値を有する場合に、現在のＣＱＩが前記第２のＣＱＩ表に基づく別のＣＱＩのフィードバックをトリガーすること、
前記ＣＱＩ表がさらに、より低いスペクトル効率を有する変調スキームと符号レートの組み合わせから成る第３のＣＱＩ表をも含み、最新のＣＱＩが前記第２のＣＱＩ表を基本とし、該ＣＱＩが範囲外状態を意味する値を有する場合に、現在のＣＱＩが前記第３のＣＱＩ表に基づく別のＣＱＩのフィードバックをトリガーすること、
前記第２のＣＱＩ表が二通りの範囲外状態、即ち最も低いスペクトル効率に付随する変調スキームと符号レートの組み合わせよりも低い状態、及び最も高いスペクトル効率に付随する変調スキームと符号レートの組み合わせよりも高い状態を含むこと、
前記第２のＣＱＩ表における変調スキームと符号レートのＮ１通りの連続的組み合わせからの隣接する組み合わせのどのペアのスペクトル効率比も、前記第１のＣＱＩ表における変調スキームと符号レートのＮ２通りの連続的組み合わせからの隣接する組み合わせのあらゆるペアのスペクトル効率比よりも高い（ただしＮ１及びＮ２はそれぞれ２以上の整数である）こと、又は
前記第２のＣＱＩ表の中間における変調スキームと符号レートのＮ３通りの連続的組み合わせからの隣接する組み合わせの各ペアのスペクトル効率比が、前記第２のＣＱＩ表における最初のＮ４通りの連続的組み合わせ及び最後のＮ５通りの連続的組み合わせからの隣接する組み合わせのあらゆるペアのスペクトル効率比よりも低い（ただしＮ３、Ｎ４及びＮ５はそれぞれ２以上の整数である）こと
のうちの少なくとも一つを有する請求項９に記載の方法。
【請求項１１】
前記ＣＱＩ表が第１のＣＱＩ表、第４のＣＱＩ表及び第５のＣＱＩ表を含み、前記第４のＣＱＩ表及び前記第５のＣＱＩ表が以下の組み合わせ、即ち、
前記第４のＣＱＩ表が２ｘの値を有し、前記第４のＣＱＩ表における各ＣＱＩがｘビットで表わされ、変調スキームと符号レートのＬ１通りの組み合わせが、前記第１のＣＱＩ表における変調スキームと符号レートのＬ２通りの組み合わせを除き、前記第４のＣＱＩ表における変調スキームと符号レートの最後のＬ１通りの組み合わせとして使用され、前記第４のＣＱＩ表における変調スキームと符号レートの最初のＬ２通りの組み合わせがＱＰＳＫと符号レートｒの組み合わせであり（ただしＬ１とＬ２はそれぞれ１より大きい正の整数であり、ｒは７８／１０２４より小さい実数であり、Ｌ１＋Ｌ２≦１５、且つｘ≦４である）、前記第５のＣＱＩ表が８ｙの値を有し、前記第５のＣＱＩ表における各ＣＱＩがｙビットで表わされ、変調スキームと符号レートのＬ３通りの組み合わせが、前記第４のＣＱＩ表における変調スキームと符号レートのＬ４通りの組み合わせを除き、前記第５のＣＱＩ表における変調スキームと符号レートの最後のＬ３通りの組み合わせとして使用され、前記第５のＣＱＩ表における変調スキームと符号レートの最初のＬ４通りの組み合わせがＱＰＳＫと符号レートｒの組み合わせである（ただしＬ３とＬ４はそれぞれ１より大きい正の整数であり、ｒは７８／１０２４より小さい実数であり、Ｌ３＋Ｌ４≦１５、且つｙ≦４である）こと、
前記第４のＣＱＩ表が２ｘの値を有し、前記第４のＣＱＩ表における各ＣＱＩがｘビットで表わされ、変調スキームと符号レートのＬ１通りの組み合わせが、前記第１のＣＱＩ表における変調スキームと符号レートのＬ２通りの組み合わせを除き、前記第４のＣＱＩ表における変調スキームと符号レートの最後のＬ１通りの組み合わせとして使用され、前記第４のＣＱＩ表における変調スキームと符号レートの最初のＬ２通りの組み合わせがＢＰＳＫと符号レートｒの組み合わせであり（ただしＬ１とＬ２はそれぞれ１より大きい正の整数であり、ｒは１５６／１０２４より小さい実数であり、Ｌ１＋Ｌ２≦１５、且つｘ≦４である）、前記第５のＣＱＩ表が２ｙの値を有し、前記第５のＣＱＩ表における各ＣＱＩがｙビットで表わされ、変調スキームと符号レートのＬ３通りの組み合わせが、前記第４のＣＱＩ表における変調スキームと符号レートのＬ４通りの組み合わせを除き、前記第５のＣＱＩ表における変調スキームと符号レートの最後のＬ３通りの組み合わせとして使用され、前記第５のＣＱＩ表における変調スキームと符号レートの最初のＬ４通りの組み合わせがＢＰＳＫと符号レートｒの組み合わせである（ただしＬ３とＬ４はそれぞれ１より大きい正の整数であり、ｒは１５６／１０２４より小さい実数であり、Ｌ３＋Ｌ４≦１５、且つｙ≦４である）こと、
前記第４のＣＱＩ表が２ｘの値を有し、前記第４のＣＱＩ表における各ＣＱＩがｘビットで表わされ、変調スキームと符号レートのＬ１通りの組み合わせが、前記第１のＣＱＩ表における変調スキームと符号レートのＬ２通りの組み合わせを除き、前記第４のＣＱＩ表における変調スキームと符号レートの最後のＬ１通りの組み合わせとして使用され、前記第４のＣＱＩ表における変調スキームと符号レートの最初のＬ２通りの組み合わせがＢＰＳＫと符号レートｒのＬ２１通りの組み合わせ及びＱＰＳＫと符号レートｒのＬ２２通りの組み合わせを含み（ただしＬ１とＬ２はそれぞれ１より大きい正の整数であり、Ｌ２＝Ｌ２１＋Ｌ２２であり、ｒは１５６／１０２４より小さい実数であり、Ｌ１＋Ｌ２≦１５、且つｘ≦４である）、前記第５のＣＱＩ表が２ｙの値を有し、前記第５のＣＱＩ表における各ＣＱＩがｙビットで表わされ、変調スキームと符号レートのＬ３通りの組み合わせが、前記第４のＣＱＩ表における変調スキームと符号レートのＬ４通りの組み合わせを除き、前記第５のＣＱＩ表における変調スキームと符号レートの最後のＬ３通りの組み合わせとして使用され、前記第５のＣＱＩ表における変調スキームと符号レートの最初のＬ４通りの組み合わせがＢＰＳＫと符号レートｒのＬ４１通りの組み合わせ及びＱＰＳＫと符号レートｒのＬ４２通りの組み合わせを含む（ただしＬ３とＬ４はそれぞれ１より大きい正の整数であり、Ｌ２＝Ｌ４１＋Ｌ４２であり、ｒは１５６／１０２４より小さい実数であり、Ｌ３＋Ｌ４≦１５、且つｙ≦４である）こと、又は
前記第１のＣＱＩ表が変調スキームと符号レートのＬ１通りの組み合わせを含み、前記第４のＣＱＩ表が変調スキームと符号レートのＬ２通りの組み合わせを含み、前記第５のＣＱＩ表が変調スキームと符号レートのＬ２通りの組み合わせを含み（ただしＬ１とＬ２はそれぞれ７以上の整数であり、Ｌ２＜Ｌ１／２である）、前記第４のＣＱＩ表における変調スキームと符号レートの全ての組み合わせ及び前記第５のＣＱＩ表における変調スキームと符号レートの全ての組み合わせがそれぞれ、前記第１のＣＱＩ表における変調スキームと符号レートの全ての組み合わせのサブセットであること
のうちの一つを含み、
前記第１のＣＱＩ表が、最大６４の変調次数を有するＣＱＩ表、最大１６の変調次数を有するＣＱＩ表、又はロングタームエボリューション（ＬＴＥ）リリース８における４ビットＣＱＩ表のうちの少なくとも一つを含む請求項８に記載の方法。
【請求項１２】
前記第４のＣＱＩ表及び前記第５のＣＱＩ表が以下の特徴、即ち、
前記第５のＣＱＩ表における符号レートの最小値が前記第４のＣＱＩ表における符号レートの最小値より小さいこと、
前記第５のＣＱＩ表における符号レートの前記最小値が１／１０２４以下であること、
前記第４のＣＱＩ表における符号レートの前記最小値が１／１０２４以下であること、
前記第４のＣＱＩ表がＱＰＳＫとｒ＝４４９／１０２４の組み合わせを含むこと、
前記第４のＣＱＩ表が前記第１のＣＱＩ表におけるＱＰＳＫと符号レートの組み合わせを全て含むこと、
前記第５のＣＱＩ表が前記第１のＣＱＩ表におけるＱＰＳＫと符号レートの組み合わせを全く含まないこと、
前記第５のＣＱＩ表が、前記第４のＣＱＩ表に含まれるが前記第１のＣＱＩ表に含まれないＱＰＳＫと符号レートの組み合わせを全て含むこと、
前記第４のＣＱＩ表が前記第１のＣＱＩ表における１６ＱＡＭと符号レートの少なくとも一つの組み合わせを含むこと、
前記第４のＣＱＩ表において隣接する組み合わせの全てのペアにおけるスペクトル効率比のうち、最後の組み合わせと最後から２番目の組み合わせのペアにおけるスペクトル効率比が最も高いこと、
前記第４のＣＱＩ表において隣接する組み合わせの全てのペアにおけるスペクトル効率比のうち、第２の組み合わせと第１の組み合わせのペアにおけるスペクトル効率比が最も高いこと、
前記第４のＣＱＩ表において隣接する組み合わせの全てのペアにおけるスペクトル効率比のうち、最後の組み合わせと最後から２番目の組み合わせのペアにおけるスペクトル効率比及び第２の組み合わせと第１の組み合わせのペアにおけるスペクトル効率比が、他の組み合わせのペアにおけるスペクトル効率比より高いこと、
前記第４のＣＱＩ表において隣接する組み合わせの全てのペアにおけるスペクトル効率比のうち、最後の組み合わせと最後から２番目の組み合わせのペアにおけるスペクトル効率比及び最後から３番目の組み合わせと最後から２番目の組み合わせのペアにおけるスペクトル効率比が、他の組み合わせのペアにおけるスペクトル効率比より高いこと、
前記第４のＣＱＩ表において隣接する組み合わせの全てのペアにおけるスペクトル効率比のうち、第２の組み合わせと第１の組み合わせのペアにおけるスペクトル効率比及び第３の組み合わせと第２の組み合わせのペアにおけるスペクトル効率比が、他の組み合わせのペアにおけるスペクトル効率比より高いこと、
現在のＣＱＩ又は最新のＣＱＩが前記第１のＣＱＩ表を基本とし、該ＣＱＩが範囲外状態を意味する値を有する場合に、現在のＣＱＩが前記第４のＣＱＩ表に基づく別のＣＱＩのフィードバックをトリガーすること、又は
現在のＣＱＩ又は最新のＣＱＩが前記第４のＣＱＩ表を基本とし、該ＣＱＩが範囲外状態を意味する値を有する場合に、現在のＣＱＩが前記第５のＣＱＩ表に基づく別のＣＱＩのフィードバックをトリガーすること
のうちの少なくとも一つを含む請求項１１に記載の方法。
【請求項１３】
チャネル品質表示（ＣＱＩ）情報の受信装置であって、
上位層構成シグナリングメッセージを端末に送信するよう構成される第１の送信モジュールと、
ＣＱＩ情報を前記端末から受信し、前記ＣＱＩ情報を前記上位層構成シグナリングメッセージに基づいて取得されるＣＱＩ表に基づいて判定するよう構成される第１の受信モジュールと
を含む装置。
【請求項１４】
前記上位層構成シグナリングメッセージが有効範囲レベルシグナリング、チャネル状態情報（ＣＳＩ）参照リソースに占有されるサブフレーム数、ダウンリンク制御チャネル向けの反復数、ダウンリンクデータ共有チャネル向けの反復数、物理ランダムアクセスチャネル（ＰＲＡＣＨ）向けの反復数、ＣＱＩ表選択シグナリング、端末カテゴリー、シナリオ表示シグナリング、周波数帯域表示シグナリング、又はチャネル符号化種別表示情報のうちの少なくとも一つの情報を含み、
前記有効範囲レベルシグナリングが通常の有効範囲若しくは拡張有効範囲、通常の有効範囲、中程度の有効範囲若しくは深い有効範囲、又は通常の有効範囲、低い拡張有効範囲、中程度の拡張有効範囲若しくは高い拡張有効範囲のうちの一つを含む有効範囲レベルを意味し、
前記シナリオ表示シグナリングが拡張モバイルブロードバンド（ｅＭＢＢ）シナリオ、超高信頼低遅延通信（ＵＲＬＬＣ）シナリオ又は大容量マシン型通信（ｍＭＴＣ）シナリオを意味し、
前記周波数帯域表示シグナリングが様々な範囲の搬送波周波数を意味し、
前記チャネル符号化種別表示情報が低密度パリティ検査（ＬＤＰＣ）符号、ターボ符号、畳み込み符号又は極性符号のうちのいずれか二つを含む様々なチャネル符号化種別を意味する請求項１３に記載の装置。
【請求項１５】
前記ＣＱＩ表が第１のＣＱＩ表及び第２のＣＱＩ表を含み、前記第２のＣＱＩ表が以下の特徴、即ち、
前記第２のＣＱＩ表が２ｘの値を有し、前記第２のＣＱＩ表における各ＣＱＩがｘビットで表わされ、変調スキームと符号レートのＬ１通りの組み合わせが、前記第１のＣＱＩ表における変調スキームと符号レートのＬ２通りの組み合わせを除き、前記第２のＣＱＩ表における変調スキームと符号レートの最後のＬ１通りの組み合わせとして使用され、前記第２のＣＱＩ表における変調スキームと符号レートの最初のＬ２通りの組み合わせが、直角位相シフトキーイング（ＱＰＳＫ）と符号レートｒの組み合わせである（ただしＬ１とＬ２はそれぞれ０以上の整数であり、ｒは７８／１０２４より小さい実数であり、Ｌ１＋Ｌ２≦１５、且つｘ≦４である）こと、
前記第２のＣＱＩ表が２ｘの値を有し、前記第２のＣＱＩ表における各ＣＱＩがｘビットで表わされ、変調スキームと符号レートのＬ１通りの組み合わせが、前記第１のＣＱＩ表における変調スキームと符号レートのＬ２通りの組み合わせを除き、前記第２のＣＱＩ表における変調スキームと符号レートの最後のＬ１通りの組み合わせとして使用され、前記第２のＣＱＩ表における変調スキームと符号レートの最初のＬ２通りの組み合わせが、二位相シフトキーイング（ＢＰＳＫ）と符号レートｒの組み合わせである（ただしＬ１とＬ２はそれぞれ０以上の整数であり、ｒは１５６／１０２４より小さい実数であり、Ｌ１＋Ｌ２≦１５、且つｘ≦４である）こと、
前記第２のＣＱＩ表が２ｘの値を有し、前記第２のＣＱＩ表における各ＣＱＩがｘビットで表わされ、変調スキームと符号レートのＬ１通りの組み合わせが、前記第１のＣＱＩ表における変調スキームと符号レートのＬ２通りの組み合わせを除き、前記第２のＣＱＩ表における変調スキームと符号レートの最後のＬ１通りの組み合わせとして使用され、前記第２のＣＱＩ表における変調スキームと符号レートの最初のＬ２通りの組み合わせが、ＢＰＳＫと符号レートｒのＬ２１通りの組み合わせ及びＱＰＳＫと符号レートｒのＬ２２通りの組み合わせを含む（ただしＬ１とＬ２はそれぞれ０以上の整数であり、Ｌ２＝Ｌ２１＋Ｌ２２であり、ｒは１５６／１０２４より小さい実数であり、Ｌ１＋Ｌ２≦１５、且つｘ≦４である）こと、
前記第２のＣＱＩ表が２ｘの値を有し、前記第２のＣＱＩ表における各ＣＱＩがｘビットで表わされ、前記第１のＣＱＩ表が変調スキームと符号レートの合計Ｌ１通りの組み合わせを含み、変調スキームと符号レートのＬ１通りの組み合わせが前記第２のＣＱＩ表における変調スキームと符号レートの最初又は最後のＬ１通りの組み合わせとして使用され、前記第２のＣＱＩ表における変調スキームと符号レートの残りのＬ２通りの組み合わせがＢＰＳＫと符号レートｒのＬ２１通りのタイプ１の組み合わせ及びＱＰＳＫと符号レートｒのＬ２２通りのタイプ２の組み合わせを含む（ただしＬ１とＬ２はそれぞれ０より大きい整数であり、Ｌ２１とＬ２２はそれぞれ０以上の整数であり、Ｌ２＝Ｌ２１＋Ｌ２２であり、ｒは１５６／１０２４より小さい実数であり、Ｌ１＋Ｌ２≦１５、且つｘ≦４である）こと、
前記第１のＣＱＩ表が変調スキームと符号レートの合計Ｌ１通りの組み合わせを含み、前記第２のＣＱＩ表が変調スキームと符号レートの合計Ｌ２通りの組み合わせを含み、Ｌ２通りの組み合わせがＬ１通りの組み合わせのサブセットである（ただし８≦Ｌ１≦１５、Ｌ２≦７であり、Ｌ１とＬ２はそれぞれ０より大きい整数であり、前記第１のＣＱＩ表における最も高次の変調スキームは６４直角位相振幅変調（ＱＡＭ）であり、前記第２のＣＱＩ表における最も高次の変調スキームは１６ＱＡＭである）こと、又は
前記第１のＣＱＩ表及び前記第２のＣＱＩ表が変調スキームと符号レートの合計Ｌ１＝７通りの組み合わせを含み、前記第１のＣＱＩ表における変調スキームがＱＰＳＫと１６ＱＡＭを含み、前記第２のＣＱＩ表における変調スキームがＱＰＳＫ及び／又はＢＰＳＫを含み、前記第２のＣＱＩ表が前記第１のＣＱＩ表における第１、第３、第５及び第７の組み合わせのうちの少なくとも二つ、若しくは前記第１のＣＱＩ表における第２、第４、第６の組み合わせのうちの少なくとも二つを含むこと
のうちの少なくとも一つを有し、
前記第１のＣＱＩ表が、最大６４の変調次数を有するＣＱＩ表、最大１６の変調次数を有するＣＱＩ表、又はロングタームエボリューション（ＬＴＥ）リリース８における４ビットＣＱＩ表のうちの少なくとも一つを含む請求項１４に記載の装置。
【請求項１６】
前記第２のＣＱＩ表が以下の特徴、即ち、
ｒの最小値が１／１０２４未満であること、
ｒの前記最小値が１／２０４８、１／４０９６又は１／３０７２に等しいこと、
ＱＰＳＫとｒ＝４４９／１０２４の組み合わせが除外されること、
前記第２のＣＱＩ表が、ＱＰＳＫとｒ＝４４９／１０２４の組み合わせを除く、前記第１のＣＱＩ表におけるＱＰＳＫと符号レートの組み合わせを全て含むこと、
前記第２のＣＱＩ表が前記第１のＣＱＩ表における１６ＱＡＭと符号レートの組み合わせを一つ含むこと、
前記第２のＣＱＩ表が１６ＱＡＭと符号レート４９０／１０２４の組み合わせ及び１６ＱＡＭと符号レート６１６／１０２４の組み合わせのうちの一つを含むこと、
前記第２のＣＱＩ表において隣接する組み合わせの全てのペアにおけるスペクトル効率比のうち、最後の組み合わせと最後から２番目の組み合わせのペアにおけるスペクトル効率比が最も高いこと、
前記第２のＣＱＩ表において隣接する組み合わせの全てのペアにおけるスペクトル効率比のうち、第２の組み合わせと第１の組み合わせのペアにおけるスペクトル効率比が最も高いこと、
前記第２のＣＱＩ表において隣接する組み合わせの全てのペアにおけるスペクトル効率比のうち、最後の組み合わせと最後から２番目の組み合わせのペアにおけるスペクトル効率比及び第２の組み合わせと第１の組み合わせのペアにおけるスペクトル効率比が、他の組み合わせのペアにおけるスペクトル効率比より高いこと、
前記第２のＣＱＩ表において隣接する組み合わせの全てのペアにおけるスペクトル効率比のうち、最後の組み合わせと最後から２番目の組み合わせのペアにおけるスペクトル効率比及び最後から３番目の組み合わせと最後から２番目の組み合わせのペアにおけるスペクトル効率比が、他の組み合わせのペアにおけるスペクトル効率比より高いこと、
前記第２のＣＱＩ表において隣接する組み合わせの全てのペアにおけるスペクトル効率比のうち、第２の組み合わせと第１の組み合わせのペアにおけるスペクトル効率比及び第３の組み合わせと第２の組み合わせのペアにおけるスペクトル効率比が、他の組み合わせのペアにおけるスペクトル効率比より高いこと、
最新のＣＱＩが前記第１のＣＱＩ表を基本とし、該ＣＱＩが範囲外状態を意味する値を有する場合に、現在のＣＱＩが前記第２のＣＱＩ表に基づく別のＣＱＩのフィードバックをトリガーすること、
前記ＣＱＩ表がさらに、より低いスペクトル効率を有する変調スキームと符号レートの組み合わせから成る第３のＣＱＩ表をも含み、最新のＣＱＩが前記第２のＣＱＩ表を基本とし、該ＣＱＩが範囲外状態を意味する値を有する場合に、現在のＣＱＩが前記第３のＣＱＩ表に基づく別のＣＱＩのフィードバックをトリガーすること、
前記第２のＣＱＩ表が二通りの範囲外状態、即ち最も低いスペクトル効率に付随する変調スキームと符号レートの組み合わせよりも低い状態、及び最も高いスペクトル効率に付随する変調スキームと符号レートの組み合わせよりも高い状態を含むこと、
前記第２のＣＱＩ表における変調スキームと符号レートのＮ１通りの連続的組み合わせからの隣接する組み合わせのどのペアのスペクトル効率比も、前記第１のＣＱＩ表における変調スキームと符号レートのＮ２通りの連続的組み合わせからの隣接する組み合わせのあらゆるペアのスペクトル効率比よりも高い（ただしＮ１及びＮ２はそれぞれ２以上の整数である）こと、又は
前記第２のＣＱＩ表の中間における変調スキームと符号レートのＮ３通りの連続的組み合わせからの隣接する組み合わせの各ペアのスペクトル効率比が、前記第２のＣＱＩ表における最初のＮ４通りの連続的組み合わせ及び最後のＮ５通りの連続的組み合わせからの隣接する組み合わせのあらゆるペアのスペクトル効率比よりも低い（ただしＮ３、Ｎ４及びＮ５はそれぞれ２以上の整数である）こと
のうちの少なくとも一つを有する請求項１５に記載の装置。
【請求項１７】
前記ＣＱＩ表が第１のＣＱＩ表、第４のＣＱＩ表及び第５のＣＱＩ表を含み、前記第４のＣＱＩ表及び前記第５のＣＱＩ表が以下の組み合わせ、即ち、
前記第４のＣＱＩ表が２ｘの値を有し、前記第４のＣＱＩ表における各ＣＱＩがｘビットで表わされ、変調スキームと符号レートのＬ１通りの組み合わせが、前記第１のＣＱＩ表における変調スキームと符号レートのＬ２通りの組み合わせを除き、前記第４のＣＱＩ表における変調スキームと符号レートの最後のＬ１通りの組み合わせとして使用され、前記第４のＣＱＩ表における変調スキームと符号レートの最初のＬ２通りの組み合わせがＱＰＳＫと符号レートｒの組み合わせであり（ただしＬ１とＬ２はそれぞれ１より大きい正の整数であり、ｒは７８／１０２４より小さい実数であり、Ｌ１＋Ｌ２≦１５、且つｘ≦４である）、前記第５のＣＱＩ表が２ｙの値を有し、前記第５のＣＱＩ表における各ＣＱＩがｙビットで表わされ、変調スキームと符号レートのＬ３通りの組み合わせが、前記第４のＣＱＩ表における変調スキームと符号レートのＬ４通りの組み合わせを除き、前記第５のＣＱＩ表における変調スキームと符号レートの最後のＬ３通りの組み合わせとして使用され、前記第５のＣＱＩ表における変調スキームと符号レートの最初のＬ４通りの組み合わせがＱＰＳＫと符号レートｒの組み合わせである（ただしＬ３とＬ４はそれぞれ１より大きい正の整数であり、ｒは７８／１０２４より小さい実数であり、Ｌ３＋Ｌ４≦１５、且つｙ≦４である）こと、
前記第４のＣＱＩ表が２ｘの値を有し、前記第４のＣＱＩ表における各ＣＱＩがｘビットで表わされ、変調スキームと符号レートのＬ１通りの組み合わせが、前記第１のＣＱＩ表における変調スキームと符号レートのＬ２通りの組み合わせを除き、前記第４のＣＱＩ表における変調スキームと符号レートの最後のＬ１通りの組み合わせとして使用され、前記第４のＣＱＩ表における変調スキームと符号レートの最初のＬ２通りの組み合わせがＢＰＳＫと符号レートｒの組み合わせであり（ただしＬ１とＬ２はそれぞれ１より大きい正の整数であり、ｒは１５６／１０２４より小さい実数であり、Ｌ１＋Ｌ２≦１５、且つｘ≦４である）、前記第５のＣＱＩ表が２ｙの値を有し、前記第５のＣＱＩ表における各ＣＱＩがｙビットで表わされ、変調スキームと符号レートのＬ３通りの組み合わせが、前記第４のＣＱＩ表における変調スキームと符号レートのＬ４通りの組み合わせを除き、前記第５のＣＱＩ表における変調スキームと符号レートの最後のＬ３通りの組み合わせとして使用され、前記第５のＣＱＩ表における変調スキームと符号レートの最初のＬ４通りの組み合わせがＢＰＳＫと符号レートｒの組み合わせである（ただしＬ３とＬ４はそれぞれ１より大きい正の整数であり、ｒは１５６／１０２４より小さい実数であり、Ｌ３＋Ｌ４≦１５、且つｙ≦４である）こと、
前記第４のＣＱＩ表が２ｘの値を有し、前記第４のＣＱＩ表における各ＣＱＩがｘビットで表わされ、変調スキームと符号レートのＬ１通りの組み合わせが、前記第１のＣＱＩ表における変調スキームと符号レートのＬ２通りの組み合わせを除き、前記第４のＣＱＩ表における変調スキームと符号レートの最後のＬ１通りの組み合わせとして使用され、前記第４のＣＱＩ表における変調スキームと符号レートの最初のＬ２通りの組み合わせがＢＰＳＫと符号レートｒのＬ２１通りの組み合わせ及びＱＰＳＫと符号レートｒのＬ２２通りの組み合わせを含み（ただしＬ１とＬ２はそれぞれ１より大きい正の整数であり、Ｌ２＝Ｌ２１＋Ｌ２２であり、ｒは１５６／１０２４より小さい実数であり、Ｌ１＋Ｌ２≦１５、且つｘ≦４である）、前記第５のＣＱＩ表が２ｙの値を有し、前記第５のＣＱＩ表における各ＣＱＩがｙビットで表わされ、変調スキームと符号レートのＬ３通りの組み合わせが、前記第４のＣＱＩ表における変調スキームと符号レートのＬ４通りの組み合わせを除き、前記第５のＣＱＩ表における変調スキームと符号レートの最後のＬ３通りの組み合わせとして使用され、前記第５のＣＱＩ表における変調スキームと符号レートの最初のＬ４通りの組み合わせがＢＰＳＫと符号レートｒのＬ４１通りの組み合わせ及びＱＰＳＫと符号レートｒのＬ４２通りの組み合わせを含む（ただしＬ３とＬ４はそれぞれ１より大きい正の整数であり、Ｌ２＝Ｌ４１＋Ｌ４２であり、ｒは１５６／１０２４より小さい実数であり、Ｌ３＋Ｌ４≦１５、且つｙ≦４である）こと、又は
前記第１のＣＱＩ表が変調スキームと符号レートのＬ１通りの組み合わせを含み、前記第４のＣＱＩ表が変調スキームと符号レートのＬ２通りの組み合わせを含み、前記第５のＣＱＩ表が変調スキームと符号レートのＬ２通りの組み合わせを含み（ただしＬ１とＬ２はそれぞれ７以上の整数であり、Ｌ２＜Ｌ１／２である）、前記第４のＣＱＩ表における変調スキームと符号レートの全ての組み合わせ及び前記第５のＣＱＩ表における変調スキームと符号レートの全ての組み合わせがそれぞれ、前記第１のＣＱＩ表における変調スキームと符号レートの全ての組み合わせのサブセットであること
のうちの一つを含み、
前記第１のＣＱＩ表が、最大６４の変調次数を有するＣＱＩ表、最大１６の変調次数を有するＣＱＩ表、又はロングタームエボリューション（ＬＴＥ）リリース８における４ビットＣＱＩ表のうちの少なくとも一つを含む請求項１４に記載の装置。
【請求項１８】
前記第４のＣＱＩ表及び前記第５のＣＱＩ表が以下の特徴、即ち、
前記第５のＣＱＩ表における符号レートの最小値が前記第４のＣＱＩ表における符号レートの最小値より小さいこと、
前記第５のＣＱＩ表における符号レートの前記最小値が１／１０２４以下であること、
前記第４のＣＱＩ表における符号レートの前記最小値が１／１０２４以下であること、
前記第４のＣＱＩ表がＱＰＳＫとｒ＝４４９／１０２４の組み合わせを含むこと、
前記第４のＣＱＩ表が前記第１のＣＱＩ表におけるＱＰＳＫと符号レートの組み合わせを全て含むこと、
前記第５のＣＱＩ表が前記第１のＣＱＩ表におけるＱＰＳＫと符号レートの組み合わせを全く含まないこと、
前記第５のＣＱＩ表が、前記第４のＣＱＩ表に含まれるが前記第１のＣＱＩ表に含まれないＱＰＳＫと符号レートの組み合わせを全て含むこと、
前記第４のＣＱＩ表が前記第１のＣＱＩ表における１６ＱＡＭと符号レートの少なくとも一つの組み合わせを含むこと、
前記第４のＣＱＩ表において隣接する組み合わせの全てのペアにおけるスペクトル効率比のうち、最後の組み合わせと最後から２番目の組み合わせのペアにおけるスペクトル効率比が最も高いこと、
前記第４のＣＱＩ表において隣接する組み合わせの全てのペアにおけるスペクトル効率比のうち、第２の組み合わせと第１の組み合わせのペアにおけるスペクトル効率比が最も高いこと、
前記第４のＣＱＩ表において隣接する組み合わせの全てのペアにおけるスペクトル効率比のうち、最後の組み合わせと最後から２番目の組み合わせのペアにおけるスペクトル効率比及び第２の組み合わせと第１の組み合わせのペアにおけるスペクトル効率比が、他の組み合わせのペアにおけるスペクトル効率比より高いこと、
前記第４のＣＱＩ表において隣接する組み合わせの全てのペアにおけるスペクトル効率比のうち、最後の組み合わせと最後から２番目の組み合わせのペアにおけるスペクトル効率比及び最後から３番目の組み合わせと最後から２番目の組み合わせのペアにおけるスペクトル効率比が、他の組み合わせのペアにおけるスペクトル効率比より高いこと、
前記第４のＣＱＩ表において隣接する組み合わせの全てのペアにおけるスペクトル効率比のうち、第２の組み合わせと第１の組み合わせのペアにおけるスペクトル効率比及び第３の組み合わせと第２の組み合わせのペアにおけるスペクトル効率比が、他の組み合わせのペアにおけるスペクトル効率比より高いこと、
現在のＣＱＩ又は最新のＣＱＩが前記第１のＣＱＩ表を基本とし、該ＣＱＩが範囲外状態を意味する値を有する場合に、現在のＣＱＩが前記第４のＣＱＩ表に基づく別のＣＱＩのフィードバックをトリガーすること、又は
現在のＣＱＩ又は最新のＣＱＩが前記第４のＣＱＩ表を基本とし、該ＣＱＩが範囲外状態を意味する値を有する場合に、現在のＣＱＩが前記第５のＣＱＩ表に基づく別のＣＱＩのフィードバックをトリガーすること
のうちの少なくとも一つを有する請求項１７に記載の装置。
【請求項１９】
チャネル品質表示（ＣＱＩ）情報の送信装置であって、
基地局から送信される上位層構成シグナリングメッセージを受信するよう構成される第２の受信モジュールと、
ＣＱＩ情報を前記上位層構成シグナリングメッセージに基づいて取得されるＣＱＩ表に基づいて判定するよう構成される判定モジュールと、
前記判定されたＣＱＩ情報を前記基地局に送信するよう構成される第２の送信モジュールと
を含む装置。
【請求項２０】
前記上位層構成シグナリングメッセージが有効範囲レベルシグナリング、チャネル状態情報（ＣＳＩ）参照リソースに占有されるサブフレーム数、ダウンリンク制御チャネル向けの反復数、ダウンリンクデータ共有チャネル向けの反復数、物理ランダムアクセスチャネル（ＰＲＡＣＨ）向けの反復数、ＣＱＩ表選択シグナリング、端末カテゴリー、シナリオ表示シグナリング、周波数帯域表示シグナリング、又はチャネル符号化種別表示情報のうちの少なくとも一つの情報を含み、
前記有効範囲レベルシグナリングが通常の有効範囲若しくは拡張有効範囲、通常の有効範囲、中程度の有効範囲若しくは深い有効範囲、又は通常の有効範囲、低い拡張有効範囲、中程度の拡張有効範囲若しくは高い拡張有効範囲のうちの一つを含む有効範囲レベルを意味し、
前記シナリオ表示シグナリングが拡張モバイルブロードバンド（ｅＭＢＢ）シナリオ、超高信頼低遅延通信（ＵＲＬＬＣ）シナリオ又は大容量マシン型通信（ｍＭＴＣ）シナリオを意味し、
前記周波数帯域表示シグナリングが様々な範囲の搬送波周波数を意味し、
前記チャネル符号化種別表示情報が低密度パリティ検査（ＬＤＰＣ）符号、ターボ符号、畳み込み符号又は極性符号のうちのいずれか二つを含む様々なチャネル符号化種別を意味する請求項１９に記載の装置。
【請求項２１】
前記ＣＱＩ表が第１のＣＱＩ表及び第２のＣＱＩ表を含み、前記第２のＣＱＩ表が以下の特徴、即ち、
前記第２のＣＱＩ表が２ｘの値を有し、前記第２のＣＱＩ表における各ＣＱＩがｘビットで表わされ、変調スキームと符号レートのＬ１通りの組み合わせが、前記第１のＣＱＩ表における変調スキームと符号レートのＬ２通りの組み合わせを除き、前記第２のＣＱＩ表における変調スキームと符号レートの最後のＬ１通りの組み合わせとして使用され、前記第２のＣＱＩ表における変調スキームと符号レートの最初のＬ２通りの組み合わせが、直角位相シフトキーイング（ＱＰＳＫ）と符号レートｒの組み合わせである（ただしＬ１とＬ２はそれぞれ０以上の整数であり、ｒは７８／１０２４より小さい実数であり、Ｌ１＋Ｌ２≦１５、且つｘ≦４である）こと、
前記第２のＣＱＩ表が２ｘの値を有し、前記第２のＣＱＩ表における各ＣＱＩがｘビットで表わされ、変調スキームと符号レートのＬ１通りの組み合わせが、前記第１のＣＱＩ表における変調スキームと符号レートのＬ２通りの組み合わせを除き、前記第２のＣＱＩ表における変調スキームと符号レートの最後のＬ１通りの組み合わせとして使用され、前記第２のＣＱＩ表における変調スキームと符号レートの最初のＬ２通りの組み合わせが、二位相シフトキーイング（ＢＰＳＫ）と符号レートｒの組み合わせである（ただしＬ１とＬ２はそれぞれ０以上の整数であり、ｒは１５６／１０２４より小さい実数であり、Ｌ１＋Ｌ２≦１５、且つｘ≦４である）こと、
前記第２のＣＱＩ表が２ｘの値を有し、前記第２のＣＱＩ表における各ＣＱＩがｘビットで表わされ、変調スキームと符号レートのＬ１通りの組み合わせが、前記第１のＣＱＩ表における変調スキームと符号レートのＬ２通りの組み合わせを除き、前記第２のＣＱＩ表における変調スキームと符号レートの最後のＬ１通りの組み合わせとして使用され、前記第２のＣＱＩ表における変調スキームと符号レートの最初のＬ２通りの組み合わせが、ＢＰＳＫと符号レートｒのＬ２１通りの組み合わせ及びＱＰＳＫと符号レートｒのＬ２２通りの組み合わせを含む（ただしＬ１とＬ２はそれぞれ０以上の整数であり、Ｌ２＝Ｌ２１＋Ｌ２２であり、ｒは１５６／１０２４より小さい実数であり、Ｌ１＋Ｌ２≦１５、且つｘ≦４である）こと、
前記第２のＣＱＩ表が２ｘの値を有し、前記第２のＣＱＩ表における各ＣＱＩがｘビットで表わされ、前記第１のＣＱＩ表が変調スキームと符号レートの合計Ｌ１通りの組み合わせを含み、変調スキームと符号レートのＬ１通りの組み合わせが前記第２のＣＱＩ表における変調スキームと符号レートの最初又は最後のＬ１通りの組み合わせとして使用され、前記第２のＣＱＩ表における変調スキームと符号レートの残りのＬ２通りの組み合わせがＢＰＳＫと符号レートｒのＬ２１通りのタイプ１の組み合わせ及びＱＰＳＫと符号レートｒのＬ２２通りのタイプ２の組み合わせを含む（ただしＬ１とＬ２はそれぞれ０より大きい整数であり、Ｌ２１とＬ２２はそれぞれ０以上の整数であり、Ｌ２＝Ｌ２１＋Ｌ２２であり、ｒは１５６／１０２４より小さい実数であり、Ｌ１＋Ｌ２≦１５、且つｘ≦４である）こと、
前記第１のＣＱＩ表が変調スキームと符号レートの合計Ｌ１通りの組み合わせを含み、前記第２のＣＱＩ表が変調スキームと符号レートの合計Ｌ２通りの組み合わせを含み、Ｌ２通りの組み合わせがＬ１通りの組み合わせのサブセットである（ただし８≦Ｌ１≦１５、Ｌ２≦７であり、Ｌ１とＬ２はそれぞれ０より大きい整数であり、前記第１のＣＱＩ表における最も高次の変調スキームは６４直角位相振幅変調（ＱＡＭ）であり、前記第２のＣＱＩ表における最も高次の変調スキームは１６ＱＡＭである）こと、又は
前記第１のＣＱＩ表及び前記第２のＣＱＩ表が変調スキームと符号レートの合計Ｌ１＝７通りの組み合わせを含み、前記第１のＣＱＩ表における変調スキームがＱＰＳＫと１６ＱＡＭを含み、前記第２のＣＱＩ表における変調スキームがＱＰＳＫ及び／又はＢＰＳＫを含み、前記第２のＣＱＩ表が前記第１のＣＱＩ表における第１、第３、第５及び第７の組み合わせのうちの少なくとも二つ、若しくは前記第１のＣＱＩ表における第２、第４、第６の組み合わせのうちの少なくとも二つを含むこと
のうちの少なくとも一つを有し、
前記第１のＣＱＩ表が、最大６４の変調次数を有するＣＱＩ表、最大１６の変調次数を有するＣＱＩ表、又はロングタームエボリューション（ＬＴＥ）リリース８における４ビットＣＱＩ表のうちの少なくとも一つを含む請求項２０に記載の装置。
【請求項２２】
前記第２のＣＱＩ表が以下の特徴、即ち、
ｒの最小値が１／１０２４未満であること、
ｒの前記最小値が１／２０４８、１／４０９６又は１／３０７２に等しいこと、
ＱＰＳＫとｒ＝４４９／１０２４の組み合わせが除外されること、
前記第２のＣＱＩ表が、ＱＰＳＫとｒ＝４４９／１０２４の組み合わせを除く、前記第１のＣＱＩ表におけるＱＰＳＫと符号レートの組み合わせを全て含むこと、
前記第２のＣＱＩ表が前記第１のＣＱＩ表における１６ＱＡＭと符号レートの組み合わせを一つ含むこと、
前記第２のＣＱＩ表が１６ＱＡＭと符号レート４９０／１０２４の組み合わせ及び１６ＱＡＭと符号レート６１６／１０２４の組み合わせのうちの一つを含むこと、
前記第２のＣＱＩ表において隣接する組み合わせの全てのペアにおけるスペクトル効率比のうち、最後の組み合わせと最後から２番目の組み合わせのペアにおけるスペクトル効率比が最も高いこと、
前記第２のＣＱＩ表において隣接する組み合わせの全てのペアにおけるスペクトル効率比のうち、第２の組み合わせと第１の組み合わせのペアにおけるスペクトル効率比が最も高いこと、
前記第２のＣＱＩ表において隣接する組み合わせの全てのペアにおけるスペクトル効率比のうち、最後の組み合わせと最後から２番目の組み合わせのペアにおけるスペクトル効率比及び第２の組み合わせと第１の組み合わせのペアにおけるスペクトル効率比が、他の組み合わせのペアにおけるスペクトル効率比より高いこと、
前記第２のＣＱＩ表において隣接する組み合わせの全てのペアにおけるスペクトル効率比のうち、最後の組み合わせと最後から２番目の組み合わせのペアにおけるスペクトル効率比及び最後から３番目の組み合わせと最後から２番目の組み合わせのペアにおけるスペクトル効率比が、他の組み合わせのペアにおけるスペクトル効率比より高いこと、
前記第２のＣＱＩ表において隣接する組み合わせの全てのペアにおけるスペクトル効率比のうち、第２の組み合わせと第１の組み合わせのペアにおけるスペクトル効率比及び第３の組み合わせと第２の組み合わせのペアにおけるスペクトル効率比が、他の組み合わせのペアにおけるスペクトル効率比より高いこと、
最新のＣＱＩが前記第１のＣＱＩ表を基本とし、該ＣＱＩが範囲外状態を意味する値を有する場合に、現在のＣＱＩが前記第２のＣＱＩ表に基づく別のＣＱＩのフィードバックをトリガーすること、
前記ＣＱＩ表がさらに、より低いスペクトル効率を有する変調スキームと符号レートの組み合わせから成る第３のＣＱＩ表をも含み、最新のＣＱＩが前記第２のＣＱＩ表を基本とし、該ＣＱＩが範囲外状態を意味する値を有する場合に、現在のＣＱＩが前記第３のＣＱＩ表に基づく別のＣＱＩのフィードバックをトリガーすること、
前記第２のＣＱＩ表が二通りの範囲外状態、即ち最も低いスペクトル効率に付随する変調スキームと符号レートの組み合わせよりも低い状態、及び最も高いスペクトル効率に付随する変調スキームと符号レートの組み合わせよりも高い状態を含むこと、
前記第２のＣＱＩ表における変調スキームと符号レートのＮ１通りの連続的組み合わせからの隣接する組み合わせのどのペアのスペクトル効率比も、前記第１のＣＱＩ表における変調スキームと符号レートのＮ２通りの連続的組み合わせからの隣接する組み合わせのあらゆるペアのスペクトル効率比よりも高い（ただしＮ１及びＮ２はそれぞれ２以上の整数である）こと、又は
前記第２のＣＱＩ表の中間における変調スキームと符号レートのＮ３通りの連続的組み合わせからの隣接する組み合わせの各ペアのスペクトル効率比が、前記第２のＣＱＩ表における最初のＮ４通りの連続的組み合わせ及び最後のＮ５通りの連続的組み合わせからの隣接する組み合わせのあらゆるペアのスペクトル効率比よりも低い（ただしＮ３、Ｎ４及びＮ５はそれぞれ２以上の整数である）こと
のうちの少なくとも一つを有する請求項２１に記載の装置。
【請求項２３】
前記ＣＱＩ表が第１のＣＱＩ表、第４のＣＱＩ表及び第５のＣＱＩ表を含み、前記第４のＣＱＩ表及び前記第５のＣＱＩ表が以下の組み合わせ、即ち、
前記第４のＣＱＩ表が２ｘの値を有し、前記第４のＣＱＩ表における各ＣＱＩがｘビットで表わされ、変調スキームと符号レートのＬ１通りの組み合わせが、前記第１のＣＱＩ表における変調スキームと符号レートのＬ２通りの組み合わせを除き、前記第４のＣＱＩ表における変調スキームと符号レートの最後のＬ１通りの組み合わせとして使用され、前記第４のＣＱＩ表における変調スキームと符号レートの最初のＬ２通りの組み合わせがＱＰＳＫと符号レートｒの組み合わせであり（ただしＬ１とＬ２はそれぞれ１より大きい正の整数であり、ｒは７８／１０２４より小さい実数であり、Ｌ１＋Ｌ２≦１５、且つｘ≦４である）、前記第５のＣＱＩ表が２ｙの値を有し、前記第５のＣＱＩ表における各ＣＱＩがｙビットで表わされ、変調スキームと符号レートのＬ３通りの組み合わせが、前記第４のＣＱＩ表における変調スキームと符号レートのＬ４通りの組み合わせを除き、前記第５のＣＱＩ表における変調スキームと符号レートの最後のＬ３通りの組み合わせとして使用され、前記第５のＣＱＩ表における変調スキームと符号レートの最初のＬ４通りの組み合わせがＱＰＳＫと符号レートｒの組み合わせである（ただしＬ３とＬ４はそれぞれ１より大きい正の整数であり、ｒは７８／１０２４より小さい実数であり、Ｌ３＋Ｌ４≦１５、且つｙ≦４である）こと、
前記第４のＣＱＩ表が２ｘの値を有し、前記第４のＣＱＩ表における各ＣＱＩがｘビットで表わされ、変調スキームと符号レートのＬ１通りの組み合わせが、前記第１のＣＱＩ表における変調スキームと符号レートのＬ２通りの組み合わせを除き、前記第４のＣＱＩ表における変調スキームと符号レートの最後のＬ１通りの組み合わせとして使用され、前記第４のＣＱＩ表における変調スキームと符号レートの最初のＬ２通りの組み合わせがＢＰＳＫと符号レートｒの組み合わせであり（ただしＬ１とＬ２はそれぞれ１より大きい正の整数であり、ｒは１５６／１０２４より小さい実数であり、Ｌ１＋Ｌ２≦１５、且つｘ≦４である）、前記第５のＣＱＩ表が２ｙの値を有し、前記第５のＣＱＩ表における各ＣＱＩがｙビットで表わされ、変調スキームと符号レートのＬ３通りの組み合わせが、前記第４のＣＱＩ表における変調スキームと符号レートのＬ４通りの組み合わせを除き、前記第５のＣＱＩ表における変調スキームと符号レートの最後のＬ３通りの組み合わせとして使用され、前記第５のＣＱＩ表における変調スキームと符号レートの最初のＬ４通りの組み合わせがＢＰＳＫと符号レートｒの組み合わせである（ただしＬ３とＬ４はそれぞれ１より大きい正の整数であり、ｒは１５６／１０２４より小さい実数であり、Ｌ３＋Ｌ４≦１５、且つｙ≦４である）こと、
前記第４のＣＱＩ表が２ｘの値を有し、前記第４のＣＱＩ表における各ＣＱＩがｘビットで表わされ、変調スキームと符号レートのＬ１通りの組み合わせが、前記第１のＣＱＩ表における変調スキームと符号レートのＬ２通りの組み合わせを除き、前記第４のＣＱＩ表における変調スキームと符号レートの最後のＬ１通りの組み合わせとして使用され、前記第４のＣＱＩ表における変調スキームと符号レートの最初のＬ２通りの組み合わせがＢＰＳＫと符号レートｒのＬ２１通りの組み合わせ及びＱＰＳＫと符号レートｒのＬ２２通りの組み合わせを含み（ただしＬ１とＬ２はそれぞれ１より大きい正の整数であり、Ｌ２＝Ｌ２１＋Ｌ２２であり、ｒは１５６／１０２４より小さい実数であり、Ｌ１＋Ｌ２≦１５、且つｘ≦４である）、前記第５のＣＱＩ表が２ｙの値を有し、前記第５のＣＱＩ表における各ＣＱＩがｙビットで表わされ、変調スキームと符号レートのＬ３通りの組み合わせが、前記第４のＣＱＩ表における変調スキームと符号レートのＬ４通りの組み合わせを除き、前記第５のＣＱＩ表における変調スキームと符号レートの最後のＬ３通りの組み合わせとして使用され、前記第５のＣＱＩ表における変調スキームと符号レートの最初のＬ４通りの組み合わせがＢＰＳＫと符号レートｒのＬ４１通りの組み合わせ及びＱＰＳＫと符号レートｒのＬ４２通りの組み合わせを含む（ただしＬ３とＬ４はそれぞれ１より大きい正の整数であり、Ｌ２＝Ｌ４１＋Ｌ４２であり、ｒは１５６／１０２４より小さい実数であり、Ｌ３＋Ｌ４≦１５、且つｙ≦４である）こと、又は
前記第１のＣＱＩ表が変調スキームと符号レートのＬ１通りの組み合わせを含み、前記第４のＣＱＩ表が変調スキームと符号レートのＬ２通りの組み合わせを含み、前記第５のＣＱＩ表が変調スキームと符号レートのＬ２通りの組み合わせを含み（ただしＬ１とＬ２はそれぞれ７以上の整数であり、Ｌ２＜Ｌ１／２である）、前記第４のＣＱＩ表における変調スキームと符号レートの全ての組み合わせ及び前記第５のＣＱＩ表における変調スキームと符号レートの全ての組み合わせがそれぞれ、前記第１のＣＱＩ表における変調スキームと符号レートの全ての組み合わせのサブセットであること
のうちの一つを含み、
前記第１のＣＱＩ表が、最大６４の変調次数を有するＣＱＩ表、最大１６の変調次数を有するＣＱＩ表、又はロングタームエボリューション（ＬＴＥ）リリース８における４ビットＣＱＩ表のうちの少なくとも一つを含む請求項２０に記載の装置。
【請求項２４】
前記第４のＣＱＩ表及び前記第５のＣＱＩ表が以下の特徴、即ち、
前記第５のＣＱＩ表における符号レートの最小値が前記第４のＣＱＩ表における符号レートの最小値より小さいこと、
前記第５のＣＱＩ表における符号レートの前記最小値が１／１０２４以下であること、
前記第４のＣＱＩ表における符号レートの前記最小値が１／１０２４以下であること、
前記第４のＣＱＩ表がＱＰＳＫとｒ＝４４９／１０２４の組み合わせを含むこと、
前記第４のＣＱＩ表が前記第１のＣＱＩ表におけるＱＰＳＫと符号レートの組み合わせを全て含むこと、
前記第５のＣＱＩ表が前記第１のＣＱＩ表におけるＱＰＳＫと符号レートの組み合わせを全く含まないこと、
前記第５のＣＱＩ表が、前記第４のＣＱＩ表に含まれるが前記第１のＣＱＩ表に含まれないＱＰＳＫと符号レートの組み合わせを全て含むこと、
前記第４のＣＱＩ表が前記第１のＣＱＩ表における１６ＱＡＭと符号レートの少なくとも一つの組み合わせを含むこと、
前記第４のＣＱＩ表において隣接する組み合わせの全てのペアにおけるスペクトル効率比のうち、最後の組み合わせと最後から２番目の組み合わせのペアにおけるスペクトル効率比が最も高いこと、
前記第４のＣＱＩ表において隣接する組み合わせの全てのペアにおけるスペクトル効率比のうち、第２の組み合わせと第１の組み合わせのペアにおけるスペクトル効率比が最も高いこと、
前記第４のＣＱＩ表において隣接する組み合わせの全てのペアにおけるスペクトル効率比のうち、最後の組み合わせと最後から２番目の組み合わせのペアにおけるスペクトル効率比及び第２の組み合わせと第１の組み合わせのペアにおけるスペクトル効率比が、他の組み合わせのペアにおけるスペクトル効率比より高いこと、
前記第４のＣＱＩ表において隣接する組み合わせの全てのペアにおけるスペクトル効率比のうち、最後の組み合わせと最後から２番目の組み合わせのペアにおけるスペクトル効率比及び最後から３番目の組み合わせと最後から２番目の組み合わせのペアにおけるスペクトル効率比が、他の組み合わせのペアにおけるスペクトル効率比より高いこと、
前記第４のＣＱＩ表において隣接する組み合わせの全てのペアにおけるスペクトル効率比のうち、第２の組み合わせと第１の組み合わせのペアにおけるスペクトル効率比及び第３の組み合わせと第２の組み合わせのペアにおけるスペクトル効率比が、他の組み合わせのペアにおけるスペクトル効率比より高いこと、
現在のＣＱＩ又は最新のＣＱＩが前記第１のＣＱＩ表を基本とし、該ＣＱＩが範囲外状態を意味する値を有する場合に、現在のＣＱＩが前記第４のＣＱＩ表に基づく別のＣＱＩのフィードバックをトリガーすること、又は
現在のＣＱＩ又は最新のＣＱＩが前記第４のＣＱＩ表を基本とし、該ＣＱＩが範囲外状態を意味する値を有する場合に、現在のＣＱＩが前記第５のＣＱＩ表に基づく別のＣＱＩのフィードバックをトリガーすること
のうちの少なくとも一つを有する請求項２３に記載の装置。
【発明の詳細な説明】
【技術分野】
【０００１】
本開示は、通信技術に関し、より詳細には、チャネル品質表示（ＣＱＩ）情報の受信方法及び装置、並びにＣＱＩ情報の送信方法及び装置に関するが、それらに限定されない。
【背景技術】
【０００２】
移動通信システムでは、無線フェージングチャネルの時変特性に起因する大幅な不確実性が通信プロセスに関係し得る。一方では、システムスループットの増加を目的に、伝送速度が高い条件での高次変調及び低冗長性誤差補正符号化を通信技術に採用することができる。この形態では実際、無線フェージングチャネルの信号対雑音比（ＳＮＲ）が理想的であれば、システムスループットを大幅に増やすことができる。他方では、通信の信頼性の保証を目的に、伝送速度が低い条件での低次変調及び高冗長性誤差補正符号化を採用して、無線ディープフェージングチャネルにおける信頼性の高い通信を提供することができる。しかし、チャネルのＳＮＲが高いと、低い伝送速度がシステムスループットの増加を制約する結果、リソースが無駄になってしまう。移動通信技術開発の初期の頃は、無線フェージングチャネルの時変特性対策として、送信機の送信出力を高め、低次、高冗長性の変調及び符号化スキームを使用して、ディープフェージングチャネルにおける通信品質を保証するのが精一杯で、システムスループットを増やす余地はなかった。技術の進歩に伴い、適応符号化変調として知られる技法が登場し、これは最良の通信効果を達成できるよう、チャネル条件に基づいて送信出力、変調符号化スキーム及びデータフレーム長を適応的に調節することにより、チャネルの時変特性を克服し得る技法である。これは最も典型的なリンク適応技法である。
【０００３】
ロングタームエボリューション（ＬＴＥ）システムでは、アップリンクで送信される制御信号に承認／否認（ＡＣＫ／ＮＡＣＫ）メッセージ、並びにダウンリンク物理チャネル向けの三種類のチャネル状態情報（ＣＳＩ）表示、即ちチャネル品質表示（ＣＱＩ）、事前符号化行列インジケータ（ＰＭＩ）、及びランクインジケータ（ＲＩ）が含まれる。
【０００４】
【表１】
2018531545.tif 000003
【０００５】
ＣＱＩは、ダウンリンクチャネルの品質を示す一つの指標である。上記の表１に記載の通り、ＣＱＩは第３６．２１３号仕様において０〜１５の範囲の整数値で表わされる。これらの整数値は、表１に記載の通り、各々の変調符号化スキーム（ＭＣＳ）に対応する様々なＣＱＩレベルを表わす。
【０００６】
上記の表１において、ＱＡＭは直角位相振幅変調を意味し、ＱＰＳＫは直角位相シフトキーイングを意味する。これらはデジタル変調スキームである。
【０００７】
ＣＱＩレベルは、対応するＭＣＳに合わせて、該ＣＱＩに対応する物理ダウンリンク共有チャネル（ＰＤＳＣＨ）のトランスポートブロック（ＴＢ）におけるブロック誤り率（ＢＬＥＲ）が０．１より低くなるように選択されるべきである。
【０００８】
周波数領域及び時間領域における非限定的検出間隔に基づき、ユーザー機器（ＵＥ）が取得し得る最高のＣＱＩ値は、アップリンクサブフレームにおいて報告される最高のＣＱＩ値ｎに相当する。ＣＱＩ指数は、或る特定の条件が満たされれば１〜１５の範囲の値となるが、ＣＱＩ指数１が該条件を満たさない場合、ＣＱＩ指数は０である。該条件とは、単一のＰＤＳＣＨ  ＴＢの受信時における誤り率が０．１より低く、該ＰＤＳＣＨ  ＴＢが、一つのＣＱＩ指数及び一連の占有されるダウンリンクの物理リソースブロック（ＲＰＢ）（即ちＣＱＩ参照リソース）に呼応する変調スキーム及びトランスポートブロックサイズ（ＴＢＳ）の結合情報を含むことである。本発明では、最高のＣＱＩ値は０．１より低いＢＬＥＲを保証し得る最大のＣＱＩ値であり、これはリソース配分の制御において有利である。概して、ＣＱＩ値が小さいほど、より多くのリソースが占有され、ＢＬＥＲ性能が向上する。
【０００９】
ＣＱＩ参照リソースにおけるＰＤＳＣＨ送信向けにＴＢＳ及び変調スキームの結合情報を対応するＴＢＳに応じてシグナリング可能であれば、ＣＱＩ指数は係る結合情報に相当する。変調スキームからの結果的な有効チャネル符号化速度は、ＣＱＩ指数で表わすことができる最も近い有効チャネル符号化速度を指し、変調スキームはＣＱＩ指数によって表わされ、参照リソース内のＴＢＳ及び変調スキームの結合情報を使用する。複数の結合情報が、近接度が同等の、ＣＱＩで表わされる有効チャネル符号化速度を生成し得る場合、ＴＢＳが最も小さい結合情報が使用され得る。
【００１０】
各ＣＱＩ指数は一つの変調スキームと一つのＴＢＳに呼応する。ＴＢＳとＰＲＢ数（ＮＰＲＢ）との間の対応を表形式で表わすことができる。符号化速度はＴＢＳ及びＮＰＲＢ値から算出することができる。
【００１１】
ＬＴＥシステムでは、物理アップリンク制御チャネル（ＰＵＣＣＨ）上でＡＣＫ／ＮＡＣＫメッセージが１／１ａ／１ｂのＰＵＣＣＨ形式で送信される。或る端末（例えばＵＥ）がアップリンクデータの送信を必要とする場合、データは物理アップリンク共有チャネル（ＰＵＳＣＨ）上で送信され得る。ＣＱＩ、ＰＭＩ又はＲＩのフィードバックは周期的でも非周期的でもよい。これは周期的フィードバック及び非周期的フィードバックにそれぞれ対応する物理アップリンクチャネルを示す表２から理解できる。
【００１２】
【表２】
2018531545.tif 000004
【００１３】
本発明では、ＣＱＩ、ＰＭＩ又はＲＩの周期的フィードバックは、ＵＥがアップリンクデータを送信する必要がない場合はＰＵＣＣＨ上で２／２ａ／２ｂのＰＵＣＣＨ形式で送信される、又はＵＥがアップリンクデータを送信する必要がある場合はＰＵＳＣＨ上で送信され得る。ＣＱＩ、ＰＭＩ又はＲＩの非周期的フィードバックは、ＰＵＳＣＨ上に限り送信され得る。
【００１４】
ＬＴＥリリース８規格では、三種類の物理ダウンリンクチャネル、即ち物理制御形式インジケータチャネル（ＰＣＦＩＣＨ）、物理ハイブリッド自動再送信要求インジケータチャネル（ＰＨＩＣＨ）及び物理ダウンリンク制御チャネル（ＰＤＣＣＨ）が定義されている。ＰＤＣＣＨは、アップリンク及びダウンリンクのスケジューリング情報並びにアップリンクの出力制御情報を含むダウンリンク制御情報（ＤＣＩ）を搬送する。多数のＤＣＩ形式が存在し、例としてＤＣＩ形式０、ＤＣＩ形式１、ＤＣＩ形式１Ａ、ＤＣＩ形式１Ｂ、ＤＣＩ形式１Ｃ、ＤＣＩ形式１Ｄ、ＤＣＩ形式２、ＤＣＩ形式２Ａ、ＤＣＩ形式２Ｂ、ＤＣＩ形式２Ｃ、ＤＣＩ形式２Ｄ、ＤＣＩ形式３、ＤＣＩ形式３Ａなどが挙げられる。
【００１５】
ＬＴＥでは、例えば符号化変調スキーム、リソース配分位置、ハイブリッド自動反復要求（ＨＡＲＱ）など、ダウンリンク制御信号経由でのダウンリンク制御情報を定義するよう要求される。符号化変調スキームは、基地局によるダウンリンクスケジューリングを介して判定され得る。代替的に、変調及びＴＢＳに関する表が規格において定義されている。表内の各行がＭＣＳ指数に呼応する。ＭＣＳ指数毎に、変調及びＴＢＳに関する表ではＬＴＥ規格第３６．２１３号を参照しつつ、変調スキームと符号レートの組み合わせを定義している。本質的に、ＭＣＳ指数はスペクトル効率に関連付けられる。ＭＣＳ指数はＣＱＩ値を基準に選択されなければならず、実際、基地局は各々のスペクトル効率を考慮する必要がある。基地局はＭＣＳ指数を判定した後、リソース配分情報を判定する必要があり、この情報から、ダウンリンク送信によって占有されるＰＲＢ数（ＮＰＲＢ）が分かる。ＬＴＥ規格にはさらに、所定のＭＣＳ及びＮＰＲＢ毎にＴＢＳを定義するＴＢＳ表も記載されている。これらの符号化復調パラメータを使用して、ダウンリンク符号化変調を実行することができる。
【００１６】
リリース１０（Ｒ１０）では、ＵＥ特異的な検索空間内でのＰＤＣＣＨの表示に従ってＰＤＳＣＨデータ送信を受信できるよう、以下に挙げる送信モードのうちのいずれか一つに該当する上位層シグナリングを介して、ＵＥを準静的に構成設定することができる。
【００１７】
送信モード１：シングルアンテナポート、ポート０。
【００１８】
送信モード２：送信ダイバーシティ。
【００１９】
送信モード３：開ループ空間多重化。
【００２０】
送信モード４：閉ループ空間多重化。
【００２１】
送信モード５：多重ユーザー多重入力多重出力（ＭＩＭＯ）。
【００２２】
送信モード６：閉ループランク＝１事前符号化。
【００２３】
送信モード７：シングルアンテナポート、ポート５。
【００２４】
送信モード８：二重ストリーム送信、即ち二重ストリームビーム形成。
【００２５】
送信モード９：最大８層の送信。
【００２６】
送信モード１０：最大８層のＣＯＭＰ機能付き送信。
【００２７】
リリース８／９／１０／１１／１２を経て、ＬＴＥシステムはリリース１３に向かって進化し続けている。リリース１３規格の進化過程では、マシン型通信（ＭＴＣ）が極めて重要なトピックとなる。ＭＴＣ端末には通常のＭＴＣ端末と、有効範囲拡張を用いるＭＴＣ端末が含まれる。その上、第５世代（５Ｇ）移動通信システムでは新たな無線アクセス技術（ＲＡＴ）、即ちＮＲも注目を集めている。
【００２８】
関連規格では、アップリンク及びダウンリンクにおいて最大６４ＱＡＭの変調符号化スキームに対応可能である。ＭＴＣ端末又は５Ｇ端末の開発に伴い、有効範囲拡張を用いるＭＴＣ端末又は５Ｇ端末は、より高いデータ送信信頼性、より優れた有効範囲及びより低いデータ送信速度を必要とし、関連規格ではこれらを満たすことができない。
【００２９】
現在、関連技術分野では上述の問題に対する効果的な解決策が存在しない。
【発明の概要】
【課題を解決するための手段】
【００３０】
本開示に記載の主題の概要を以下に記載する。特許請求の範囲はこの概要に限定されない。
【００３１】
本開示の実施形態は、有効範囲拡張を用いるＭＴＣ端末及び５Ｇ端末に要求される、より高いデータ送信信頼性及びより低いデータ送信速度を提供し得る、ＣＱＩ情報の受信方法及び装置、並びにＣＱＩ情報の送信方法及び装置を提供する。
【００３２】
本開示の実施形態の一態様において、チャネル品質表示（ＣＱＩ）情報の受信方法が提供される。該方法は、上位層構成シグナリングメッセージを端末に送信するステップと、ＣＱＩ情報を端末から受信するステップとを含む。ＣＱＩ情報は、上位層構成シグナリングメッセージに基づいて取得されるＣＱＩ表に基づいて判定される。
【００３３】
任意選択で、上位層構成シグナリングメッセージは以下の情報、即ち、有効範囲レベルシグナリング、チャネル状態情報（ＣＳＩ）参照リソースに占有されるサブフレーム数、ダウンリンク制御チャネル向けの反復数、ダウンリンクデータ共有チャネル向けの反復数、物理ランダムアクセスチャネル（ＰＲＡＣＨ）向けの反復数、ＣＱＩ表選択シグナリング、端末カテゴリー、シナリオ表示シグナリング、周波数帯域表示シグナリング、又はチャネル符号化種別表示情報のうちの少なくとも一つを含み得る。有効範囲レベルシグナリングは、以下の有効範囲、即ち、通常の有効範囲若しくは拡張有効範囲、通常の有効範囲、中程度の有効範囲若しくは深い有効範囲、又は通常の有効範囲、低い拡張有効範囲、中程度の拡張有効範囲若しくは高い拡張有効範囲のうちの一つを含む有効範囲レベルを意味する。シナリオ表示シグナリングは、拡張モバイルブロードバンド（ｅＭＢＢ）シナリオ、超高信頼低遅延通信（ＵＲＬＬＣ）シナリオ又は大容量マシン型通信（ｍＭＴＣ）シナリオを意味する。周波数帯域表示シグナリングは、様々な範囲の搬送波周波数を意味する。チャネル符号化種別表示情報は、低密度パリティ検査（ＬＤＰＣ）符号、ターボ符号、畳み込み符号又は極性符号のうちのいずれか二つを含む様々なチャネル符号化種別を意味する。
【００３４】
任意選択で、ＣＱＩ表は第１のＣＱＩ表及び第２のＣＱＩ表を含み得る。第２のＣＱＩ表は以下の特徴、即ち、
第２のＣＱＩ表が２ｘの値を有し、第２のＣＱＩ表における各ＣＱＩがｘビットで表わされ、変調スキームと符号レートのＬ１通りの組み合わせが、第１のＣＱＩ表における変調スキームと符号レートのＬ２通りの組み合わせを除き、第２のＣＱＩ表における変調スキームと符号レートの最後のＬ１通りの組み合わせとして使用され、第２のＣＱＩ表における変調スキームと符号レートの最初のＬ２通りの組み合わせが、４位相シフトキーイング（ＱＰＳＫ）と符号レートｒの組み合わせである（ただしＬ１とＬ２はそれぞれ０以上の整数であり、ｒは７８／１０２４より小さい実数であり、Ｌ１＋Ｌ２≦１５、且つｘ≦４である）こと、
第２のＣＱＩ表が２ｘの値を有し、第２のＣＱＩ表における各ＣＱＩがｘビットで表わされ、変調スキームと符号レートのＬ１通りの組み合わせが、第１のＣＱＩ表における変調スキームと符号レートのＬ２通りの組み合わせを除き、第２のＣＱＩ表における変調スキームと符号レートの最後のＬ１通りの組み合わせとして使用され、第２のＣＱＩ表における変調スキームと符号レートの最初のＬ２通りの組み合わせが、二位相シフトキーイング（ＢＰＳＫ）と符号レートｒの組み合わせである（ただしＬ１とＬ２はそれぞれ０以上の整数であり、ｒは１５６／１０２４より小さい実数であり、Ｌ１＋Ｌ２≦１５、且つｘ≦４である）こと、
第２のＣＱＩ表が２ｘの値を有し、第２のＣＱＩ表における各ＣＱＩがｘビットで表わされ、変調スキームと符号レートのＬ１通りの組み合わせが、第１のＣＱＩ表における変調スキームと符号レートのＬ２通りの組み合わせを除き、第２のＣＱＩ表における変調スキームと符号レートの最後のＬ１通りの組み合わせとして使用され、第２のＣＱＩ表における変調スキームと符号レートの最初のＬ２通りの組み合わせが、ＢＰＳＫと符号レートｒのＬ２１通りの組み合わせ及びＱＰＳＫと符号レートｒのＬ２２通りの組み合わせを含む（ただしＬ１とＬ２はそれぞれ０以上の整数であり、Ｌ２＝Ｌ２１＋Ｌ２２であり、ｒは１５６／１０２４より小さい実数であり、Ｌ１＋Ｌ２≦１５、且つｘ≦４である）こと、
第２のＣＱＩ表が２ｘの値を有し、第２のＣＱＩ表における各ＣＱＩがｘビットで表わされ、第１のＣＱＩ表が変調スキームと符号レートの合計Ｌ１通りの組み合わせを含み、変調スキームと符号レートのＬ１通りの組み合わせが第２のＣＱＩ表における変調スキームと符号レートの最初又は最後のＬ１通りの組み合わせとして使用され、第２のＣＱＩ表における変調スキームと符号レートの残りのＬ２通りの組み合わせがＢＰＳＫと符号レートｒのＬ２１通りのタイプ１の組み合わせ及びＱＰＳＫと符号レートｒのＬ２２通りのタイプ２の組み合わせを含む（ただしＬ１とＬ２はそれぞれ０より大きい整数であり、Ｌ２１とＬ２２はそれぞれ０以上の整数であり、Ｌ２＝Ｌ２１＋Ｌ２２であり、ｒは１５６／１０２４より小さい実数であり、Ｌ１＋Ｌ２≦１５、且つｘ≦４である）こと、
第１のＣＱＩ表が変調スキームと符号レートの合計Ｌ１通りの組み合わせを含み、第２のＣＱＩ表が変調スキームと符号レートの合計Ｌ２通りの組み合わせを含み、Ｌ２通りの組み合わせがＬ１通りの組み合わせのサブセットである（ただし８≦Ｌ１≦１５、Ｌ２≦７であり、Ｌ１とＬ２はそれぞれ０より大きい整数であり、第１のＣＱＩ表における最も高次の変調スキームは６４直角位相振幅変調（ＱＡＭ）であり、第２のＣＱＩ表における最も高次の変調スキームは１６ＱＡＭである）こと、又は
第１のＣＱＩ表及び第２のＣＱＩ表が変調スキームと符号レートの合計Ｌ１＝７通りの組み合わせを含み、第１のＣＱＩ表における変調スキームがＱＰＳＫと１６ＱＡＭを含み、第２のＣＱＩ表における変調スキームがＱＰＳＫ及び／又はＢＰＳＫを含み、第２のＣＱＩ表が第１のＣＱＩ表における第１、第３、第５及び第７の組み合わせのうちの少なくとも二つ、若しくは第１のＣＱＩ表における第２、第４、第６の組み合わせのうちの少なくとも二つを含むこと
のうちの少なくとも一つを有し得る。
【００３５】
本発明では、第１のＣＱＩ表は、最大６４の変調次数を有するＣＱＩ表、最大１６の変調次数を有するＣＱＩ表、又はロングタームエボリューション（ＬＴＥ）リリース８における４ビットＣＱＩ表のうちの少なくとも一つを含み得る。
【００３６】
任意選択で、第２のＣＱＩ表は以下の特徴、即ち、
ｒの最小値が１／１０２４未満であること、
ｒの最小値が１／２０４８、１／４０９６又は１／３０７２に等しいこと、
ＱＰＳＫとｒ＝４４９／１０２４の組み合わせが除外されること、
第２のＣＱＩ表が、ＱＰＳＫとｒ＝４４９／１０２４の組み合わせを除く、第１のＣＱＩ表におけるＱＰＳＫと符号レートの組み合わせを全て含むこと、
第２のＣＱＩ表が第１のＣＱＩ表における１６ＱＡＭと符号レートの組み合わせを一つ含むこと、
第２のＣＱＩ表が１６ＱＡＭと符号レート４９０／１０２４の組み合わせ及び１６ＱＡＭと符号レート６１６／１０２４の組み合わせのうちの一つを含むこと、
第２のＣＱＩ表において隣接する組み合わせの全てのペアにおけるスペクトル効率比のうち、最後の組み合わせと最後から２番目の組み合わせのペアにおけるスペクトル効率比（最後の組み合わせのスペクトル効率と最後から２番目の組み合わせのスペクトル効率との比率と定義される）が最も高いこと、
第２のＣＱＩ表において隣接する組み合わせの全てのペアにおけるスペクトル効率比のうち、第２の組み合わせと第１の組み合わせのペアにおけるスペクトル効率比（第２の組み合わせのスペクトル効率と第１の組み合わせのスペクトル効率との比率と定義される）が最も高いこと、
第２のＣＱＩ表において隣接する組み合わせの全てのペアにおけるスペクトル効率比のうち、最後の組み合わせと最後から２番目の組み合わせのペアにおけるスペクトル効率比及び第２の組み合わせと第１の組み合わせのペアにおけるスペクトル効率比が、他の組み合わせのペアにおけるスペクトル効率比より高いこと、
第２のＣＱＩ表において隣接する組み合わせの全てのペアにおけるスペクトル効率比のうち、最後の組み合わせと最後から２番目の組み合わせのペアにおけるスペクトル効率比及び最後から３番目の組み合わせと最後から２番目の組み合わせのペアにおけるスペクトル効率比（最後から３番目の組み合わせのスペクトル効率と最後から２番目の組み合わせのスペクトル効率との比率と定義される）が、他の組み合わせのペアにおけるスペクトル効率比より高いこと、
第２のＣＱＩ表において隣接する組み合わせの全てのペアにおけるスペクトル効率比のうち、第２の組み合わせと第１の組み合わせのペアにおけるスペクトル効率比及び第３の組み合わせと第２の組み合わせのペアにおけるスペクトル効率比（第３の組み合わせのスペクトル効率と第２の組み合わせのスペクトル効率との比率と定義される）が、他の組み合わせのペアにおけるスペクトル効率比より高いこと、
最新のＣＱＩが第１のＣＱＩ表を基本とし、該ＣＱＩが範囲外状態を意味する値を有する場合に、現在のＣＱＩが第２のＣＱＩ表に基づく別のＣＱＩのフィードバックをトリガーすること、
ＣＱＩ表がさらに、より低いスペクトル効率を有する変調スキームと符号レートの組み合わせから成る第３のＣＱＩ表をも含み、最新のＣＱＩが第２のＣＱＩ表を基本とし、該ＣＱＩが範囲外状態を意味する値を有する場合に、現在のＣＱＩが第３のＣＱＩ表に基づく別のＣＱＩのフィードバックをトリガーすること、
第２のＣＱＩ表が二通りの範囲外状態、即ち最も低いスペクトル効率に付随する変調スキームと符号レートの最も低い組み合わせよりも低い状態、及び最も高いスペクトル効率に付随する変調スキームと符号レートの最も高い組み合わせよりも高い状態を含むこと、
第２のＣＱＩ表における変調スキームと符号レートのＮ１通りの連続的組み合わせからの隣接する組み合わせのどのペアのスペクトル効率比も、第１のＣＱＩ表における変調スキームと符号レートのＮ２通りの連続的組み合わせからの隣接する組み合わせのあらゆるペアのスペクトル効率比より高い（ただしＮ１及びＮ２はそれぞれ２以上の整数である）こと、又は
第２のＣＱＩ表の中間における変調スキームと符号レートのＮ３通りの連続的組み合わせからの隣接する組み合わせの各ペアのスペクトル効率比が、第２のＣＱＩ表における最初のＮ４通りの連続的組み合わせ及び最後のＮ５通りの連続的組み合わせからの隣接する組み合わせのあらゆるペアのスペクトル効率比よりも低い（ただしＮ３、Ｎ４及びＮ５はそれぞれ２以上の整数である）こと
のうちの少なくとも一つを有し得る。
【００３７】
任意選択で、ＣＱＩ表は第１のＣＱＩ表、第４のＣＱＩ表及び第５のＣＱＩ表を含み得る。第４のＣＱＩ表及び第５のＣＱＩ表は以下の組み合わせ、即ち、
第４のＣＱＩ表が２ｘの値を有し、第４のＣＱＩ表における各ＣＱＩがｘビットで表わされ、変調スキームと符号レートのＬ１通りの組み合わせが、第１のＣＱＩ表における変調スキームと符号レートのＬ２通りの組み合わせを除き、第４のＣＱＩ表における変調スキームと符号レートの最後のＬ１通りの組み合わせとして使用され、第４のＣＱＩ表における変調スキームと符号レートの最初のＬ２通りの組み合わせがＱＰＳＫと符号レートｒの組み合わせであり（ただしＬ１とＬ２はそれぞれ１より大きい正の整数であり、ｒは７８／１０２４より小さい実数であり、Ｌ１＋Ｌ２≦１５、且つｘ≦４である）、第５のＣＱＩ表が２ｙの値を有し、第５のＣＱＩ表における各ＣＱＩがｙビットで表わされ、変調スキームと符号レートのＬ３通りの組み合わせが、第５のＣＱＩ表における変調スキームと符号レートのＬ４通りの組み合わせを除き、第４のＣＱＩ表における変調スキームと符号レートの最後のＬ３通りの組み合わせとして使用され、第５のＣＱＩ表における変調スキームと符号レートの最初のＬ４通りの組み合わせがＱＰＳＫと符号レートｒの組み合わせである（ただしＬ３とＬ４はそれぞれ１より大きい正の整数であり、ｒは７８／１０２４より小さい実数であり、Ｌ３＋Ｌ４≦１５、且つｙ≦４である）こと、
第４のＣＱＩ表が２ｘの値を有し、第４のＣＱＩ表における各ＣＱＩがｘビットで表わされ、変調スキームと符号レートのＬ１通りの組み合わせが、第１のＣＱＩ表における変調スキームと符号レートのＬ２通りの組み合わせを除き、第４のＣＱＩ表における変調スキームと符号レートの最後のＬ１通りの組み合わせとして使用され、第４のＣＱＩ表における変調スキームと符号レートの最初のＬ２通りの組み合わせがＢＰＳＫと符号レートｒの組み合わせであり（ただしＬ１とＬ２はそれぞれ１より大きい正の整数であり、ｒは１５６／１０２４より小さい実数であり、Ｌ１＋Ｌ２≦１５、且つｘ≦４である）、第５のＣＱＩ表が２ｙの値を有し、第５のＣＱＩ表における各ＣＱＩがｙビットで表わされ、変調スキームと符号レートのＬ３通りの組み合わせが、第４のＣＱＩ表における変調スキームと符号レートのＬ４通りの組み合わせを除き、第５のＣＱＩ表における変調スキームと符号レートの最後のＬ３通りの組み合わせとして使用され、第５のＣＱＩ表における変調スキームと符号レートの最初のＬ４通りの組み合わせがＢＰＳＫと符号レートｒの組み合わせである（ただしＬ３とＬ４はそれぞれ１より大きい正の整数であり、ｒは１５６／１０２４より小さい実数であり、Ｌ３＋Ｌ４≦１５、且つｙ≦４である）こと、
第４のＣＱＩ表が２ｘの値を有し、第４のＣＱＩ表における各ＣＱＩがｘビットで表わされ、変調スキームと符号レートのＬ１通りの組み合わせが、第１のＣＱＩ表における変調スキームと符号レートのＬ２通りの組み合わせを除き、第４のＣＱＩ表における変調スキームと符号レートの最後のＬ１通りの組み合わせとして使用され、第４のＣＱＩ表における変調スキームと符号レートの最初のＬ２通りの組み合わせがＢＰＳＫと符号レートｒのＬ２１通りの組み合わせ及びＱＰＳＫと符号レートｒのＬ２２通りの組み合わせを含み（ただしＬ１とＬ２はそれぞれ１より大きい正の整数であり、Ｌ２＝Ｌ２１＋Ｌ２２であり、ｒは１５６／１０２４より小さい実数であり、Ｌ１＋Ｌ２≦１５、且つｘ≦４である）、第５のＣＱＩ表が２ｙの値を有し、第５のＣＱＩ表における各ＣＱＩがｙビットで表わされ、変調スキームと符号レートのＬ３通りの組み合わせが、第５のＣＱＩ表における変調スキームと符号レートのＬ４通りの組み合わせを除き、第５のＣＱＩ表における変調スキームと符号レートの最後のＬ３通りの組み合わせとして使用され、第５のＣＱＩ表における変調スキームと符号レートの最初のＬ４通りの組み合わせがＢＰＳＫと符号レートｒのＬ４１通りの組み合わせ及びＱＰＳＫと符号レートｒのＬ４２通りの組み合わせを含む（ただしＬ３とＬ４はそれぞれ１より大きい正の整数であり、Ｌ２＝Ｌ４１＋Ｌ４２であり、ｒは１５６／１０２４より小さい実数であり、Ｌ３＋Ｌ４≦１５、且つｙ≦４である）こと、又は
第１のＣＱＩ表が変調スキームと符号レートのＬ１通りの組み合わせを含み、第４のＣＱＩ表が変調スキームと符号レートのＬ２通りの組み合わせを含み、第５のＣＱＩ表が変調スキームと符号レートのＬ２通りの組み合わせを含み（ただしＬ１とＬ２はそれぞれ７以上の整数であり、Ｌ２＜Ｌ１／２である）、第４のＣＱＩ表における変調スキームと符号レートの全ての組み合わせ及び第５のＣＱＩ表における変調スキームと符号レートの全ての組み合わせがそれぞれ、第１のＣＱＩ表における変調スキームと符号レートの全ての組み合わせのサブセットであること
のうちの少なくとも一つを含み得る。
【００３８】
本発明では、第１のＣＱＩ表は、最大６４の変調次数を有するＣＱＩ表、最大１６の変調次数を有するＣＱＩ表、又はロングタームエボリューション（ＬＴＥ）リリース８における４ビットＣＱＩ表のうちの少なくとも一つを含み得る。
【００３９】
任意選択で、第４のＣＱＩ表及び第５のＣＱＩ表は以下の特徴、即ち、
第５のＣＱＩ表における符号レートの最小値が第４のＣＱＩ表における符号レートの最小値より小さいこと、
第５のＣＱＩ表における符号レートの最小値が１／１０２４以下であること、
第４のＣＱＩ表における符号レートの最小値が１／１０２４以下であること、
第４のＣＱＩ表がＱＰＳＫとｒ＝４４９／１０２４の組み合わせを含むこと、
第４のＣＱＩ表が第１のＣＱＩ表におけるＱＰＳＫと符号レートの組み合わせを全て含むこと、
第５のＣＱＩ表が第１のＣＱＩ表におけるＱＰＳＫと符号レートの組み合わせを全く含まないこと、
第５のＣＱＩ表が、第４のＣＱＩ表に含まれるが第１のＣＱＩ表に含まれないＱＰＳＫと符号レートの組み合わせを全て含むこと、
第４のＣＱＩ表が第１のＣＱＩ表における１６ＱＡＭと符号レートの少なくとも一つの組み合わせを含むこと、
第４のＣＱＩ表において隣接する組み合わせの全てのペアにおけるスペクトル効率比のうち、最後の組み合わせと最後から２番目の組み合わせのペアにおけるスペクトル効率比（最後の組み合わせのスペクトル効率と最後から２番目の組み合わせのスペクトル効率との比率と定義される）が最も高いこと、
第４のＣＱＩ表において隣接する組み合わせの全てのペアにおけるスペクトル効率比のうち、第２の組み合わせと第１の組み合わせのペアにおけるスペクトル効率比（第２の組み合わせのスペクトル効率と第１の組み合わせのスペクトル効率との比率と定義される）が最も高いこと、
第４のＣＱＩ表において隣接する組み合わせの全てのペアにおけるスペクトル効率比のうち、最後の組み合わせと最後から２番目の組み合わせのペアにおけるスペクトル効率比及び第２の組み合わせと第１の組み合わせのペアにおけるスペクトル効率比が、他の組み合わせのペアにおけるスペクトル効率比より高いこと、
第４のＣＱＩ表において隣接する組み合わせの全てのペアにおけるスペクトル効率比のうち、最後の組み合わせと最後から２番目の組み合わせのペアにおけるスペクトル効率比及び最後から３番目の組み合わせと最後から２番目の組み合わせのペアにおけるスペクトル効率比（最後から３番目の組み合わせのスペクトル効率と最後から２番目の組み合わせのスペクトル効率との比率と定義される）が、他の組み合わせのペアにおけるスペクトル効率比より高いこと、
第４のＣＱＩ表において隣接する組み合わせの全てのペアにおけるスペクトル効率比のうち、第２の組み合わせと第１の組み合わせのペアにおけるスペクトル効率比及び第３の組み合わせと第２の組み合わせのペアにおけるスペクトル効率比（第３の組み合わせのスペクトル効率と第２の組み合わせのスペクトル効率との比率と定義される）が、他の組み合わせのペアにおけるスペクトル効率比より高いこと、
現在のＣＱＩ又は最新のＣＱＩが第１のＣＱＩ表を基本とし、該ＣＱＩが範囲外状態を意味する値を有する場合に、現在のＣＱＩが第４のＣＱＩ表に基づく別のＣＱＩのフィードバックをトリガーすること、又は
現在のＣＱＩ又は最新のＣＱＩが第４のＣＱＩ表を基本とし、該ＣＱＩが範囲外状態を意味する値を有する場合に、現在のＣＱＩが第５のＣＱＩ表に基づく別のＣＱＩのフィードバックをトリガーすること
のうちの少なくとも一つを含み得る。
【００４０】
本開示の実施形態の別の一態様において、チャネル品質表示（ＣＱＩ）情報の送信方法が提供される。該方法は、基地局から送信される上位層構成シグナリングメッセージを受信するステップと、ＣＱＩ情報を上位層構成シグナリングメッセージに基づいて取得されるＣＱＩ表に基づいて判定するステップと、判定されたＣＱＩ情報を基地局に送信するステップとを含む。
【００４１】
任意選択で、上位層構成シグナリングメッセージは以下の情報、即ち、有効範囲レベルシグナリング、チャネル状態情報（ＣＳＩ）参照リソースに占有されるサブフレーム数、ダウンリンク制御チャネル向けの反復数、ダウンリンクデータ共有チャネル向けの反復数、物理ランダムアクセスチャネル（ＰＲＡＣＨ）向けの反復数、ＣＱＩ表選択シグナリング、端末カテゴリー、シナリオ表示シグナリング、周波数帯域表示シグナリング、又はチャネル符号化種別表示情報のうちの少なくとも一つを含み得る。有効範囲レベルシグナリングは、以下の有効範囲、即ち、通常の有効範囲若しくは拡張有効範囲、通常の有効範囲、中程度の有効範囲若しくは深い有効範囲、又は通常の有効範囲、低い拡張有効範囲、中程度の拡張有効範囲若しくは高い拡張有効範囲のうちの一つを含む有効範囲レベルを意味する。シナリオ表示シグナリングは、拡張モバイルブロードバンド（ｅＭＢＢ）シナリオ、超高信頼低遅延通信（ＵＲＬＬＣ）シナリオ又は大容量マシン型通信（ｍＭＴＣ）シナリオを意味する。周波数帯域表示シグナリングは、様々な範囲の搬送波周波数を意味する。チャネル符号化種別表示情報は、低密度パリティ検査（ＬＤＰＣ）符号、ターボ符号、畳み込み符号又は極性符号のうちのいずれか二つを含む様々なチャネル符号化種別を意味する。
【００４２】
任意選択で、ＣＱＩ表は第１のＣＱＩ表及び第２のＣＱＩ表を含み得る。第２のＣＱＩ表は以下の特徴、即ち、
第２のＣＱＩ表が２ｘの値を有し、第２のＣＱＩ表における各ＣＱＩがｘビットで表わされ、変調スキームと符号レートのＬ１通りの組み合わせが、第１のＣＱＩ表における変調スキームと符号レートのＬ２通りの組み合わせを除き、第２のＣＱＩ表における変調スキームと符号レートの最後のＬ１通りの組み合わせとして使用され、第２のＣＱＩ表における変調スキームと符号レートの最初のＬ２通りの組み合わせが、４位相シフトキーイング（ＱＰＳＫ）と符号レートｒの組み合わせである（ただしＬ１とＬ２はそれぞれ０以上の整数であり、ｒは７８／１０２４より小さい実数であり、Ｌ１＋Ｌ２≦１５、且つｘ≦４である）こと、
第２のＣＱＩ表が２ｘの値を有し、第２のＣＱＩ表における各ＣＱＩがｘビットで表わされ、変調スキームと符号レートのＬ１通りの組み合わせが、第１のＣＱＩ表における変調スキームと符号レートのＬ２通りの組み合わせを除き、第２のＣＱＩ表における変調スキームと符号レートの最後のＬ１通りの組み合わせとして使用され、第２のＣＱＩ表における変調スキームと符号レートの最初のＬ２通りの組み合わせが、二位相シフトキーイング（ＢＰＳＫ）と符号レートｒの組み合わせである（ただしＬ１とＬ２はそれぞれ０以上の整数であり、ｒは１５６／１０２４より小さい実数であり、Ｌ１＋Ｌ２≦１５、且つｘ≦４である）こと、
第２のＣＱＩ表が２ｘの値を有し、第２のＣＱＩ表における各ＣＱＩがｘビットで表わされ、変調スキームと符号レートのＬ１通りの組み合わせが、第１のＣＱＩ表における変調スキームと符号レートのＬ２通りの組み合わせを除き、第２のＣＱＩ表における変調スキームと符号レートの最後のＬ１通りの組み合わせとして使用され、第２のＣＱＩ表における変調スキームと符号レートの最初のＬ２通りの組み合わせが、ＢＰＳＫと符号レートｒのＬ２１通りの組み合わせ及びＱＰＳＫと符号レートｒのＬ２２通りの組み合わせを含む（ただしＬ１とＬ２はそれぞれ０以上の整数であり、Ｌ２＝Ｌ２１＋Ｌ２２であり、ｒは１５６／１０２４より小さい実数であり、Ｌ１＋Ｌ２≦１５、且つｘ≦４である）こと、
第２のＣＱＩ表が２ｘの値を有し、第２のＣＱＩ表における各ＣＱＩがｘビットで表わされ、第１のＣＱＩ表が変調スキームと符号レートの合計Ｌ１通りの組み合わせを含み、変調スキームと符号レートのＬ１通りの組み合わせが第２のＣＱＩ表における変調スキームと符号レートの最初又は最後のＬ１通りの組み合わせとして使用され、第２のＣＱＩ表における変調スキームと符号レートの残りのＬ２通りの組み合わせがＢＰＳＫと符号レートｒのＬ２１通りのタイプ１の組み合わせ及びＱＰＳＫと符号レートｒのＬ２２通りのタイプ２の組み合わせを含む（ただしＬ１とＬ２はそれぞれ０より大きい整数であり、Ｌ２１とＬ２２はそれぞれ０以上の整数であり、Ｌ２＝Ｌ２１＋Ｌ２２であり、ｒは１５６／１０２４より小さい実数であり、Ｌ１＋Ｌ２≦１５、且つｘ≦４である）こと、
第１のＣＱＩ表が変調スキームと符号レートの合計Ｌ１通りの組み合わせを含み、第２のＣＱＩ表が変調スキームと符号レートの合計Ｌ２通りの組み合わせを含み、Ｌ２通りの組み合わせがＬ１通りの組み合わせのサブセットである（ただし８≦Ｌ１≦１５、Ｌ２≦７であり、Ｌ１とＬ２はそれぞれ０より大きい整数であり、第１のＣＱＩ表における最も高次の変調スキームは６４直角位相振幅変調（ＱＡＭ）であり、第２のＣＱＩ表における最も高次の変調スキームは１６ＱＡＭである）こと、又は
第１のＣＱＩ表及び第２のＣＱＩ表が変調スキームと符号レートの合計Ｌ１＝７通りの組み合わせを含み、第１のＣＱＩ表における変調スキームがＱＰＳＫと１６ＱＡＭを含み、第２のＣＱＩ表における変調スキームがＱＰＳＫ及び／又はＢＰＳＫを含み、第２のＣＱＩ表が第１のＣＱＩ表における第１、第３、第５及び第７の組み合わせのうちの少なくとも二つ、若しくは第１のＣＱＩ表における第２、第４、第６の組み合わせのうちの少なくとも二つを含むこと
のうちの少なくとも一つを有し得る。
【００４３】
本発明では、第１のＣＱＩ表は、最大６４の変調次数を有するＣＱＩ表、最大１６の変調次数を有するＣＱＩ表、又はロングタームエボリューション（ＬＴＥ）リリース８における４ビットＣＱＩ表のうちの少なくとも一つを含み得る。
【００４４】
任意選択で、第２のＣＱＩ表は以下の特徴、即ち、
ｒの最小値が１／１０２４未満であること、
ｒの最小値が１／２０４８、１／４０９６又は１／３０７２に等しいこと、
ＱＰＳＫとｒ＝４４９／１０２４の組み合わせが除外されること、
第２のＣＱＩ表が、ＱＰＳＫとｒ＝４４９／１０２４の組み合わせを除く、第１のＣＱＩ表におけるＱＰＳＫと符号レートの組み合わせを全て含むこと、
第２のＣＱＩ表が第１のＣＱＩ表における１６ＱＡＭと符号レートの組み合わせを一つ含むこと、
第２のＣＱＩ表が１６ＱＡＭと符号レート４９０／１０２４の組み合わせ及び１６ＱＡＭと符号レート６１６／１０２４の組み合わせのうちの一つを含むこと、
第２のＣＱＩ表において隣接する組み合わせの全てのペアにおけるスペクトル効率比のうち、最後の組み合わせと最後から２番目の組み合わせのペアにおけるスペクトル効率比（最後の組み合わせのスペクトル効率と最後から２番目の組み合わせのスペクトル効率との比率と定義される）が最も高いこと、
第２のＣＱＩ表において隣接する組み合わせの全てのペアにおけるスペクトル効率比のうち、第２の組み合わせと第１の組み合わせのペアにおけるスペクトル効率比（第２の組み合わせのスペクトル効率と第１の組み合わせのスペクトル効率との比率と定義される）が最も高いこと、
第２のＣＱＩ表において隣接する組み合わせの全てのペアにおけるスペクトル効率比のうち、最後の組み合わせと最後から２番目の組み合わせのペアにおけるスペクトル効率比及び第２の組み合わせと第１の組み合わせのペアにおけるスペクトル効率比が、他の組み合わせのペアにおけるスペクトル効率比より高いこと、
第２のＣＱＩ表において隣接する組み合わせの全てのペアにおけるスペクトル効率比のうち、最後の組み合わせと最後から２番目の組み合わせのペアにおけるスペクトル効率比及び最後から３番目の組み合わせと最後から２番目の組み合わせのペアにおけるスペクトル効率比（最後から３番目の組み合わせのスペクトル効率と最後から２番目の組み合わせのスペクトル効率との比率と定義される）が、他の組み合わせのペアにおけるスペクトル効率比より高いこと、
第２のＣＱＩ表において隣接する組み合わせの全てのペアにおけるスペクトル効率比のうち、第２の組み合わせと第１の組み合わせのペアにおけるスペクトル効率比及び第３の組み合わせと第２の組み合わせのペアにおけるスペクトル効率比（第３の組み合わせのスペクトル効率と第２の組み合わせのスペクトル効率との比率と定義される）が、他の組み合わせのペアにおけるスペクトル効率比より高いこと、
最新のＣＱＩが第１のＣＱＩ表を基本とし、該ＣＱＩが範囲外状態を意味する値を有する場合に、現在のＣＱＩが第２のＣＱＩ表に基づく別のＣＱＩのフィードバックをトリガーすること、
ＣＱＩ表がさらに、より低いスペクトル効率を有する変調スキームと符号レートの組み合わせから成る第３のＣＱＩ表をも含み、最新のＣＱＩが第２のＣＱＩ表を基本とし、該ＣＱＩが範囲外状態を意味する値を有する場合に、現在のＣＱＩが第３のＣＱＩ表に基づく別のＣＱＩのフィードバックをトリガーすること、
第２のＣＱＩ表が二通りの範囲外状態、即ち最も低いスペクトル効率に付随する変調スキームと符号レートの最も低い組み合わせよりも低い状態、及び最も高いスペクトル効率に付随する変調スキームと符号レートの最も高い組み合わせよりも高い状態を含むこと、
第２のＣＱＩ表における変調スキームと符号レートのＮ１通りの連続的組み合わせからの隣接する組み合わせのどのペアのスペクトル効率比も、第１のＣＱＩ表における変調スキームと符号レートのＮ２通りの連続的組み合わせからの隣接する組み合わせのあらゆるペアのスペクトル効率比より高い（ただしＮ１及びＮ２はそれぞれ２以上の整数である）こと、又は
第２のＣＱＩ表の中間における変調スキームと符号レートのＮ３通りの連続的組み合わせからの隣接する組み合わせの各ペアのスペクトル効率比が、第２のＣＱＩ表における最初のＮ４通りの連続的組み合わせ及び最後のＮ５通りの連続的組み合わせからの隣接する組み合わせのあらゆるペアのスペクトル効率比よりも低い（ただしＮ３、Ｎ４及びＮ５はそれぞれ２以上の整数である）こと
のうちの少なくとも一つを有し得る。
【００４５】
任意選択で、ＣＱＩ表は第１のＣＱＩ表、第４のＣＱＩ表及び第５のＣＱＩ表を含み得る。第４のＣＱＩ表及び第５のＣＱＩ表は以下の組み合わせ、即ち、
第４のＣＱＩ表が２ｘの値を有し、第４のＣＱＩ表における各ＣＱＩがｘビットで表わされ、変調スキームと符号レートのＬ１通りの組み合わせが、第１のＣＱＩ表における変調スキームと符号レートのＬ２通りの組み合わせを除き、第４のＣＱＩ表における変調スキームと符号レートの最後のＬ１通りの組み合わせとして使用され、第４のＣＱＩ表における変調スキームと符号レートの最初のＬ２通りの組み合わせがＱＰＳＫと符号レートｒの組み合わせであり（ただしＬ１とＬ２はそれぞれ１より大きい正の整数であり、ｒは７８／１０２４より小さい実数であり、Ｌ１＋Ｌ２≦１５、且つｘ≦４である）、第５のＣＱＩ表が２ｙの値を有し、第５のＣＱＩ表における各ＣＱＩがｙビットで表わされ、変調スキームと符号レートのＬ３通りの組み合わせが、第４のＣＱＩ表における変調スキームと符号レートのＬ４通りの組み合わせを除き、第５のＣＱＩ表における変調スキームと符号レートの最後のＬ３通りの組み合わせとして使用され、第５のＣＱＩ表における変調スキームと符号レートの最初のＬ４通りの組み合わせがＱＰＳＫと符号レートｒの組み合わせである（ただしＬ３とＬ４はそれぞれ１より大きい正の整数であり、ｒは７８／１０２４より小さい実数であり、Ｌ３＋Ｌ４≦１５、且つｙ≦４である）こと、
第４のＣＱＩ表が２ｘの値を有し、第４のＣＱＩ表における各ＣＱＩがｘビットで表わされ、変調スキームと符号レートのＬ１通りの組み合わせが、第１のＣＱＩ表における変調スキームと符号レートのＬ２通りの組み合わせを除き、第４のＣＱＩ表における変調スキームと符号レートの最後のＬ１通りの組み合わせとして使用され、第４のＣＱＩ表における変調スキームと符号レートの最初のＬ２通りの組み合わせがＢＰＳＫと符号レートｒの組み合わせであり（ただしＬ１とＬ２はそれぞれ１より大きい正の整数であり、ｒは１５６／１０２４より小さい実数であり、Ｌ１＋Ｌ２≦１５、且つｘ≦４である）、第５のＣＱＩ表が２ｙの値を有し、第５のＣＱＩ表における各ＣＱＩがｙビットで表わされ、変調スキームと符号レートのＬ３通りの組み合わせが、第４のＣＱＩ表における変調スキームと符号レートのＬ４通りの組み合わせを除き、第５のＣＱＩ表における変調スキームと符号レートの最後のＬ３通りの組み合わせとして使用され、第５のＣＱＩ表における変調スキームと符号レートの最初のＬ４通りの組み合わせがＢＰＳＫと符号レートｒの組み合わせである（ただしＬ３とＬ４はそれぞれ１より大きい正の整数であり、ｒは１５６／１０２４より小さい実数であり、Ｌ３＋Ｌ４≦１５、且つｙ≦４である）こと、
第４のＣＱＩ表が２ｘの値を有し、第４のＣＱＩ表における各ＣＱＩがｘビットで表わされ、変調スキームと符号レートのＬ１通りの組み合わせが、第１のＣＱＩ表における変調スキームと符号レートのＬ２通りの組み合わせを除き、第４のＣＱＩ表における変調スキームと符号レートの最後のＬ１通りの組み合わせとして使用され、第４のＣＱＩ表における変調スキームと符号レートの最初のＬ２通りの組み合わせがＢＰＳＫと符号レートｒのＬ２１通りの組み合わせ及びＱＰＳＫと符号レートｒのＬ２２通りの組み合わせを含み（ただしＬ１とＬ２はそれぞれ１より大きい正の整数であり、Ｌ２＝Ｌ２１＋Ｌ２２であり、ｒは１５６／１０２４より小さい実数であり、Ｌ１＋Ｌ２≦１５、且つｘ≦４である）、第５のＣＱＩ表が２ｙの値を有し、第５のＣＱＩ表における各ＣＱＩがｙビットで表わされ、変調スキームと符号レートのＬ３通りの組み合わせが、第５のＣＱＩ表における変調スキームと符号レートのＬ４通りの組み合わせを除き、第５のＣＱＩ表における変調スキームと符号レートの最後のＬ３通りの組み合わせとして使用され、第５のＣＱＩ表における変調スキームと符号レートの最初のＬ４通りの組み合わせがＢＰＳＫと符号レートｒのＬ４１通りの組み合わせ及びＱＰＳＫと符号レートｒのＬ４２通りの組み合わせを含む（ただしＬ３とＬ４はそれぞれ１より大きい正の整数であり、Ｌ２＝Ｌ４１＋Ｌ４２であり、ｒは１５６／１０２４より小さい実数であり、Ｌ３＋Ｌ４≦１５、且つｙ≦４である）こと、又は
第１のＣＱＩ表が変調スキームと符号レートのＬ１通りの組み合わせを含み、第４のＣＱＩ表が変調スキームと符号レートのＬ２通りの組み合わせを含み、第５のＣＱＩ表が変調スキームと符号レートのＬ２通りの組み合わせを含み（ただしＬ１とＬ２はそれぞれ７以上の整数であり、Ｌ２＜Ｌ１／２である）、第４のＣＱＩ表における変調スキームと符号レートの全ての組み合わせ及び第５のＣＱＩ表における変調スキームと符号レートの全ての組み合わせがそれぞれ、第１のＣＱＩ表における変調スキームと符号レートの全ての組み合わせのサブセットであること
のうちの一つを含み得る。
【００４６】
本発明では、第１のＣＱＩ表は、最大６４の変調次数を有するＣＱＩ表、最大１６の変調次数を有するＣＱＩ表、又はロングタームエボリューション（ＬＴＥ）リリース８における４ビットＣＱＩ表のうちの少なくとも一つを含み得る。
【００４７】
任意選択で、第４のＣＱＩ表及び第５のＣＱＩ表は以下の特徴、即ち、
第５のＣＱＩ表における符号レートの最小値が第４のＣＱＩ表における符号レートの最小値より小さいこと、
第５のＣＱＩ表における符号レートの最小値が１／１０２４以下であること、
第４のＣＱＩ表における符号レートの最小値が１／１０２４以下であること、
第４のＣＱＩ表がＱＰＳＫとｒ＝４４９／１０２４の組み合わせを含むこと、
第４のＣＱＩ表が第１のＣＱＩ表におけるＱＰＳＫと符号レートの組み合わせを全て含むこと、
第５のＣＱＩ表が第１のＣＱＩ表におけるＱＰＳＫと符号レートの組み合わせを全く含まないこと、
第５のＣＱＩ表が、第４のＣＱＩ表に含まれるが第１のＣＱＩ表に含まれないＱＰＳＫと符号レートの組み合わせを全て含むこと、
第４のＣＱＩ表が第１のＣＱＩ表における１６ＱＡＭと符号レートの少なくとも一つの組み合わせを含むこと、
第４のＣＱＩ表において隣接する組み合わせの全てのペアにおけるスペクトル効率比のうち、最後の組み合わせと最後から２番目の組み合わせのペアにおけるスペクトル効率比（最後の組み合わせのスペクトル効率と最後から２番目の組み合わせのスペクトル効率との比率と定義される）が最も高いこと、
第４のＣＱＩ表において隣接する組み合わせの全てのペアにおけるスペクトル効率比のうち、第２の組み合わせと第１の組み合わせのペアにおけるスペクトル効率比（第２の組み合わせのスペクトル効率と第１の組み合わせのスペクトル効率との比率と定義される）が最も高いこと、
第４のＣＱＩ表において隣接する組み合わせの全てのペアにおけるスペクトル効率比のうち、最後の組み合わせと最後から２番目の組み合わせのペアにおけるスペクトル効率比及び第２の組み合わせと第１の組み合わせのペアにおけるスペクトル効率比が、他の組み合わせのペアにおけるスペクトル効率比より高いこと、
第４のＣＱＩ表において隣接する組み合わせの全てのペアにおけるスペクトル効率比のうち、最後の組み合わせと最後から２番目の組み合わせのペアにおけるスペクトル効率比及び最後から３番目の組み合わせと最後から２番目の組み合わせのペアにおけるスペクトル効率比（最後から３番目の組み合わせのスペクトル効率と最後から２番目の組み合わせのスペクトル効率との比率と定義される）が、他の組み合わせのペアにおけるスペクトル効率比より高いこと、
第４のＣＱＩ表において隣接する組み合わせの全てのペアにおけるスペクトル効率比のうち、第２の組み合わせと第１の組み合わせのペアにおけるスペクトル効率比及び第３の組み合わせと第２の組み合わせのペアにおけるスペクトル効率比（第３の組み合わせのスペクトル効率と第２の組み合わせのスペクトル効率との比率と定義される）が、他の組み合わせのペアにおけるスペクトル効率比より高いこと、
現在のＣＱＩ又は最新のＣＱＩが第１のＣＱＩ表を基本とし、該ＣＱＩが範囲外状態を意味する値を有する場合に、現在のＣＱＩが第４のＣＱＩ表に基づく別のＣＱＩのフィードバックをトリガーすること、又は
現在のＣＱＩ又は最新のＣＱＩが第４のＣＱＩ表を基本とし、該ＣＱＩが範囲外状態を意味する値を有する場合に、現在のＣＱＩが第５のＣＱＩ表に基づく別のＣＱＩのフィードバックをトリガーすること
のうちの少なくとも一つを含み得る。
【００４８】
本開示の実施形態のさらなる一態様において、チャネル品質表示（ＣＱＩ）情報の受信装置が提供される。該装置は、上位層構成シグナリングメッセージを端末に送信するよう構成される第１の送信モジュール及びＣＱＩ情報を端末から受信するよう構成される第１の受信モジュールを含む。ＣＱＩ情報は、上位層構成シグナリングメッセージに基づいて取得されるＣＱＩ表に基づいて判定される。
【００４９】
任意選択で、上位層構成シグナリングメッセージは以下の情報、即ち、有効範囲レベルシグナリング、チャネル状態情報（ＣＳＩ）参照リソースに占有されるサブフレーム数、ダウンリンク制御チャネル向けの反復数、ダウンリンクデータ共有チャネル向けの反復数、物理ランダムアクセスチャネル（ＰＲＡＣＨ）向けの反復数、ＣＱＩ表選択シグナリング、端末カテゴリー、シナリオ表示シグナリング、周波数帯域表示シグナリング、又はチャネル符号化種別表示情報のうちの少なくとも一つを含み得る。有効範囲レベルシグナリングは、以下の有効範囲、即ち、通常の有効範囲若しくは拡張有効範囲、通常の有効範囲、中程度の有効範囲若しくは深い有効範囲、又は通常の有効範囲、低い拡張有効範囲、中程度の拡張有効範囲若しくは高い拡張有効範囲のうちの一つを含む有効範囲レベルを意味する。シナリオ表示シグナリングは、拡張モバイルブロードバンド（ｅＭＢＢ）シナリオ、超高信頼低遅延通信（ＵＲＬＬＣ）シナリオ又は大容量マシン型通信（ｍＭＴＣ）シナリオを意味する。周波数帯域表示シグナリングは、様々な範囲の搬送波周波数を意味する。チャネル符号化種別表示情報は、低密度パリティ検査（ＬＤＰＣ）符号、ターボ符号、畳み込み符号又は極性符号のうちのいずれか二つを含む様々なチャネル符号化種別を意味する。
【００５０】
任意選択で、ＣＱＩ表は第１のＣＱＩ表及び第２のＣＱＩ表を含み得る。第２のＣＱＩ表は以下の特徴、即ち、
第２のＣＱＩ表が２ｘの値を有し、第２のＣＱＩ表における各ＣＱＩがｘビットで表わされ、変調スキームと符号レートのＬ１通りの組み合わせが、第１のＣＱＩ表における変調スキームと符号レートのＬ２通りの組み合わせを除き、第２のＣＱＩ表における変調スキームと符号レートの最後のＬ１通りの組み合わせとして使用され、第２のＣＱＩ表における変調スキームと符号レートの最初のＬ２通りの組み合わせが、直角位相シフトキーイング（ＱＰＳＫ）と符号レートｒの組み合わせである（ただしＬ１とＬ２はそれぞれ０以上の整数であり、ｒは７８／１０２４より小さい実数であり、Ｌ１＋Ｌ２≦１５、且つｘ≦４である）こと、
第２のＣＱＩ表が２ｘの値を有し、第２のＣＱＩ表における各ＣＱＩがｘビットで表わされ、変調スキームと符号レートのＬ１通りの組み合わせが、第１のＣＱＩ表における変調スキームと符号レートのＬ２通りの組み合わせを除き、第２のＣＱＩ表における変調スキームと符号レートの最後のＬ１通りの組み合わせとして使用され、第２のＣＱＩ表における変調スキームと符号レートの最初のＬ２通りの組み合わせが、二位相シフトキーイング（ＢＰＳＫ）と符号レートｒの組み合わせである（ただしＬ１とＬ２はそれぞれ０以上の整数であり、ｒは１５６／１０２４より小さい実数であり、Ｌ１＋Ｌ２≦１５、且つｘ≦４である）こと、
第２のＣＱＩ表が２ｘの値を有し、第２のＣＱＩ表における各ＣＱＩがｘビットで表わされ、変調スキームと符号レートのＬ１通りの組み合わせが、第１のＣＱＩ表における変調スキームと符号レートのＬ２通りの組み合わせを除き、第２のＣＱＩ表における変調スキームと符号レートの最後のＬ１通りの組み合わせとして使用され、第２のＣＱＩ表における変調スキームと符号レートの最初のＬ２通りの組み合わせが、ＢＰＳＫと符号レートｒのＬ２１通りの組み合わせ及びＱＰＳＫと符号レートｒのＬ２２通りの組み合わせを含む（ただしＬ１とＬ２はそれぞれ０以上の整数であり、Ｌ２＝Ｌ２１＋Ｌ２２であり、ｒは１５６／１０２４より小さい実数であり、Ｌ１＋Ｌ２≦１５、且つｘ≦４である）こと、
第２のＣＱＩ表が２ｘの値を有し、第２のＣＱＩ表における各ＣＱＩがｘビットで表わされ、第１のＣＱＩ表が変調スキームと符号レートの合計Ｌ１通りの組み合わせを含み、変調スキームと符号レートのＬ１通りの組み合わせが第２のＣＱＩ表における変調スキームと符号レートの最初又は最後のＬ１通りの組み合わせとして使用され、第２のＣＱＩ表における変調スキームと符号レートの残りのＬ２通りの組み合わせがＢＰＳＫと符号レートｒのＬ２１通りのタイプ１の組み合わせ及びＱＰＳＫと符号レートｒのＬ２２通りのタイプ２の組み合わせを含む（ただしＬ１とＬ２はそれぞれ０より大きい整数であり、Ｌ２１とＬ２２はそれぞれ０以上の整数であり、Ｌ２＝Ｌ２１＋Ｌ２２であり、ｒは１５６／１０２４より小さい実数であり、Ｌ１＋Ｌ２≦１５、且つｘ≦４である）こと、
第１のＣＱＩ表が変調スキームと符号レートの合計Ｌ１通りの組み合わせを含み、第２のＣＱＩ表が変調スキームと符号レートの合計Ｌ２通りの組み合わせを含み、Ｌ２通りの組み合わせがＬ１通りの組み合わせのサブセットである（ただし８≦Ｌ１≦１５、Ｌ２≦７であり、Ｌ１とＬ２はそれぞれ０より大きい整数であり、第１のＣＱＩ表における最も高次の変調スキームは６４直角位相振幅変調（ＱＡＭ）であり、第２のＣＱＩ表における最も高次の変調スキームは１６ＱＡＭである）こと、又は
第１のＣＱＩ表及び第２のＣＱＩ表が変調スキームと符号レートの合計Ｌ１＝７通りの組み合わせを含み、第１のＣＱＩ表における変調スキームがＱＰＳＫと１６ＱＡＭを含み、第２のＣＱＩ表における変調スキームがＱＰＳＫ及び／又はＢＰＳＫを含み、第２のＣＱＩ表が第１のＣＱＩ表における第１、第３、第５及び第７の組み合わせのうちの少なくとも二つ、若しくは第１のＣＱＩ表における第２、第４、第６の組み合わせのうちの少なくとも二つを含むこと
のうちの少なくとも一つを有し得る。
【００５１】
本発明では、第１のＣＱＩ表は、最大６４の変調次数を有するＣＱＩ表、最大１６の変調次数を有するＣＱＩ表、又はロングタームエボリューション（ＬＴＥ）リリース８における４ビットＣＱＩ表のうちの少なくとも一つを含み得る。
【００５２】
任意選択で、第２のＣＱＩ表は以下の特徴、即ち、
ｒの最小値が１／１０２４未満であること、
ｒの最小値が１／２０４８、１／４０９６又は１／３０７２に等しいこと、
ＱＰＳＫとｒ＝４４９／１０２４の組み合わせが除外されること、
第２のＣＱＩ表が、ＱＰＳＫとｒ＝４４９／１０２４の組み合わせを除く、第１のＣＱＩ表におけるＱＰＳＫと符号レートの組み合わせを全て含むこと、
第２のＣＱＩ表が第１のＣＱＩ表における１６ＱＡＭと符号レートの組み合わせを一つ含むこと、
第２のＣＱＩ表が１６ＱＡＭと符号レート４９０／１０２４の組み合わせ及び１６ＱＡＭと符号レート６１６／１０２４の組み合わせのうちの一つを含むこと、
第２のＣＱＩ表において隣接する組み合わせの全てのペアにおけるスペクトル効率比のうち、最後の組み合わせと最後から２番目の組み合わせのペアにおけるスペクトル効率比（最後の組み合わせのスペクトル効率と最後から２番目の組み合わせのスペクトル効率との比率と定義される）が最も高いこと、
第２のＣＱＩ表において隣接する組み合わせの全てのペアにおけるスペクトル効率比のうち、第２の組み合わせと第１の組み合わせのペアにおけるスペクトル効率比（第２の組み合わせのスペクトル効率と第１の組み合わせのスペクトル効率との比率と定義される）が最も高いこと、
第２のＣＱＩ表において隣接する組み合わせの全てのペアにおけるスペクトル効率比のうち、最後の組み合わせと最後から２番目の組み合わせのペアにおけるスペクトル効率比及び第２の組み合わせと第１の組み合わせのペアにおけるスペクトル効率比が、他の組み合わせのペアにおけるスペクトル効率比より高いこと、
第２のＣＱＩ表において隣接する組み合わせの全てのペアにおけるスペクトル効率比のうち、最後の組み合わせと最後から２番目の組み合わせのペアにおけるスペクトル効率比及び最後から３番目の組み合わせと最後から２番目の組み合わせのペアにおけるスペクトル効率比（最後から３番目の組み合わせのスペクトル効率と最後から２番目の組み合わせのスペクトル効率との比率と定義される）が、他の組み合わせのペアにおけるスペクトル効率比より高いこと、
第２のＣＱＩ表において隣接する組み合わせの全てのペアにおけるスペクトル効率比のうち、第２の組み合わせと第１の組み合わせのペアにおけるスペクトル効率比及び第３の組み合わせと第２の組み合わせのペアにおけるスペクトル効率比（第３の組み合わせのスペクトル効率と第２の組み合わせのスペクトル効率との比率と定義される）が、他の組み合わせのペアにおけるスペクトル効率比より高いこと、
最新のＣＱＩが第１のＣＱＩ表を基本とし、該ＣＱＩが範囲外状態を意味する値を有する場合に、現在のＣＱＩが第２のＣＱＩ表に基づく別のＣＱＩのフィードバックをトリガーすること、
ＣＱＩ表がさらに、より低いスペクトル効率を有する変調スキームと符号レートの組み合わせから成る第３のＣＱＩ表をも含み、最新のＣＱＩが第２のＣＱＩ表を基本とし、該ＣＱＩが範囲外状態を意味する値を有する場合に、現在のＣＱＩが第３のＣＱＩ表に基づく別のＣＱＩのフィードバックをトリガーすること、
第２のＣＱＩ表が二通りの範囲外状態、即ち最も低いスペクトル効率に付随する変調スキームと符号レートの最も低い組み合わせよりも低い状態、及び最も高いスペクトル効率に付随する変調スキームと符号レートの最も高い組み合わせよりも高い状態を含むこと、
第２のＣＱＩ表における変調スキームと符号レートのＮ１通りの連続的組み合わせからの隣接する組み合わせのどのペアのスペクトル効率比も、第１のＣＱＩ表における変調スキームと符号レートのＮ２通りの連続的組み合わせからの隣接する組み合わせのあらゆるペアのスペクトル効率比より高い（ただしＮ１及びＮ２はそれぞれ２以上の整数である）こと、又は
第２のＣＱＩ表の中間における変調スキームと符号レートのＮ３通りの連続的組み合わせからの隣接する組み合わせの各ペアのスペクトル効率比が、第２のＣＱＩ表における最初のＮ４通りの連続的組み合わせ及び最後のＮ５通りの連続的組み合わせからの隣接する組み合わせのあらゆるペアのスペクトル効率比よりも低い（ただしＮ３、Ｎ４及びＮ５はそれぞれ２以上の整数である）こと
のうちの少なくとも一つを有し得る。
【００５３】
任意選択で、ＣＱＩ表は第１のＣＱＩ表、第４のＣＱＩ表及び第５のＣＱＩ表を含み得る。第４のＣＱＩ表及び第５のＣＱＩ表は以下の組み合わせ、即ち、
第４のＣＱＩ表が２ｘの値を有し、第４のＣＱＩ表における各ＣＱＩがｘビットで表わされ、変調スキームと符号レートのＬ１通りの組み合わせが、第１のＣＱＩ表における変調スキームと符号レートのＬ２通りの組み合わせを除き、第４のＣＱＩ表における変調スキームと符号レートの最後のＬ１通りの組み合わせとして使用され、第４のＣＱＩ表における変調スキームと符号レートの最初のＬ２通りの組み合わせがＱＰＳＫと符号レートｒの組み合わせであり（ただしＬ１とＬ２はそれぞれ１より大きい正の整数であり、ｒは７８／１０２４より小さい実数であり、Ｌ１＋Ｌ２≦１５、且つｘ≦４である）、第５のＣＱＩ表が２ｙの値を有し、第５のＣＱＩ表における各ＣＱＩがｙビットで表わされ、変調スキームと符号レートのＬ３通りの組み合わせが、第４のＣＱＩ表における変調スキームと符号レートのＬ４通りの組み合わせを除き、第５のＣＱＩ表における変調スキームと符号レートの最後のＬ３通りの組み合わせとして使用され、第５のＣＱＩ表における変調スキームと符号レートの最初のＬ４通りの組み合わせがＱＰＳＫと符号レートｒの組み合わせである（ただしＬ３とＬ４はそれぞれ１より大きい正の整数であり、ｒは７８／１０２４より小さい実数であり、Ｌ３＋Ｌ４≦１５、且つｙ≦４である）こと、
第４のＣＱＩ表が２ｘの値を有し、第４のＣＱＩ表における各ＣＱＩがｘビットで表わされ、変調スキームと符号レートのＬ１通りの組み合わせが、第１のＣＱＩ表における変調スキームと符号レートのＬ２通りの組み合わせを除き、第４のＣＱＩ表における変調スキームと符号レートの最後のＬ１通りの組み合わせとして使用され、第４のＣＱＩ表における変調スキームと符号レートの最初のＬ２通りの組み合わせがＢＰＳＫと符号レートｒの組み合わせであり（ただしＬ１とＬ２はそれぞれ１より大きい正の整数であり、ｒは１５６／１０２４より小さい実数であり、Ｌ１＋Ｌ２≦１５、且つｘ≦４である）、第５のＣＱＩ表が２ｙの値を有し、第５のＣＱＩ表における各ＣＱＩがｙビットで表わされ、変調スキームと符号レートのＬ３通りの組み合わせが、第４のＣＱＩ表における変調スキームと符号レートのＬ４通りの組み合わせを除き、第５のＣＱＩ表における変調スキームと符号レートの最後のＬ３通りの組み合わせとして使用され、第５のＣＱＩ表における変調スキームと符号レートの最初のＬ４通りの組み合わせがＢＰＳＫと符号レートｒの組み合わせである（ただしＬ３とＬ４はそれぞれ１より大きい正の整数であり、ｒは１５６／１０２４より小さい実数であり、Ｌ３＋Ｌ４≦１５、且つｙ≦４である）こと、
第４のＣＱＩ表が２ｘの値を有し、第４のＣＱＩ表における各ＣＱＩがｘビットで表わされ、変調スキームと符号レートのＬ１通りの組み合わせが、第１のＣＱＩ表における変調スキームと符号レートのＬ２通りの組み合わせを除き、第４のＣＱＩ表における変調スキームと符号レートの最後のＬ１通りの組み合わせとして使用され、第４のＣＱＩ表における変調スキームと符号レートの最初のＬ２通りの組み合わせがＢＰＳＫと符号レートｒのＬ２１通りの組み合わせ及びＱＰＳＫと符号レートｒのＬ２２通りの組み合わせを含み（ただしＬ１とＬ２はそれぞれ１より大きい正の整数であり、Ｌ２＝Ｌ２１＋Ｌ２２であり、ｒは１５６／１０２４より小さい実数であり、Ｌ１＋Ｌ２≦１５、且つｘ≦４である）、第５のＣＱＩ表が２ｙの値を有し、第５のＣＱＩ表における各ＣＱＩがｙビットで表わされ、変調スキームと符号レートのＬ３通りの組み合わせが、第５のＣＱＩ表における変調スキームと符号レートのＬ４通りの組み合わせを除き、第５のＣＱＩ表における変調スキームと符号レートの最後のＬ３通りの組み合わせとして使用され、第５のＣＱＩ表における変調スキームと符号レートの最初のＬ４通りの組み合わせがＢＰＳＫと符号レートｒのＬ４１通りの組み合わせ及びＱＰＳＫと符号レートｒのＬ４２通りの組み合わせを含む（ただしＬ３とＬ４はそれぞれ１より大きい正の整数であり、Ｌ２＝Ｌ４１＋Ｌ４２であり、ｒは１５６／１０２４より小さい実数であり、Ｌ３＋Ｌ４≦１５、且つｙ≦４である）こと、又は
第１のＣＱＩ表が変調スキームと符号レートのＬ１通りの組み合わせを含み、第４のＣＱＩ表が変調スキームと符号レートのＬ２通りの組み合わせを含み、第５のＣＱＩ表が変調スキームと符号レートのＬ２通りの組み合わせを含み（ただしＬ１とＬ２はそれぞれ７以上の整数であり、Ｌ２＜Ｌ１／２である）、第４のＣＱＩ表における変調スキームと符号レートの全ての組み合わせ及び第５のＣＱＩ表における変調スキームと符号レートの全ての組み合わせがそれぞれ、第１のＣＱＩ表における変調スキームと符号レートの全ての組み合わせのサブセットであること
のうちの一つを含み得る。
【００５４】
本発明では、第１のＣＱＩ表は、最大６４の変調次数を有するＣＱＩ表、最大１６の変調次数を有するＣＱＩ表、又はロングタームエボリューション（ＬＴＥ）リリース８における４ビットＣＱＩ表のうちの少なくとも一つを含み得る。
【００５５】
任意選択で、第４のＣＱＩ表及び第５のＣＱＩ表は以下の特徴、即ち、
第５のＣＱＩ表における符号レートの最小値が第４のＣＱＩ表における符号レートの最小値より小さいこと、
第５のＣＱＩ表における符号レートの最小値が１／１０２４以下であること、
第４のＣＱＩ表における符号レートの最小値が１／１０２４以下であること、
第４のＣＱＩ表がＱＰＳＫとｒ＝４４９／１０２４の組み合わせを含むこと、
第４のＣＱＩ表が第１のＣＱＩ表におけるＱＰＳＫと符号レートの組み合わせを全て含むこと、
第５のＣＱＩ表が第１のＣＱＩ表におけるＱＰＳＫと符号レートの組み合わせを全く含まないこと、
第５のＣＱＩ表が、第４のＣＱＩ表に含まれるが第１のＣＱＩ表に含まれないＱＰＳＫと符号レートの組み合わせを全て含むこと、
第４のＣＱＩ表が第１のＣＱＩ表における１６ＱＡＭと符号レートの少なくとも一つの組み合わせを含むこと、
第４のＣＱＩ表において隣接する組み合わせの全てのペアにおけるスペクトル効率比のうち、最後の組み合わせと最後から２番目の組み合わせのペアにおけるスペクトル効率比（最後の組み合わせのスペクトル効率と最後から２番目の組み合わせのスペクトル効率との比率と定義される）が最も高いこと、
第４のＣＱＩ表において隣接する組み合わせの全てのペアにおけるスペクトル効率比のうち、第２の組み合わせと第１の組み合わせのペアにおけるスペクトル効率比（第２の組み合わせのスペクトル効率と第１の組み合わせのスペクトル効率との比率と定義される）が最も高いこと、
第４のＣＱＩ表において隣接する組み合わせの全てのペアにおけるスペクトル効率比のうち、最後の組み合わせと最後から２番目の組み合わせのペアにおけるスペクトル効率比及び第２の組み合わせと第１の組み合わせのペアにおけるスペクトル効率比が、他の組み合わせのペアにおけるスペクトル効率比より高いこと、
第４のＣＱＩ表において隣接する組み合わせの全てのペアにおけるスペクトル効率比のうち、最後の組み合わせと最後から２番目の組み合わせのペアにおけるスペクトル効率比及び最後から３番目の組み合わせと最後から２番目の組み合わせのペアにおけるスペクトル効率比（最後から３番目の組み合わせのスペクトル効率と最後から２番目の組み合わせのスペクトル効率との比率と定義される）が、他の組み合わせのペアにおけるスペクトル効率比より高いこと、
第４のＣＱＩ表において隣接する組み合わせの全てのペアにおけるスペクトル効率比のうち、第２の組み合わせと第１の組み合わせのペアにおけるスペクトル効率比及び第３の組み合わせと第２の組み合わせのペアにおけるスペクトル効率比（第３の組み合わせのスペクトル効率と第２の組み合わせのスペクトル効率との比率と定義される）が、他の組み合わせのペアにおけるスペクトル効率比より高いこと、
現在のＣＱＩ又は最新のＣＱＩが第１のＣＱＩ表を基本とし、該ＣＱＩが範囲外状態を意味する値を有する場合に、現在のＣＱＩが第４のＣＱＩ表に基づく別のＣＱＩのフィードバックをトリガーすること、又は
現在のＣＱＩ又は最新のＣＱＩが第４のＣＱＩ表を基本とし、該ＣＱＩが範囲外状態を意味する値を有する場合に、現在のＣＱＩが第５のＣＱＩ表に基づく別のＣＱＩのフィードバックをトリガーすること
のうちの少なくとも一つを含み得る。
【００５６】
本開示の実施形態のさらに別の一態様において、チャネル品質表示（ＣＱＩ）情報の送信装置が提供される。該装置は、基地局から送信される上位層構成シグナリングメッセージを受信するよう構成される第２の受信モジュールと、ＣＱＩ情報を上位層構成シグナリングメッセージに基づいて取得されるＣＱＩ表に基づいて判定するよう構成される判定モジュールと、判定されたＣＱＩ情報を基地局に送信するよう構成される第２の送信モジュールとを含む。
【００５７】
任意選択で、上位層構成シグナリングメッセージは以下の情報、即ち、有効範囲レベルシグナリング、チャネル状態情報（ＣＳＩ）参照リソースに占有されるサブフレーム数、ダウンリンク制御チャネル向けの反復数、ダウンリンクデータ共有チャネル向けの反復数、物理ランダムアクセスチャネル（ＰＲＡＣＨ）向けの反復数、ＣＱＩ表選択シグナリング、端末カテゴリー、シナリオ表示シグナリング、周波数帯域表示シグナリング、又はチャネル符号化種別表示情報のうちの少なくとも一つを含み得る。有効範囲レベルシグナリングは、以下の有効範囲、即ち、通常の有効範囲若しくは拡張有効範囲、通常の有効範囲、中程度の有効範囲若しくは深い有効範囲、又は通常の有効範囲、低い拡張有効範囲、中程度の拡張有効範囲若しくは高い拡張有効範囲のうちの一つを含む有効範囲レベルを意味する。シナリオ表示シグナリングは、拡張モバイルブロードバンド（ｅＭＢＢ）シナリオ、超高信頼低遅延通信（ＵＲＬＬＣ）シナリオ又は大容量マシン型通信（ｍＭＴＣ）シナリオを意味する。周波数帯域表示シグナリングは、様々な範囲の搬送波周波数を意味する。チャネル符号化種別表示情報は、低密度パリティ検査（ＬＤＰＣ）符号、ターボ符号、畳み込み符号又は極性符号のうちのいずれか二つを含む様々なチャネル符号化種別を意味する。
【００５８】
任意選択で、ＣＱＩ表は第１のＣＱＩ表及び第２のＣＱＩ表を含み得る。第２のＣＱＩ表は以下の特徴、即ち、
第２のＣＱＩ表が２ｘの値を有し、第２のＣＱＩ表における各ＣＱＩがｘビットで表わされ、変調スキームと符号レートのＬ１通りの組み合わせが、第１のＣＱＩ表における変調スキームと符号レートのＬ２通りの組み合わせを除き、第２のＣＱＩ表における変調スキームと符号レートの最後のＬ１通りの組み合わせとして使用され、第２のＣＱＩ表における変調スキームと符号レートの最初のＬ２通りの組み合わせが、直角位相シフトキーイング（ＱＰＳＫ）と符号レートｒの組み合わせである（ただしＬ１とＬ２はそれぞれ０以上の整数であり、ｒは７８／１０２４より小さい実数であり、Ｌ１＋Ｌ２≦１５、且つｘ≦４である）こと、
第２のＣＱＩ表が２ｘの値を有し、第２のＣＱＩ表における各ＣＱＩがｘビットで表わされ、変調スキームと符号レートのＬ１通りの組み合わせが、第１のＣＱＩ表における変調スキームと符号レートのＬ２通りの組み合わせを除き、第２のＣＱＩ表における変調スキームと符号レートの最後のＬ１通りの組み合わせとして使用され、第２のＣＱＩ表における変調スキームと符号レートの最初のＬ２通りの組み合わせが、二位相シフトキーイング（ＢＰＳＫ）と符号レートｒの組み合わせである（ただしＬ１とＬ２はそれぞれ０以上の整数であり、ｒは１５６／１０２４より小さい実数であり、Ｌ１＋Ｌ２≦１５、且つｘ≦４である）こと、
第２のＣＱＩ表が２ｘの値を有し、第２のＣＱＩ表における各ＣＱＩがｘビットで表わされ、変調スキームと符号レートのＬ１通りの組み合わせが、第１のＣＱＩ表における変調スキームと符号レートのＬ２通りの組み合わせを除き、第２のＣＱＩ表における変調スキームと符号レートの最後のＬ１通りの組み合わせとして使用され、第２のＣＱＩ表における変調スキームと符号レートの最初のＬ２通りの組み合わせが、ＢＰＳＫと符号レートｒのＬ２１通りの組み合わせ及びＱＰＳＫと符号レートｒのＬ２２通りの組み合わせを含む（ただしＬ１とＬ２はそれぞれ０以上の整数であり、Ｌ２＝Ｌ２１＋Ｌ２２であり、ｒは１５６／１０２４より小さい実数であり、Ｌ１＋Ｌ２≦１５、且つｘ≦４である）こと、
第２のＣＱＩ表が２ｘの値を有し、第２のＣＱＩ表における各ＣＱＩがｘビットで表わされ、第１のＣＱＩ表が変調スキームと符号レートの合計Ｌ１通りの組み合わせを含み、変調スキームと符号レートのＬ１通りの組み合わせが第２のＣＱＩ表における変調スキームと符号レートの最初又は最後のＬ１通りの組み合わせとして使用され、第２のＣＱＩ表における変調スキームと符号レートの残りのＬ２通りの組み合わせがＢＰＳＫと符号レートｒのＬ２１通りのタイプ１の組み合わせ及びＱＰＳＫと符号レートｒのＬ２２通りのタイプ２の組み合わせを含む（ただしＬ１とＬ２はそれぞれ０より大きい整数であり、Ｌ２１とＬ２２はそれぞれ０以上の整数であり、Ｌ２＝Ｌ２１＋Ｌ２２であり、ｒは１５６／１０２４より小さい実数であり、Ｌ１＋Ｌ２≦１５、且つｘ≦４である）こと、
第１のＣＱＩ表が変調スキームと符号レートの合計Ｌ１通りの組み合わせを含み、第２のＣＱＩ表が変調スキームと符号レートの合計Ｌ２通りの組み合わせを含み、Ｌ２通りの組み合わせがＬ１通りの組み合わせのサブセットである（ただし８≦Ｌ１≦１５、Ｌ２≦７であり、Ｌ１とＬ２はそれぞれ０より大きい整数であり、第１のＣＱＩ表における最も高次の変調スキームは６４直角位相振幅変調（ＱＡＭ）であり、第２のＣＱＩ表における最も高次の変調スキームは１６ＱＡＭである）こと、又は
第１のＣＱＩ表及び第２のＣＱＩ表が変調スキームと符号レートの合計Ｌ１＝７通りの組み合わせを含み、第１のＣＱＩ表における変調スキームがＱＰＳＫと１６ＱＡＭを含み、第２のＣＱＩ表における変調スキームがＱＰＳＫ及び／又はＢＰＳＫを含み、第２のＣＱＩ表が第１のＣＱＩ表における第１、第３、第５及び第７の組み合わせのうちの少なくとも二つ、若しくは第１のＣＱＩ表における第２、第４、第６の組み合わせのうちの少なくとも二つを含むこと
のうちの少なくとも一つを有し得る。
【００５９】
本発明では、第１のＣＱＩ表は、最大６４の変調次数を有するＣＱＩ表、最大１６の変調次数を有するＣＱＩ表、又はロングタームエボリューション（ＬＴＥ）リリース８における４ビットＣＱＩ表のうちの少なくとも一つを含み得る。
【００６０】
任意選択で、第２のＣＱＩ表は以下の特徴、即ち、
ｒの最小値が１／１０２４未満であること、
ｒの最小値が１／２０４８、１／４０９６又は１／３０７２に等しいこと、
ＱＰＳＫとｒ＝４４９／１０２４の組み合わせが除外されること、
第２のＣＱＩ表が、ＱＰＳＫとｒ＝４４９／１０２４の組み合わせを除く、第１のＣＱＩ表におけるＱＰＳＫと符号レートの組み合わせを全て含むこと、
第２のＣＱＩ表が第１のＣＱＩ表における１６ＱＡＭと符号レートの組み合わせを一つ含むこと、
第２のＣＱＩ表が１６ＱＡＭと符号レート４９０／１０２４の組み合わせ及び１６ＱＡＭと符号レート６１６／１０２４の組み合わせのうちの一つを含むこと、
第２のＣＱＩ表において隣接する組み合わせの全てのペアにおけるスペクトル効率比のうち、最後の組み合わせと最後から２番目の組み合わせのペアにおけるスペクトル効率比（最後の組み合わせのスペクトル効率と最後から２番目の組み合わせのスペクトル効率との比率と定義される）が最も高いこと、
第２のＣＱＩ表において隣接する組み合わせの全てのペアにおけるスペクトル効率比のうち、第２の組み合わせと第１の組み合わせのペアにおけるスペクトル効率比（第２の組み合わせのスペクトル効率と第１の組み合わせのスペクトル効率との比率と定義される）が最も高いこと、
第２のＣＱＩ表において隣接する組み合わせの全てのペアにおけるスペクトル効率比のうち、最後の組み合わせと最後から２番目の組み合わせのペアにおけるスペクトル効率比及び第２の組み合わせと第１の組み合わせのペアにおけるスペクトル効率比が、他の組み合わせのペアにおけるスペクトル効率比より高いこと、
第２のＣＱＩ表において隣接する組み合わせの全てのペアにおけるスペクトル効率比のうち、最後の組み合わせと最後から２番目の組み合わせのペアにおけるスペクトル効率比及び最後から３番目の組み合わせと最後から２番目の組み合わせのペアにおけるスペクトル効率比（最後から３番目の組み合わせのスペクトル効率と最後から２番目の組み合わせのスペクトル効率との比率と定義される）が、他の組み合わせのペアにおけるスペクトル効率比より高いこと、
第２のＣＱＩ表において隣接する組み合わせの全てのペアにおけるスペクトル効率比のうち、第２の組み合わせと第１の組み合わせのペアにおけるスペクトル効率比及び第３の組み合わせと第２の組み合わせのペアにおけるスペクトル効率比（第３の組み合わせのスペクトル効率と第２の組み合わせのスペクトル効率との比率と定義される）が、他の組み合わせのペアにおけるスペクトル効率比より高いこと、
最新のＣＱＩが第１のＣＱＩ表を基本とし、該ＣＱＩが範囲外状態を意味する値を有する場合に、現在のＣＱＩが第２のＣＱＩ表に基づく別のＣＱＩのフィードバックをトリガーすること、
ＣＱＩ表がさらに、より低いスペクトル効率を有する変調スキームと符号レートの組み合わせから成る第３のＣＱＩ表をも含み、最新のＣＱＩが第２のＣＱＩ表を基本とし、該ＣＱＩが範囲外状態を意味する値を有する場合に、現在のＣＱＩが第３のＣＱＩ表に基づく別のＣＱＩのフィードバックをトリガーすること、
第２のＣＱＩ表が二通りの範囲外状態、即ち最も低いスペクトル効率に付随する変調スキームと符号レートの最も低い組み合わせよりも低い状態、及び最も高いスペクトル効率に付随する変調スキームと符号レートの最も高い組み合わせよりも高い状態を含むこと、
第２のＣＱＩ表における変調スキームと符号レートのＮ１通りの連続的組み合わせからの隣接する組み合わせのどのペアのスペクトル効率比も、第１のＣＱＩ表における変調スキームと符号レートのＮ２通りの連続的組み合わせからの隣接する組み合わせのあらゆるペアのスペクトル効率比より高い（ただしＮ１及びＮ２はそれぞれ２以上の整数である）こと、又は
第２のＣＱＩ表の中間における変調スキームと符号レートのＮ３通りの連続的組み合わせからの隣接する組み合わせの各ペアのスペクトル効率比が、第２のＣＱＩ表における最初のＮ４通りの連続的組み合わせ及び最後のＮ５通りの連続的組み合わせからの隣接する組み合わせのあらゆるペアのスペクトル効率比よりも低い（ただしＮ３、Ｎ４及びＮ５はそれぞれ２以上の整数である）こと
のうちの少なくとも一つを有し得る。
【００６１】
任意選択で、ＣＱＩ表は第１のＣＱＩ表、第４のＣＱＩ表及び第５のＣＱＩ表を含み得る。第４のＣＱＩ表及び第５のＣＱＩ表は以下の組み合わせ、即ち、
第４のＣＱＩ表が２ｘの値を有し、第４のＣＱＩ表における各ＣＱＩがｘビットで表わされ、変調スキームと符号レートのＬ１通りの組み合わせが、第１のＣＱＩ表における変調スキームと符号レートのＬ２通りの組み合わせを除き、第４のＣＱＩ表における変調スキームと符号レートの最後のＬ１通りの組み合わせとして使用され、第４のＣＱＩ表における変調スキームと符号レートの最初のＬ２通りの組み合わせがＱＰＳＫと符号レートｒの組み合わせであり（ただしＬ１とＬ２はそれぞれ１より大きい正の整数であり、ｒは７８／１０２４より小さい実数であり、Ｌ１＋Ｌ２≦１５、且つｘ≦４である）、第５のＣＱＩ表が２ｙの値を有し、第５のＣＱＩ表における各ＣＱＩがｙビットで表わされ、変調スキームと符号レートのＬ３通りの組み合わせが、第４のＣＱＩ表における変調スキームと符号レートのＬ４通りの組み合わせを除き、第５のＣＱＩ表における変調スキームと符号レートの最後のＬ３通りの組み合わせとして使用され、第５のＣＱＩ表における変調スキームと符号レートの最初のＬ４通りの組み合わせがＱＰＳＫと符号レートｒの組み合わせである（ただしＬ３とＬ４はそれぞれ１より大きい正の整数であり、ｒは７８／１０２４より小さい実数であり、Ｌ３＋Ｌ４≦１５、且つｙ≦４である）こと、
第４のＣＱＩ表が２ｘの値を有し、第４のＣＱＩ表における各ＣＱＩがｘビットで表わされ、変調スキームと符号レートのＬ１通りの組み合わせが、第１のＣＱＩ表における変調スキームと符号レートのＬ２通りの組み合わせを除き、第４のＣＱＩ表における変調スキームと符号レートの最後のＬ１通りの組み合わせとして使用され、第４のＣＱＩ表における変調スキームと符号レートの最初のＬ２通りの組み合わせがＢＰＳＫと符号レートｒの組み合わせであり（ただしＬ１とＬ２はそれぞれ１より大きい正の整数であり、ｒは１５６／１０２４より小さい実数であり、Ｌ１＋Ｌ２≦１５、且つｘ≦４である）、第５のＣＱＩ表が２ｙの値を有し、第５のＣＱＩ表における各ＣＱＩがｙビットで表わされ、変調スキームと符号レートのＬ３通りの組み合わせが、第４のＣＱＩ表における変調スキームと符号レートのＬ４通りの組み合わせを除き、第５のＣＱＩ表における変調スキームと符号レートの最後のＬ３通りの組み合わせとして使用され、第５のＣＱＩ表における変調スキームと符号レートの最初のＬ４通りの組み合わせがＢＰＳＫと符号レートｒの組み合わせである（ただしＬ３とＬ４はそれぞれ１より大きい正の整数であり、ｒは１５６／１０２４より小さい実数であり、Ｌ３＋Ｌ４≦１５、且つｙ≦４である）こと、
第４のＣＱＩ表が２ｘの値を有し、第４のＣＱＩ表における各ＣＱＩがｘビットで表わされ、変調スキームと符号レートのＬ１通りの組み合わせが、第１のＣＱＩ表における変調スキームと符号レートのＬ２通りの組み合わせを除き、第４のＣＱＩ表における変調スキームと符号レートの最後のＬ１通りの組み合わせとして使用され、第４のＣＱＩ表における変調スキームと符号レートの最初のＬ２通りの組み合わせがＢＰＳＫと符号レートｒのＬ２１通りの組み合わせ及びＱＰＳＫと符号レートｒのＬ２２通りの組み合わせを含み（ただしＬ１とＬ２はそれぞれ１より大きい正の整数であり、Ｌ２＝Ｌ２１＋Ｌ２２であり、ｒは１５６／１０２４より小さい実数であり、Ｌ１＋Ｌ２≦１５、且つｘ≦４である）、第５のＣＱＩ表が２ｙの値を有し、第５のＣＱＩ表における各ＣＱＩがｙビットで表わされ、変調スキームと符号レートのＬ３通りの組み合わせが、第５のＣＱＩ表における変調スキームと符号レートのＬ４通りの組み合わせを除き、第５のＣＱＩ表における変調スキームと符号レートの最後のＬ３通りの組み合わせとして使用され、第５のＣＱＩ表における変調スキームと符号レートの最初のＬ４通りの組み合わせがＢＰＳＫと符号レートｒのＬ４１通りの組み合わせ及びＱＰＳＫと符号レートｒのＬ４２通りの組み合わせを含む（ただしＬ３とＬ４はそれぞれ１より大きい正の整数であり、Ｌ２＝Ｌ４１＋Ｌ４２であり、ｒは１５６／１０２４より小さい実数であり、Ｌ３＋Ｌ４≦１５、且つｙ≦４である）こと、又は
第１のＣＱＩ表が変調スキームと符号レートのＬ１通りの組み合わせを含み、第４のＣＱＩ表が変調スキームと符号レートのＬ２通りの組み合わせを含み、第５のＣＱＩ表が変調スキームと符号レートのＬ２通りの組み合わせを含み（ただしＬ１とＬ２はそれぞれ７以上の整数であり、Ｌ２＜Ｌ１／２である）、第４のＣＱＩ表における変調スキームと符号レートの全ての組み合わせ及び第５のＣＱＩ表における変調スキームと符号レートの全ての組み合わせがそれぞれ、第１のＣＱＩ表における変調スキームと符号レートの全ての組み合わせのサブセットであること
のうちの一つを含み得る。
【００６２】
本発明では、第１のＣＱＩ表は、最大６４の変調次数を有するＣＱＩ表、最大１６の変調次数を有するＣＱＩ表、又はロングタームエボリューション（ＬＴＥ）リリース８における４ビットＣＱＩ表のうちの少なくとも一つを含み得る。
【００６３】
任意選択で、第４のＣＱＩ表及び第５のＣＱＩ表は以下の特徴、即ち、
第５のＣＱＩ表における符号レートの最小値が第４のＣＱＩ表における符号レートの最小値より小さいこと、
第５のＣＱＩ表における符号レートの最小値が１／１０２４以下であること、
第４のＣＱＩ表における符号レートの最小値が１／１０２４以下であること、
第４のＣＱＩ表がＱＰＳＫとｒ＝４４９／１０２４の組み合わせを含むこと、
第４のＣＱＩ表が第１のＣＱＩ表におけるＱＰＳＫと符号レートの組み合わせを全て含むこと、
第５のＣＱＩ表が第１のＣＱＩ表におけるＱＰＳＫと符号レートの組み合わせを全く含まないこと、
第５のＣＱＩ表が、第４のＣＱＩ表に含まれるが第１のＣＱＩ表に含まれないＱＰＳＫと符号レートの組み合わせを全て含むこと、
第４のＣＱＩ表が第１のＣＱＩ表における１６ＱＡＭと符号レートの少なくとも一つの組み合わせを含むこと、
第４のＣＱＩ表において隣接する組み合わせの全てのペアにおけるスペクトル効率比のうち、最後の組み合わせと最後から２番目の組み合わせのペアにおけるスペクトル効率比（最後の組み合わせのスペクトル効率と最後から２番目の組み合わせのスペクトル効率との比率と定義される）が最も高いこと、
第４のＣＱＩ表において隣接する組み合わせの全てのペアにおけるスペクトル効率比のうち、第２の組み合わせと第１の組み合わせのペアにおけるスペクトル効率比（第２の組み合わせのスペクトル効率と第１の組み合わせのスペクトル効率との比率と定義される）が最も高いこと、
第４のＣＱＩ表において隣接する組み合わせの全てのペアにおけるスペクトル効率比のうち、最後の組み合わせと最後から２番目の組み合わせのペアにおけるスペクトル効率比及び第２の組み合わせと第１の組み合わせのペアにおけるスペクトル効率比が、他の組み合わせのペアにおけるスペクトル効率比より高いこと、
第４のＣＱＩ表において隣接する組み合わせの全てのペアにおけるスペクトル効率比のうち、最後の組み合わせと最後から２番目の組み合わせのペアにおけるスペクトル効率比及び最後から３番目の組み合わせと最後から２番目の組み合わせのペアにおけるスペクトル効率比（最後から３番目の組み合わせのスペクトル効率と最後から２番目の組み合わせのスペクトル効率との比率と定義される）が、他の組み合わせのペアにおけるスペクトル効率比より高いこと、
第４のＣＱＩ表において隣接する組み合わせの全てのペアにおけるスペクトル効率比のうち、第２の組み合わせと第１の組み合わせのペアにおけるスペクトル効率比及び第３の組み合わせと第２の組み合わせのペアにおけるスペクトル効率比（第３の組み合わせのスペクトル効率と第２の組み合わせのスペクトル効率との比率と定義される）が、他の組み合わせのペアにおけるスペクトル効率比より高いこと、
現在のＣＱＩ又は最新のＣＱＩが第１のＣＱＩ表を基本とし、該ＣＱＩが範囲外状態を意味する値を有する場合に、現在のＣＱＩが第４のＣＱＩ表に基づく別のＣＱＩのフィードバックをトリガーすること、又は
現在のＣＱＩ又は最新のＣＱＩが第４のＣＱＩ表を基本とし、該ＣＱＩが範囲外状態を意味する値を有する場合に、現在のＣＱＩが第５のＣＱＩ表に基づく別のＣＱＩのフィードバックをトリガーすること
のうちの少なくとも一つを含み得る。
【００６４】
本開示の実施形態によれば、上位層構成シグナリングメッセージが端末に送信され、ＣＱＩ情報が端末から受信される。ＣＱＩ情報は、上位層構成シグナリングメッセージに基づいて取得されるＣＱＩ表に基づいて判定される。上述の解決策により、有効範囲拡張を用いるＭＴＣ端末及び５Ｇ端末に要求される、より高いデータ送信信頼性及びより低いデータ送信速度が達成され得る。
【００６５】
他の態様は、図面及び詳細な説明から理解され得る。
【図面の簡単な説明】
【００６６】
【図１】本開示の一実施形態によるＣＱＩ情報の受信方法を例示するフローチャートである。
【図２】本開示の一実施形態によるＣＱＩ情報の送信方法を例示するフローチャートである。
【図３】本開示の一実施形態によるＣＱＩ情報の受信装置の構造を示すブロック図である。
【図４】本開示の一実施形態によるＣＱＩ情報の送信装置の構造を示すブロック図である。
【発明を実施するための形態】
【００６７】
以下、本開示について、図面を参考に、実施形態と併せて詳しく説明する。実施形態及びそれらの特徴は、互いに相反しなければ組み合わせてもよい。
【００６８】
注意すべき点として、説明、請求項及び図面における「第１の」、「第２の」、等々といった表現は、類似する対象物を区別するために使用され、必ずしも特定の順序（ｏｒｄｅｒ  ｏｒ  ｓｅｑｕｅｎｃｅ）を意味するわけではない。
【００６９】
一実施形態において、ＣＱＩ情報の受信方法が提供される。図１は、本開示の一実施形態によるＣＱＩ情報の受信方法を例示するフローチャートである。図１に記載の通り、該方法は以下に記載のステップを含む。
【００７０】
ステップＳ１０２にて、上位層構成シグナリングメッセージが端末に送信される。
【００７１】
ステップＳ１０２にて、ＣＱＩ情報が端末から受信される。ＣＱＩ情報は、上位層構成シグナリングメッセージに基づいて取得されるＣＱＩ表に基づいて判定される。
【００７２】
本発明では、上述のステップが基地局にて実行され得る。上述の端末はＭＴＣ端末又は５Ｇ端末であってもよく、又はそうでなくてもよい。上述のステップによれば、端末から受信されるＣＱＩ情報は、上位層構成シグナリングメッセージに基づいて取得されるＣＱＩ表に基づいて端末によって判定されるＣＱＩ情報である。その結果、端末に要求される、より高いデータ送信信頼性及びより低いデータ送信速度が達成され得ることにより、有効範囲拡張を用いるＭＴＣ端末及び５Ｇ端末に要求される、より高いデータ送信信頼性及びより低いデータ送信速度が提供される。
【００７３】
任意選択的な一実施形態において、上述の上位層構成シグナリングメッセージは以下の情報、即ち、有効範囲レベルシグナリング、チャネル状態情報（ＣＳＩ）参照リソースに占有されるサブフレーム数（Ｍ）、ダウンリンク制御チャネル向けの反復数、ダウンリンクデータ共有チャネル向けの反復数、物理ランダムアクセスチャネル（ＰＲＡＣＨ）向けの反復数、ＣＱＩ表選択シグナリング、端末カテゴリー、シナリオ表示シグナリング、周波数帯域表示シグナリング、又はチャネル符号化種別表示情報のうちの少なくとも一つを含み得る。本発明では、上述の反復数とは、１回以上の反復送信を指す。上述の有効範囲レベルシグナリングは、以下の有効範囲、即ち、通常の有効範囲若しくは拡張有効範囲、通常の有効範囲、中程度の有効範囲若しくは深い有効範囲、又は通常の有効範囲、低い拡張有効範囲、中程度の拡張有効範囲若しくは高い拡張有効範囲のうちの一つを含む有効範囲レベルを意味する。シナリオ表示シグナリングは、拡張モバイルブロードバンド（ｅＭＢＢ）シナリオ、超高信頼低遅延通信（ＵＲＬＬＣ）シナリオ又は大容量マシン型通信（ｍＭＴＣ）シナリオを意味する。周波数帯域表示シグナリングは、様々な範囲の搬送波周波数を意味する。チャネル符号化種別表示情報は、低密度パリティ検査（ＬＤＰＣ）符号、ターボ符号、畳み込み符号又は極性符号のうちのいずれか二つを含む様々なチャネル符号化種別を意味する。
【００７４】
任意選択で、上述の上位層構成シグナリングメッセージは以下の情報、即ち、有効範囲レベルシグナリング及びＣＳＩ参照リソースに占有されるサブフレーム数（Ｍ）、有効範囲レベルシグナリング及び反復数、ＣＳＩ参照リソースに占有されるサブフレーム数（Ｍ）及び反復数、ＣＳＩ参照リソースに占有されるサブフレーム数（Ｍ）及びＣＱＩ表選択シグナリング、ＣＳＩ参照リソースに占有されるサブフレーム数（Ｍ）及び端末種別、端末種別及び有効範囲レベルシグナリング、有効範囲レベルシグナリング及びＣＱＩ表選択シグナリング、有効範囲レベルシグナリング及びＣＱＩ表選択シグナリング、又はＣＳＩ参照リソースに占有されるサブフレーム数（Ｍ）及びＣＱＩ表選択シグナリングのうちの一つを含み得る。本発明では、反復数はダウンリンク制御チャネル向けの反復数、ダウンリンクデータ共有チャネル向けの反復数、又はＰＲＡＣＨ向けの反復数のうちの少なくとも一つを含む。
【００７５】
以下、様々な実施形態について、上位層構成設定信号に基づくＣＱＩ表の選択方法を説明する形で記述する。いくつかのより具体的な例を以下に記載する。
【００７６】
１．上位層構成シグナリングメッセージは有効範囲レベルシグナリングを含む。つまり、様々な有効範囲レベルシグナリングが、ＭＴＣ端末向けに各々異なる有効範囲レベルを含む。この場合、異なる有効範囲レベルに基づいて異なるＣＱＩ表が選択され得る。
【００７７】
２．上位層構成シグナリングメッセージは有効範囲レベルシグナリングを含む。閾値を予め定義してもよい。有効範囲レベルが閾値より小さい場合、第１のＣＱＩ表が使用される。有効範囲レベルが閾値より大きい場合、第２のＣＱＩ表が使用される。同様に、二つの閾値を定義してもよく、その場合、結果的に値の範囲が三通りとなる。三つのＣＱＩ表（即ち第１のＣＱＩ表、第４のＣＱＩ表及び第５のＣＱＩ表、以下、これらを「三種ＣＱＩ表」という）が、各々異なる値範囲に基づく選択向けに提供され得る。
【００７８】
３．上位層構成シグナリングメッセージは、ダウンリンク制御チャネル向けの反復数、ダウンリンクデータ共有チャネル向けの反復数又はＰＲＡＣＨ向けの反復数を含む。閾値を予め定義してもよい。反復数が閾値より小さい場合、第１のＣＱＩ表が使用される。反復数が閾値より大きい場合、第２のＣＱＩ表が使用される。同様に、二つの閾値を定義してもよく、その場合、結果的に値の範囲が三通りとなる。三種ＣＱＩ表が、各々異なる値範囲に基づく選択向けに提供され得る。
【００７９】
４．上位層構成シグナリングメッセージは、ＣＳＩ参照リソースに占有されるサブフレーム数（Ｍ）を含む。閾値を予め定義してもよい。Ｍが閾値より小さい場合、第１のＣＱＩ表が使用される。Ｍが閾値より大きい場合、第２のＣＱＩ表が使用される。同様に、二つの閾値を定義してもよく、その場合、結果的に値の範囲が三通りとなる。三種ＣＱＩ表が、各々異なる値範囲に基づく選択向けに提供され得る。
【００８０】
５．ＣＱＩ表は、ＣＱＩ表選択シグナリングに直接基づいて選択され得る。
【００８１】
６．ＣＱＩ表は、端末種別に基づいて選択され得る。いくつかの端末種別については第１のＣＱＩ表が選択されるが、他の端末種別については第２のＣＱＩ表が選択される。
【００８２】
最後に、ＣＱＩ表は上述の信号のうちの二つ以上の組み合わせに従って判定され得るが、それに関するさらなる詳細については本明細書では省略する。
【００８３】
任意選択的な一実施形態において、上述のＣＱＩ表は様々な種類のＣＱＩ表を含み得る。これらの種類のＣＱＩ表について以下に記載する。
【００８４】
上述のＣＱＩ表は第１のＣＱＩ表及び第２のＣＱＩ表を含み得る。つまり、第１のＣＱＩ表及び第２のＣＱＩ表は上位層構成設定信号に基づいて選択され得る。第２のＣＱＩ表は以下の特徴、即ち、
第２のＣＱＩ表が２ｘの値を有し、第２のＣＱＩ表における各ＣＱＩがｘビットで表わされ、変調スキームと符号レートのＬ１通りの組み合わせが、第１のＣＱＩ表における変調スキームと符号レートのＬ２通りの組み合わせを除き、第２のＣＱＩ表における変調スキームと符号レートの最後のＬ１通りの組み合わせとして使用され、第２のＣＱＩ表における変調スキームと符号レートの最初のＬ２通りの組み合わせが、直角位相シフトキーイング（ＱＰＳＫ）と符号レートｒの組み合わせである（ただしＬ１とＬ２はそれぞれ０以上の整数であり、ｒは７８／１０２４より小さい実数であり、Ｌ１＋Ｌ２≦１５、且つｘ≦４である）こと、
第２のＣＱＩ表が２ｘの値を有し、第２のＣＱＩ表における各ＣＱＩがｘビットで表わされ、変調スキームと符号レートのＬ１通りの組み合わせが、第１のＣＱＩ表における変調スキームと符号レートのＬ２通りの組み合わせを除き、第２のＣＱＩ表における変調スキームと符号レートの最後のＬ１通りの組み合わせとして使用され、第２のＣＱＩ表における変調スキームと符号レートの最初のＬ２通りの組み合わせが、二位相シフトキーイング（ＢＰＳＫ）と符号レートｒの組み合わせである（ただしＬ１とＬ２はそれぞれ０以上の整数であり、ｒは１５６／１０２４より小さい実数であり、Ｌ１＋Ｌ２≦１５、且つｘ≦４である）こと、
第２のＣＱＩ表が２ｘの値を有し、第２のＣＱＩ表における各ＣＱＩがｘビットで表わされ、変調スキームと符号レートのＬ１通りの組み合わせが、第１のＣＱＩ表における変調スキームと符号レートのＬ２通りの組み合わせを除き、第２のＣＱＩ表における変調スキームと符号レートの最後のＬ１通りの組み合わせとして使用され、第２のＣＱＩ表における変調スキームと符号レートの最初のＬ２通りの組み合わせが、ＢＰＳＫと符号レートｒのＬ２１通りの組み合わせ及びＱＰＳＫと符号レートｒのＬ２２通りの組み合わせを含む（ただしＬ１とＬ２はそれぞれ０以上の整数であり、Ｌ２＝Ｌ２１＋Ｌ２２であり、ｒは１５６／１０２４より小さい実数であり、Ｌ１＋Ｌ２≦１５、且つｘ≦４である）こと、
第２のＣＱＩ表が２ｘの値を有し、第２のＣＱＩ表における各ＣＱＩがｘビットで表わされ、第１のＣＱＩ表が変調スキームと符号レートの合計Ｌ１通りの組み合わせを含み、変調スキームと符号レートのＬ１通りの組み合わせが第２のＣＱＩ表における変調スキームと符号レートの最初又は最後のＬ１通りの組み合わせとして使用され、第２のＣＱＩ表における変調スキームと符号レートの残りのＬ２通りの組み合わせがＢＰＳＫと符号レートｒのＬ２１通りのタイプ１の組み合わせ及びＱＰＳＫと符号レートｒのＬ２２通りのタイプ２の組み合わせを含む（ただしＬ１とＬ２はそれぞれ０より大きい整数であり、Ｌ２１とＬ２２はそれぞれ０以上の整数であり、Ｌ２＝Ｌ２１＋Ｌ２２であり、ｒは１５６／１０２４より小さい実数であり、Ｌ１＋Ｌ２≦１５、且つｘ≦４である）こと、
第１のＣＱＩ表が変調スキームと符号レートの合計Ｌ１通りの組み合わせを含み、第２のＣＱＩ表が変調スキームと符号レートの合計Ｌ２通りの組み合わせを含み、Ｌ２通りの組み合わせがＬ１通りの組み合わせのサブセットである（ただし８≦Ｌ１≦１５、Ｌ２≦７であり、Ｌ１とＬ２はそれぞれ０より大きい整数であり、第１のＣＱＩ表における最も高次の変調スキームは６４直角位相振幅変調（ＱＡＭ）であり、第２のＣＱＩ表における最も高次の変調スキームは１６ＱＡＭである）こと、又は
第１のＣＱＩ表及び第２のＣＱＩ表が変調スキームと符号レートの合計Ｌ１＝７通りの組み合わせを含み、第１のＣＱＩ表における変調スキームがＱＰＳＫと１６ＱＡＭを含み、第２のＣＱＩ表における変調スキームがＱＰＳＫ及び／又はＢＰＳＫを含み、第２のＣＱＩ表が第１のＣＱＩ表における第１、第３、第５及び第７の組み合わせのうちの少なくとも二つ、若しくは第１のＣＱＩ表における第２、第４、第６の組み合わせのうちの少なくとも二つを含むこと
のうちの少なくとも一つを有し得る。
【００８５】
本発明では、第１のＣＱＩ表は、最大６４の変調次数を有するＣＱＩ表、最大１６の変調次数を有するＣＱＩ表、又はロングタームエボリューション（ＬＴＥ）リリース８における４ビットＣＱＩ表のうちの少なくとも一つを含み得る。
【００８６】
任意選択的な一実施形態において、第２のＣＱＩ表は以下の特徴、即ち、
ｒの最小値が１／１０２４未満であること、
ｒの最小値が１／２０４８、１／４０９６又は１／３０７２に等しいこと、
ＱＰＳＫとｒ＝４４９／１０２４の組み合わせが除外されること、
第２のＣＱＩ表が、ＱＰＳＫとｒ＝４４９／１０２４の組み合わせを除く、第１のＣＱＩ表におけるＱＰＳＫと符号レートの組み合わせを全て含むこと、
第２のＣＱＩ表が第１のＣＱＩ表における１６ＱＡＭと符号レートの組み合わせを一つ含むこと、
第２のＣＱＩ表が１６ＱＡＭと符号レート４９０／１０２４の組み合わせ及び１６ＱＡＭと符号レート６１６／１０２４の組み合わせのうちの一つを含むこと、
第２のＣＱＩ表において隣接する組み合わせの全てのペアにおけるスペクトル効率比のうち、最後の組み合わせと最後から２番目の組み合わせのペアにおけるスペクトル効率比（最後の組み合わせのスペクトル効率と最後から２番目の組み合わせのスペクトル効率との比率と定義される）が最も高いこと、
第２のＣＱＩ表において隣接する組み合わせの全てのペアにおけるスペクトル効率比のうち、第２の組み合わせと第１の組み合わせのペアにおけるスペクトル効率比（第２の組み合わせのスペクトル効率と第１の組み合わせのスペクトル効率との比率と定義される）が最も高いこと、
第２のＣＱＩ表において隣接する組み合わせの全てのペアにおけるスペクトル効率比のうち、最後の組み合わせと最後から２番目の組み合わせのペアにおけるスペクトル効率比及び第２の組み合わせと第１の組み合わせのペアにおけるスペクトル効率比が、他の組み合わせのペアにおけるスペクトル効率比より高いこと、
第２のＣＱＩ表において隣接する組み合わせの全てのペアにおけるスペクトル効率比のうち、最後の組み合わせと最後から２番目の組み合わせのペアにおけるスペクトル効率比及び最後から３番目の組み合わせと最後から２番目の組み合わせのペアにおけるスペクトル効率比（最後から３番目の組み合わせのスペクトル効率と最後から２番目の組み合わせのスペクトル効率との比率と定義される）が、他の組み合わせのペアにおけるスペクトル効率比より高いこと、
第２のＣＱＩ表において隣接する組み合わせの全てのペアにおけるスペクトル効率比のうち、第２の組み合わせと第１の組み合わせのペアにおけるスペクトル効率比及び第３の組み合わせと第２の組み合わせのペアにおけるスペクトル効率比（第３の組み合わせのスペクトル効率と第２の組み合わせのスペクトル効率との比率と定義される）が、他の組み合わせのペアにおけるスペクトル効率比より高いこと、
最新のＣＱＩが第１のＣＱＩ表を基本とし、該ＣＱＩが範囲外状態を意味する値を有する場合に、現在のＣＱＩが第２のＣＱＩ表に基づく別のＣＱＩのフィードバックをトリガーすること、
上述のＣＱＩ表がさらに、より低いスペクトル効率を有する変調スキームと符号レートの組み合わせから成る第３のＣＱＩ表をも含み、最新のＣＱＩが第２のＣＱＩ表を基本とし、該ＣＱＩが範囲外状態を意味する値を有する場合に、現在のＣＱＩが第３のＣＱＩ表に基づく別のＣＱＩのフィードバックをトリガーすること、
第２のＣＱＩ表が二通りの範囲外状態、即ち最も低いスペクトル効率に付随する変調スキームと符号レートの最も低い組み合わせよりも低い状態、及び最も高いスペクトル効率に付随する変調スキームと符号レートの最も高い組み合わせよりも高い状態を含むこと、
第２のＣＱＩ表における変調スキームと符号レートのＮ１通りの連続的組み合わせからの隣接する組み合わせのどのペアのスペクトル効率比も、第１のＣＱＩ表における変調スキームと符号レートのＮ２通りの連続的組み合わせからの隣接する組み合わせのあらゆるペアのスペクトル効率比よりも高い（ただしＮ１及びＮ２はそれぞれ２以上の整数である）こと、又は
第２のＣＱＩ表の中間における変調スキームと符号レートのＮ３通りの連続的組み合わせからの隣接する組み合わせの各ペアのスペクトル効率比が、第２のＣＱＩ表における最初のＮ４通りの連続的組み合わせ及び最後のＮ５通りの連続的組み合わせからの隣接する組み合わせのあらゆるペアのスペクトル効率比よりも低い（ただしＮ３、Ｎ４及びＮ５はそれぞれ２以上の整数である）こと
のうちの少なくとも一つを有し得る。
【００８７】
任意選択的な一実施形態において、上述のＣＱＩ表は第１のＣＱＩ表、第４のＣＱＩ表及び第５のＣＱＩ表を含み得る。つまり、第１のＣＱＩ表、第４のＣＱＩ表又は第５のＣＱＩ表は上位層構成設定信号に基づいて選択され得る。第４のＣＱＩ表及び第５のＣＱＩ表は以下の組み合わせ、即ち、
第４のＣＱＩ表が２ｘの値を有し、第４のＣＱＩ表における各ＣＱＩがｘビットで表わされ、変調スキームと符号レートのＬ１通りの組み合わせが、第１のＣＱＩ表における変調スキームと符号レートのＬ２通りの組み合わせを除き、第４のＣＱＩ表における変調スキームと符号レートの最後のＬ１通りの組み合わせとして使用され、第４のＣＱＩ表における変調スキームと符号レートの最初のＬ２通りの組み合わせがＱＰＳＫと符号レートｒの組み合わせであり（ただしＬ１とＬ２はそれぞれ１より大きい正の整数であり、ｒは７８／１０２４より小さい実数であり、Ｌ１＋Ｌ２≦１５、且つｘ≦４である）、第５のＣＱＩ表が２ｙの値を有し、第５のＣＱＩ表における各ＣＱＩがｙビットで表わされ、変調スキームと符号レートのＬ３通りの組み合わせが、第４のＣＱＩ表における変調スキームと符号レートのＬ４通りの組み合わせを除き、第５のＣＱＩ表における変調スキームと符号レートの最後のＬ３通りの組み合わせとして使用され、第５のＣＱＩ表における変調スキームと符号レートの最初のＬ４通りの組み合わせがＱＰＳＫと符号レートｒの組み合わせである（ただしＬ３とＬ４はそれぞれ１より大きい正の整数であり、ｒは７８／１０２４より小さい実数であり、Ｌ３＋Ｌ４≦１５、且つｙ≦４である）こと、
第４のＣＱＩ表が２ｘの値を有し、第４のＣＱＩ表における各ＣＱＩがｘビットで表わされ、変調スキームと符号レートのＬ１通りの組み合わせが、第１のＣＱＩ表における変調スキームと符号レートのＬ２通りの組み合わせを除き、第４のＣＱＩ表における変調スキームと符号レートの最後のＬ１通りの組み合わせとして使用され、第４のＣＱＩ表における変調スキームと符号レートの最初のＬ２通りの組み合わせがＢＰＳＫと符号レートｒの組み合わせであり（ただしＬ１とＬ２はそれぞれ１より大きい正の整数であり、ｒは１５６／１０２４より小さい実数であり、Ｌ１＋Ｌ２≦１５、且つｘ≦４である）、第５のＣＱＩ表が２ｙの値を有し、第５のＣＱＩ表における各ＣＱＩがｙビットで表わされ、変調スキームと符号レートのＬ３通りの組み合わせが、第４のＣＱＩ表における変調スキームと符号レートのＬ４通りの組み合わせを除き、第５のＣＱＩ表における変調スキームと符号レートの最後のＬ３通りの組み合わせとして使用され、第５のＣＱＩ表における変調スキームと符号レートの最初のＬ４通りの組み合わせがＢＰＳＫと符号レートｒの組み合わせである（ただしＬ３とＬ４はそれぞれ１より大きい正の整数であり、ｒは１５６／１０２４より小さい実数であり、Ｌ３＋Ｌ４≦１５、且つｙ≦４である）こと、
第４のＣＱＩ表が２ｘの値を有し、第４のＣＱＩ表における各ＣＱＩがｘビットで表わされ、変調スキームと符号レートのＬ１通りの組み合わせが、第１のＣＱＩ表における変調スキームと符号レートのＬ２通りの組み合わせを除き、第４のＣＱＩ表における変調スキームと符号レートの最後のＬ１通りの組み合わせとして使用され、第４のＣＱＩ表における変調スキームと符号レートの最初のＬ２通りの組み合わせがＢＰＳＫと符号レートｒのＬ２１通りの組み合わせ及びＱＰＳＫと符号レートｒのＬ２２通りの組み合わせを含み（ただしＬ１とＬ２はそれぞれ１より大きい正の整数であり、Ｌ２＝Ｌ２１＋Ｌ２２であり、ｒは１５６／１０２４より小さい実数であり、Ｌ１＋Ｌ２≦１５、且つｘ≦４である）、第５のＣＱＩ表が２ｙの値を有し、第５のＣＱＩ表における各ＣＱＩがｙビットで表わされ、変調スキームと符号レートのＬ３通りの組み合わせが、第４のＣＱＩ表における変調スキームと符号レートのＬ４通りの組み合わせを除き、第５のＣＱＩ表における変調スキームと符号レートの最後のＬ３通りの組み合わせとして使用され、第５のＣＱＩ表における変調スキームと符号レートの最初のＬ４通りの組み合わせがＢＰＳＫと符号レートｒのＬ４１通りの組み合わせ及びＱＰＳＫと符号レートｒのＬ４２通りの組み合わせを含む（ただしＬ３とＬ４はそれぞれ１より大きい正の整数であり、Ｌ２＝Ｌ４１＋Ｌ４２であり、ｒは１５６／１０２４より小さい実数であり、Ｌ３＋Ｌ４≦１５、且つｙ≦４である）こと、又は
第１のＣＱＩ表が変調スキームと符号レートのＬ１通りの組み合わせを含み、第４のＣＱＩ表が変調スキームと符号レートのＬ２通りの組み合わせを含み、第５のＣＱＩ表が変調スキームと符号レートのＬ２通りの組み合わせを含み（ただしＬ１とＬ２はそれぞれ７以上の整数であり、Ｌ２＜Ｌ１／２である）、第４のＣＱＩ表における変調スキームと符号レートの全ての組み合わせ及び第５のＣＱＩ表における変調スキームと符号レートの全ての組み合わせがそれぞれ、第１のＣＱＩ表における変調スキームと符号レートの全ての組み合わせのサブセットであること
のうちの一つを含み得る。
【００８８】
本発明では、第１のＣＱＩ表は、最大６４の変調次数を有するＣＱＩ表、最大１６の変調次数を有するＣＱＩ表、又はロングタームエボリューション（ＬＴＥ）リリース８における４ビットＣＱＩ表のうちの少なくとも一つを含み得る。
【００８９】
任意選択的な一実施形態において、第４のＣＱＩ表及び第５のＣＱＩ表は以下の特徴、即ち、
第５のＣＱＩ表における符号レートの最小値が第４のＣＱＩ表における符号レートの最小値より小さいこと、
第５のＣＱＩ表における符号レートの最小値が１／１０２４以下であること、
第４のＣＱＩ表における符号レートの最小値が１／１０２４以下であること、
第４のＣＱＩ表がＱＰＳＫとｒ＝４４９／１０２４の組み合わせを含むこと、
第４のＣＱＩ表が第１のＣＱＩ表におけるＱＰＳＫと符号レートの組み合わせを全て含むこと、
第５のＣＱＩ表が第１のＣＱＩ表におけるＱＰＳＫと符号レートの組み合わせを全く含まないこと、
第５のＣＱＩ表が、第４のＣＱＩ表に含まれるが第１のＣＱＩ表に含まれないＱＰＳＫと符号レートの組み合わせを全て含むこと、
第４のＣＱＩ表が第１のＣＱＩ表における１６ＱＡＭと符号レートの少なくとも一つの組み合わせを含むこと、
第４のＣＱＩ表において隣接する組み合わせの全てのペアにおけるスペクトル効率比のうち、最後の組み合わせと最後から２番目の組み合わせのペアにおけるスペクトル効率比（最後の組み合わせのスペクトル効率と最後から２番目の組み合わせのスペクトル効率との比率と定義される）が最も高いこと、
第４のＣＱＩ表において隣接する組み合わせの全てのペアにおけるスペクトル効率比のうち、第２の組み合わせと第１の組み合わせのペアにおけるスペクトル効率比（第２の組み合わせのスペクトル効率と第１の組み合わせのスペクトル効率との比率と定義される）が最も高いこと、
第４のＣＱＩ表において隣接する組み合わせの全てのペアにおけるスペクトル効率比のうち、最後の組み合わせと最後から２番目の組み合わせのペアにおけるスペクトル効率比及び第２の組み合わせと第１の組み合わせのペアにおけるスペクトル効率比が、他の組み合わせのペアにおけるスペクトル効率比より高いこと、
第４のＣＱＩ表において隣接する組み合わせの全てのペアにおけるスペクトル効率比のうち、最後の組み合わせと最後から２番目の組み合わせのペアにおけるスペクトル効率比及び最後から３番目の組み合わせと最後から２番目の組み合わせのペアにおけるスペクトル効率比（最後から３番目の組み合わせのスペクトル効率と最後から２番目の組み合わせのスペクトル効率との比率と定義される）が、他の組み合わせのペアにおけるスペクトル効率比より高いこと、
第４のＣＱＩ表において隣接する組み合わせの全てのペアにおけるスペクトル効率比のうち、第２の組み合わせと第１の組み合わせのペアにおけるスペクトル効率比及び第３の組み合わせと第２の組み合わせのペアにおけるスペクトル効率比（第３の組み合わせのスペクトル効率と第２の組み合わせのスペクトル効率との比率と定義される）が、他の組み合わせのペアにおけるスペクトル効率比より高いこと、
現在のＣＱＩ又は最新のＣＱＩが第１のＣＱＩ表を基本とし、該ＣＱＩが範囲外状態を意味する値を有する場合に、現在のＣＱＩが第４のＣＱＩ表に基づく別のＣＱＩのフィードバックをトリガーすること、又は
現在のＣＱＩ又は最新のＣＱＩが第４のＣＱＩ表を基本とし、該ＣＱＩが範囲外状態を意味する値を有する場合に、現在のＣＱＩが第５のＣＱＩ表に基づく別のＣＱＩのフィードバックをトリガーすること
のうちの少なくとも一つを有し得る。
【００９０】
本開示の一実施形態において、ＣＱＩ情報の送信方法が提供される。図２は、本開示の一実施形態によるＣＱＩ情報の送信方法を例示するフローチャートである。図２に記載の通り、該方法は以下に記載のステップを含む。
【００９１】
ステップＳ１０２にて、基地局から送信された上位層構成シグナリングメッセージが受信される。
【００９２】
ステップＳ２０４にて、上位層構成シグナリングメッセージに基づいて取得されたＣＱＩ表に基づいてＣＱＩ情報が判定される。
【００９３】
ステップＳ２０６にて、判定されたＣＱＩ情報が基地局に送信される。
【００９４】
本発明では、上述のステップが基地局にて実行され得る。端末はＭＴＣ端末であってもよく、又はそうでなくてもよい。上述のステップにより、上位層構成シグナリングメッセージに基づいて取得されたＣＱＩ表に基づいてＣＱＩ情報が判定される。その結果、端末に要求される、より高いデータ送信信頼性及びより低いデータ送信速度が達成され得ることにより、有効範囲拡張を用いるＭＴＣ端末及び５Ｇ端末に要求される、より高いデータ送信信頼性及びより低いデータ送信速度が提供される。
【００９５】
任意選択的な一実施形態において、上述の上位層構成シグナリングは以下の情報、即ち、有効範囲レベルシグナリング、チャネル状態情報（ＣＳＩ）参照リソースに占有されるサブフレーム数（Ｍ）、ダウンリンク制御チャネル向けの反復数、ダウンリンクデータ共有チャネル向けの反復数、物理ランダムアクセスチャネル（ＰＲＡＣＨ）向けの反復数、ＣＱＩ表選択シグナリング、端末カテゴリー、シナリオ表示シグナリング、周波数帯域表示シグナリング、又はチャネル符号化種別表示情報のうちの少なくとも一つを含み得る。上述の有効範囲レベルシグナリングは、以下の有効範囲、即ち、通常の有効範囲若しくは拡張有効範囲、通常の有効範囲、中程度の有効範囲若しくは深い有効範囲、又は通常の有効範囲、低い拡張有効範囲、中程度の拡張有効範囲若しくは高い拡張有効範囲のうちの一つを含む有効範囲レベルを意味する。シナリオ表示シグナリングは、拡張モバイルブロードバンド（ｅＭＢＢ）シナリオ、超高信頼低遅延通信（ＵＲＬＬＣ）シナリオ又は大容量マシン型通信（ｍＭＴＣ）シナリオを意味する。周波数帯域表示シグナリングは、様々な範囲の搬送波周波数を意味する。チャネル符号化種別表示情報は、低密度パリティ検査（ＬＤＰＣ）符号、ターボ符号、畳み込み符号又は極性符号のうちのいずれか二つを含む様々なチャネル符号化種別を意味する。
【００９６】
任意選択で、上述の上位層構成シグナリングメッセージは以下の情報、即ち、有効範囲レベルシグナリング及びＣＳＩ参照リソースに占有されるサブフレーム数（Ｍ）、有効範囲レベルシグナリング及び反復数、ＣＳＩ参照リソースに占有されるサブフレーム数（Ｍ）及び反復数、ＣＳＩ参照リソースに占有されるサブフレーム数（Ｍ）及びＣＱＩ表選択シグナリング、ＣＳＩ参照リソースに占有されるサブフレーム数（Ｍ）及び端末種別、端末種別及び有効範囲レベルシグナリング、有効範囲レベルシグナリング及びＣＱＩ表選択シグナリング、有効範囲レベルシグナリング及びＣＱＩ表選択シグナリング、又はＣＳＩ参照リソースに占有されるサブフレーム数（Ｍ）及びＣＱＩ表選択シグナリングのうちの一つを含み得る。本発明では、反復数はダウンリンク制御チャネル向けの反復数、ダウンリンクデータ共有チャネル向けの反復数、又はＰＲＡＣＨ向けの反復数のうちの少なくとも一つを含む。
【００９７】
上述のＣＱＩ表は様々な種類のＣＱＩ表を含み得る。これらの種類のＣＱＩ表について以下に記載する。
【００９８】
任意選択的な一実施形態において、上述のＣＱＩ表は第１のＣＱＩ表及び第２のＣＱＩ表を含み得る。第２のＣＱＩ表は以下の特徴、即ち、
第２のＣＱＩ表が２ｘの値を有し、第２のＣＱＩ表における各ＣＱＩがｘビットで表わされ、変調スキームと符号レートのＬ１通りの組み合わせが、第１のＣＱＩ表における変調スキームと符号レートのＬ２通りの組み合わせを除き、第２のＣＱＩ表における変調スキームと符号レートの最後のＬ１通りの組み合わせとして使用され、第２のＣＱＩ表における変調スキームと符号レートの最初のＬ２通りの組み合わせが、直角位相シフトキーイング（ＱＰＳＫ）と符号レートｒの組み合わせである（ただしＬ１とＬ２はそれぞれ０以上の整数であり、ｒは７８／１０２４より小さい実数であり、Ｌ１＋Ｌ２≦１５、且つｘ≦４である）こと、
第２のＣＱＩ表が２ｘの値を有し、第２のＣＱＩ表における各ＣＱＩがｘビットで表わされ、変調スキームと符号レートのＬ１通りの組み合わせが、第１のＣＱＩ表における変調スキームと符号レートのＬ２通りの組み合わせを除き、第２のＣＱＩ表における変調スキームと符号レートの最後のＬ１通りの組み合わせとして使用され、第２のＣＱＩ表における変調スキームと符号レートの最初のＬ２通りの組み合わせが、二位相シフトキーイング（ＢＰＳＫ）と符号レートｒの組み合わせである（ただしＬ１とＬ２はそれぞれ０以上の整数であり、ｒは１５６／１０２４より小さい実数であり、Ｌ１＋Ｌ２≦１５、且つｘ≦４である）こと、
第２のＣＱＩ表が２ｘの値を有し、第２のＣＱＩ表における各ＣＱＩがｘビットで表わされ、変調スキームと符号レートのＬ１通りの組み合わせが、第１のＣＱＩ表における変調スキームと符号レートのＬ２通りの組み合わせを除き、第２のＣＱＩ表における変調スキームと符号レートの最後のＬ１通りの組み合わせとして使用され、第２のＣＱＩ表における変調スキームと符号レートの最初のＬ２通りの組み合わせが、ＢＰＳＫと符号レートｒのＬ２１通りの組み合わせ及びＱＰＳＫと符号レートｒのＬ２２通りの組み合わせを含む（ただしＬ１とＬ２はそれぞれ０以上の整数であり、Ｌ２＝Ｌ２１＋Ｌ２２であり、ｒは１５６／１０２４より小さい実数であり、Ｌ１＋Ｌ２≦１５、且つｘ≦４である）こと、
第２のＣＱＩ表が２ｘの値を有し、第２のＣＱＩ表における各ＣＱＩがｘビットで表わされ、第１のＣＱＩ表が変調スキームと符号レートの合計Ｌ１通りの組み合わせを含み、変調スキームと符号レートのＬ１通りの組み合わせが第２のＣＱＩ表における変調スキームと符号レートの最初又は最後のＬ１通りの組み合わせとして使用され、第２のＣＱＩ表における変調スキームと符号レートの残りのＬ２通りの組み合わせがＢＰＳＫと符号レートｒのＬ２１通りのタイプ１の組み合わせ及びＱＰＳＫと符号レートｒのＬ２２通りのタイプ２の組み合わせを含む（ただしＬ１とＬ２はそれぞれ０より大きい整数であり、Ｌ２１とＬ２２はそれぞれ０以上の整数であり、Ｌ２＝Ｌ２１＋Ｌ２２であり、ｒは１５６／１０２４より小さい実数であり、Ｌ１＋Ｌ２≦１５、且つｘ≦４である）こと、
第１のＣＱＩ表が変調スキームと符号レートの合計Ｌ１通りの組み合わせを含み、第２のＣＱＩ表が変調スキームと符号レートの合計Ｌ２通りの組み合わせを含み、Ｌ２通りの組み合わせがＬ１通りの組み合わせのサブセットである（ただし８≦Ｌ１≦１５、Ｌ２≦７であり、Ｌ１とＬ２はそれぞれ０より大きい整数であり、第１のＣＱＩ表における最も高次の変調スキームは６４直角位相振幅変調（ＱＡＭ）であり、第２のＣＱＩ表における最も高次の変調スキームは１６ＱＡＭである）こと、又は
第１のＣＱＩ表及び第２のＣＱＩ表が変調スキームと符号レートの合計Ｌ１＝７通りの組み合わせを含み、第１のＣＱＩ表における変調スキームがＱＰＳＫと１６ＱＡＭを含み、第２のＣＱＩ表における変調スキームがＱＰＳＫ及び／又はＢＰＳＫを含み、第２のＣＱＩ表が第１のＣＱＩ表における第１、第３、第５及び第７の組み合わせのうちの少なくとも二つ、若しくは第１のＣＱＩ表における第２、第４、第６の組み合わせのうちの少なくとも二つを含むこと
のうちの少なくとも一つを有し得る。
【００９９】
本発明では、第１のＣＱＩ表は、最大６４の変調次数を有するＣＱＩ表、最大１６の変調次数を有するＣＱＩ表、又はロングタームエボリューション（ＬＴＥ）リリース８における４ビットＣＱＩ表のうちの少なくとも一つを含み得る。
【０１００】
任意選択的な一実施形態において、第２のＣＱＩ表は以下の特徴、即ち、
ｒの最小値が１／１０２４未満であること、
ｒの最小値が１／２０４８、１／４０９６又は１／３０７２に等しいこと、
ＱＰＳＫとｒ＝４４９／１０２４の組み合わせが除外されること、
第２のＣＱＩ表が、ＱＰＳＫとｒ＝４４９／１０２４の組み合わせを除く、第１のＣＱＩ表におけるＱＰＳＫと符号レートの組み合わせを全て含むこと、
第２のＣＱＩ表が第１のＣＱＩ表における１６ＱＡＭと符号レートの組み合わせを一つ含むこと、
第２のＣＱＩ表が１６ＱＡＭと符号レート４９０／１０２４の組み合わせ及び１６ＱＡＭと符号レート６１６／１０２４の組み合わせのうちの一つを含むこと、
第２のＣＱＩ表において隣接する組み合わせの全てのペアにおけるスペクトル効率比のうち、最後の組み合わせと最後から２番目の組み合わせのペアにおけるスペクトル効率比（最後の組み合わせのスペクトル効率と最後から２番目の組み合わせのスペクトル効率との比率と定義される）が最も高いこと、
第２のＣＱＩ表において隣接する組み合わせの全てのペアにおけるスペクトル効率比のうち、第２の組み合わせと第１の組み合わせのペアにおけるスペクトル効率比（第２の組み合わせのスペクトル効率と第１の組み合わせのスペクトル効率との比率と定義される）が最も高いこと、
第２のＣＱＩ表において隣接する組み合わせの全てのペアにおけるスペクトル効率比のうち、最後の組み合わせと最後から２番目の組み合わせのペアにおけるスペクトル効率比及び第２の組み合わせと第１の組み合わせのペアにおけるスペクトル効率比が、他の組み合わせのペアにおけるスペクトル効率比より高いこと、
第２のＣＱＩ表において隣接する組み合わせの全てのペアにおけるスペクトル効率比のうち、最後の組み合わせと最後から２番目の組み合わせのペアにおけるスペクトル効率比及び最後から３番目の組み合わせと最後から２番目の組み合わせのペアにおけるスペクトル効率比（最後から３番目の組み合わせのスペクトル効率と最後から２番目の組み合わせのスペクトル効率との比率と定義される）が、他の組み合わせのペアにおけるスペクトル効率比より高いこと、
第２のＣＱＩ表において隣接する組み合わせの全てのペアにおけるスペクトル効率比のうち、第２の組み合わせと第１の組み合わせのペアにおけるスペクトル効率比及び第３の組み合わせと第２の組み合わせのペアにおけるスペクトル効率比（第３の組み合わせのスペクトル効率と第２の組み合わせのスペクトル効率との比率と定義される）が、他の組み合わせのペアにおけるスペクトル効率比より高いこと、
最新のＣＱＩが第１のＣＱＩ表を基本とし、該ＣＱＩが範囲外状態を意味する値を有する場合に、現在のＣＱＩが第２のＣＱＩ表に基づく別のＣＱＩのフィードバックをトリガーすること、
上述のＣＱＩ表がさらに、より低いスペクトル効率を有する変調スキームと符号レートの組み合わせから成る第３のＣＱＩ表をも含み、最新のＣＱＩが第２のＣＱＩ表を基本とし、該ＣＱＩが範囲外状態を意味する値を有する場合に、現在のＣＱＩが第３のＣＱＩ表に基づく別のＣＱＩのフィードバックをトリガーすること、
第２のＣＱＩ表が二通りの範囲外状態、即ち最も低いスペクトル効率に付随する変調スキームと符号レートの最も低い組み合わせよりも低い状態、及び最も高いスペクトル効率に付随する変調スキームと符号レートの最も高い組み合わせよりも高い状態を含むこと、
第２のＣＱＩ表における変調スキームと符号レートのＮ１通りの連続的組み合わせからの隣接する組み合わせのどのペアのスペクトル効率比も、第１のＣＱＩ表における変調スキームと符号レートのＮ２通りの連続的組み合わせからの隣接する組み合わせのあらゆるペアのスペクトル効率比よりも高い（ただしＮ１及びＮ２はそれぞれ２以上の整数である）こと、又は
第２のＣＱＩ表の中間における変調スキームと符号レートのＮ３通りの連続的組み合わせからの隣接する組み合わせの各ペアのスペクトル効率比が、第２のＣＱＩ表における最初のＮ４通りの連続的組み合わせ及び最後のＮ５通りの連続的組み合わせからの隣接する組み合わせのあらゆるペアのスペクトル効率比よりも低い（ただしＮ３、Ｎ４及びＮ５はそれぞれ２以上の整数である）こと
のうちの少なくとも一つを有し得る。
【０１０１】
任意選択的な一実施形態において、上述のＣＱＩ表は第１のＣＱＩ表、第４のＣＱＩ表及び第５のＣＱＩ表を含み得る。第４のＣＱＩ表及び第５のＣＱＩ表は以下の組み合わせ、即ち、
第４のＣＱＩ表が２ｘの値を有し、第４のＣＱＩ表における各ＣＱＩがｘビットで表わされ、変調スキームと符号レートのＬ１通りの組み合わせが、第１のＣＱＩ表における変調スキームと符号レートのＬ２通りの組み合わせを除き、第４のＣＱＩ表における変調スキームと符号レートの最後のＬ１通りの組み合わせとして使用され、第４のＣＱＩ表における変調スキームと符号レートの最初のＬ２通りの組み合わせがＱＰＳＫと符号レートｒの組み合わせであり（ただしＬ１とＬ２はそれぞれ１より大きい正の整数であり、ｒは７８／１０２４より小さい実数であり、Ｌ１＋Ｌ２≦１５、且つｘ≦４である）、第５のＣＱＩ表が２ｙの値を有し、第５のＣＱＩ表における各ＣＱＩがｙビットで表わされ、変調スキームと符号レートのＬ３通りの組み合わせが、第４のＣＱＩ表における変調スキームと符号レートのＬ４通りの組み合わせを除き、第５のＣＱＩ表における変調スキームと符号レートの最後のＬ３通りの組み合わせとして使用され、第５のＣＱＩ表における変調スキームと符号レートの最初のＬ４通りの組み合わせがＱＰＳＫと符号レートｒの組み合わせである（ただしＬ３とＬ４はそれぞれ１より大きい正の整数であり、ｒは７８／１０２４より小さい実数であり、Ｌ３＋Ｌ４≦１５、且つｙ≦４である）こと、
第４のＣＱＩ表が２ｘの値を有し、第４のＣＱＩ表における各ＣＱＩがｘビットで表わされ、変調スキームと符号レートのＬ１通りの組み合わせが、第１のＣＱＩ表における変調スキームと符号レートのＬ２通りの組み合わせを除き、第４のＣＱＩ表における変調スキームと符号レートの最後のＬ１通りの組み合わせとして使用され、第４のＣＱＩ表における変調スキームと符号レートの最初のＬ２通りの組み合わせがＢＰＳＫと符号レートｒの組み合わせであり（ただしＬ１とＬ２はそれぞれ１より大きい正の整数であり、ｒは１５６／１０２４より小さい実数であり、Ｌ１＋Ｌ２≦１５、且つｘ≦４である）、第５のＣＱＩ表が２ｙの値を有し、第５のＣＱＩ表における各ＣＱＩがｙビットで表わされ、変調スキームと符号レートのＬ３通りの組み合わせが、第４のＣＱＩ表における変調スキームと符号レートのＬ４通りの組み合わせを除き、第５のＣＱＩ表における変調スキームと符号レートの最後のＬ３通りの組み合わせとして使用され、第５のＣＱＩ表における変調スキームと符号レートの最初のＬ４通りの組み合わせがＢＰＳＫと符号レートｒの組み合わせである（ただしＬ３とＬ４はそれぞれ１より大きい正の整数であり、ｒは１５６／１０２４より小さい実数であり、Ｌ３＋Ｌ４≦１５、且つｙ≦４である）こと、
第４のＣＱＩ表が２ｘの値を有し、第４のＣＱＩ表における各ＣＱＩがｘビットで表わされ、変調スキームと符号レートのＬ１通りの組み合わせが、第１のＣＱＩ表における変調スキームと符号レートのＬ２通りの組み合わせを除き、第４のＣＱＩ表における変調スキームと符号レートの最後のＬ１通りの組み合わせとして使用され、第４のＣＱＩ表における変調スキームと符号レートの最初のＬ２通りの組み合わせがＢＰＳＫと符号レートｒのＬ２１通りの組み合わせ及びＱＰＳＫと符号レートｒのＬ２２通りの組み合わせを含み（ただしＬ１とＬ２はそれぞれ１より大きい正の整数であり、Ｌ２＝Ｌ２１＋Ｌ２２であり、ｒは１５６／１０２４より小さい実数であり、Ｌ１＋Ｌ２≦１５、且つｘ≦４である）、第５のＣＱＩ表が２ｙの値を有し、第５のＣＱＩ表における各ＣＱＩがｙビットで表わされ、変調スキームと符号レートのＬ３通りの組み合わせが、第４のＣＱＩ表における変調スキームと符号レートのＬ４通りの組み合わせを除き、第５のＣＱＩ表における変調スキームと符号レートの最後のＬ３通りの組み合わせとして使用され、第５のＣＱＩ表における変調スキームと符号レートの最初のＬ４通りの組み合わせがＢＰＳＫと符号レートｒのＬ４１通りの組み合わせ及びＱＰＳＫと符号レートｒのＬ４２通りの組み合わせを含む（ただしＬ３とＬ４はそれぞれ１より大きい正の整数であり、Ｌ２＝Ｌ４１＋Ｌ４２であり、ｒは１５６／１０２４より小さい実数であり、Ｌ３＋Ｌ４≦１５、且つｙ≦４である）こと、又は
第１のＣＱＩ表が変調スキームと符号レートのＬ１通りの組み合わせを含み、第４のＣＱＩ表が変調スキームと符号レートのＬ２通りの組み合わせを含み、第５のＣＱＩ表が変調スキームと符号レートのＬ２通りの組み合わせを含み（ただしＬ１とＬ２はそれぞれ７以上の整数であり、Ｌ２＜Ｌ１／２である）、第４のＣＱＩ表における変調スキームと符号レートの全ての組み合わせ及び第５のＣＱＩ表における変調スキームと符号レートの全ての組み合わせがそれぞれ、第１のＣＱＩ表における変調スキームと符号レートの全ての組み合わせのサブセットであること
のうちの一つを含み得る。
【０１０２】
本発明では、第１のＣＱＩ表は、最大６４の変調次数を有するＣＱＩ表、最大１６の変調次数を有するＣＱＩ表、又はロングタームエボリューション（ＬＴＥ）リリース８における４ビットＣＱＩ表のうちの少なくとも一つを含み得る。
【０１０３】
任意選択的な一実施形態において、第４のＣＱＩ表及び第５のＣＱＩ表は以下の特徴、即ち、
第５のＣＱＩ表における符号レートの最小値が第４のＣＱＩ表における符号レートの最小値より小さいこと、
第５のＣＱＩ表における符号レートの最小値が１／１０２４以下であること、
第４のＣＱＩ表における符号レートの最小値が１／１０２４以下であること、
第４のＣＱＩ表がＱＰＳＫとｒ＝４４９／１０２４の組み合わせを含むこと、
第４のＣＱＩ表が第１のＣＱＩ表におけるＱＰＳＫと符号レートの組み合わせを全て含むこと、
第５のＣＱＩ表が第１のＣＱＩ表におけるＱＰＳＫと符号レートの組み合わせを全く含まないこと、
第５のＣＱＩ表が、第４のＣＱＩ表に含まれるが第１のＣＱＩ表に含まれないＱＰＳＫと符号レートの組み合わせを全て含むこと、
第４のＣＱＩ表が第１のＣＱＩ表における１６ＱＡＭと符号レートの少なくとも一つの組み合わせを含むこと、
第４のＣＱＩ表において隣接する組み合わせの全てのペアにおけるスペクトル効率比のうち、最後の組み合わせと最後から２番目の組み合わせのペアにおけるスペクトル効率比（最後の組み合わせのスペクトル効率と最後から２番目の組み合わせのスペクトル効率との比率と定義される）が最も高いこと、
第４のＣＱＩ表において隣接する組み合わせの全てのペアにおけるスペクトル効率比のうち、第２の組み合わせと第１の組み合わせのペアにおけるスペクトル効率比（第２の組み合わせのスペクトル効率と第１の組み合わせのスペクトル効率との比率と定義される）が最も高いこと、
第４のＣＱＩ表において隣接する組み合わせの全てのペアにおけるスペクトル効率比のうち、最後の組み合わせと最後から２番目の組み合わせのペアにおけるスペクトル効率比及び第２の組み合わせと第１の組み合わせのペアにおけるスペクトル効率比が、他の組み合わせのペアにおけるスペクトル効率比より高いこと、
第４のＣＱＩ表において隣接する組み合わせの全てのペアにおけるスペクトル効率比のうち、最後の組み合わせと最後から２番目の組み合わせのペアにおけるスペクトル効率比及び最後から３番目の組み合わせと最後から２番目の組み合わせのペアにおけるスペクトル効率比（最後から３番目の組み合わせのスペクトル効率と最後から２番目の組み合わせのスペクトル効率との比率と定義される）が、他の組み合わせのペアにおけるスペクトル効率比より高いこと、
第４のＣＱＩ表において隣接する組み合わせの全てのペアにおけるスペクトル効率比のうち、第２の組み合わせと第１の組み合わせのペアにおけるスペクトル効率比及び第３の組み合わせと第２の組み合わせのペアにおけるスペクトル効率比（第３の組み合わせのスペクトル効率と第２の組み合わせのスペクトル効率との比率と定義される）が、他の組み合わせのペアにおけるスペクトル効率比より高いこと、
現在のＣＱＩ又は最新のＣＱＩが第１のＣＱＩ表を基本とし、該ＣＱＩが範囲外状態を意味する値を有する場合に、現在のＣＱＩが第４のＣＱＩ表に基づく別のＣＱＩのフィードバックをトリガーすること、又は
現在のＣＱＩ又は最新のＣＱＩが第４のＣＱＩ表を基本とし、該ＣＱＩが範囲外状態を意味する値を有する場合に、現在のＣＱＩが第５のＣＱＩ表に基づく別のＣＱＩのフィードバックをトリガーすること
のうちの少なくとも一つを有し得る。
【０１０４】
上述の実施形態の説明から、当業者にとって、上述の実施形態による方法をソフトウェアに必要な汎用ハードウェアプラットフォームを加えたものによって実施可能であることが明らかとなる。当然、ハードウェアに実装することも可能であるが、多くの場合、前者が最適な実装である。この理解を基に、本開示の技術的解決策は本質的に、又は本開示において先行技術に貢献する部分を、ソフトウェア製品の形で具現化することができる。コンピュータソフトウェアは保存媒体（例えばＲＯＭ／ＲＡＭ、磁気ディスク又は光ディスクなど）に保存することができ、また本開示の様々な実施形態に記載の方法を端末装置（例として携帯電話機、コンピュータ、サーバー、又はネットワーク装置などが挙げられる）に実行させるための指示を含む。
【０１０５】
本開示の一実施形態によれば、ＣＱＩ情報の送信装置も提供される。該装置は上述の実施形態及び任意選択的な実施形態を実装し得る（詳細については本明細書では省略する）。以下にて使用する「モジュール」という用語は、所定の機能を果たす能力を有するソフトウェア、ハードウェア、又はそれらの組み合わせを意味し得る。下記の実施形態に記載される装置は好ましくはソフトウェアに実装される一方、ハードウェア又はソフトウェアとハードウェアの組み合わせにも実装され得ることが予期され得る。
【０１０６】
図３は、本開示の一実施形態によるＣＱＩ情報の受信装置の構造を示すブロック図である。図３に記載の通り、該装置は第１の送信モジュール３２及び第１の受信モジュール３４を含む。該装置について以下に詳しく記載する。
【０１０７】
第１の送信モジュール３２は、上位層構成シグナリングメッセージを端末に送信するよう構成される。
【０１０８】
第１の受信モジュール３４は第１の送信モジュール３２に接続され、ＣＱＩ情報を端末から受信するよう構成される。ＣＱＩ情報は、上位層構成シグナリングメッセージに基づいて取得されるＣＱＩ表に基づいて判定される。
【０１０９】
任意選択的な一実施形態において、上述の上位層構成シグナリングメッセージは以下の情報、即ち、有効範囲レベルシグナリング、チャネル状態情報（ＣＳＩ）参照リソースに占有されるサブフレーム数（Ｍ）、ダウンリンク制御チャネル向けの反復数、ダウンリンクデータ共有チャネル向けの反復数、物理ランダムアクセスチャネル（ＰＲＡＣＨ）向けの反復数、ＣＱＩ表選択シグナリング、端末カテゴリー、シナリオ表示シグナリング、周波数帯域表示シグナリング、又はチャネル符号化種別表示情報のうちの少なくとも一つを含み得る。上述の有効範囲レベルシグナリングは、以下の有効範囲、即ち、通常の有効範囲若しくは拡張有効範囲、通常の有効範囲、中程度の有効範囲若しくは深い有効範囲、又は通常の有効範囲、低い拡張有効範囲、中程度の拡張有効範囲若しくは高い拡張有効範囲のうちの一つを含む有効範囲レベルを意味する。シナリオ表示シグナリングは、拡張モバイルブロードバンド（ｅＭＢＢ）シナリオ、超高信頼低遅延通信（ＵＲＬＬＣ）シナリオ又は大容量マシン型通信（ｍＭＴＣ）シナリオを意味する。周波数帯域表示シグナリングは、様々な範囲の搬送波周波数を意味する。チャネル符号化種別表示情報は、低密度パリティ検査（ＬＤＰＣ）符号、ターボ符号、畳み込み符号又は極性符号のうちのいずれか二つを含む様々なチャネル符号化種別を意味する。
【０１１０】
任意選択で、上述の上位層構成シグナリングメッセージは以下の情報、即ち、有効範囲レベルシグナリング及びＣＳＩ参照リソースに占有されるサブフレーム数（Ｍ）、有効範囲レベルシグナリング及び反復数、ＣＳＩ参照リソースに占有されるサブフレーム数（Ｍ）及び反復数、ＣＳＩ参照リソースに占有されるサブフレーム数（Ｍ）及びＣＱＩ表選択シグナリング、ＣＳＩ参照リソースに占有されるサブフレーム数（Ｍ）及び端末種別、端末種別及び有効範囲レベルシグナリング、有効範囲レベルシグナリング及びＣＱＩ表選択シグナリング、有効範囲レベルシグナリング及びＣＱＩ表選択シグナリング、又はＣＳＩ参照リソースに占有されるサブフレーム数（Ｍ）及びＣＱＩ表選択シグナリングのうちの一つを含み得る。本発明では、反復数はダウンリンク制御チャネル向けの反復数、ダウンリンクデータ共有チャネル向けの反復数、又はＰＲＡＣＨ向けの反復数のうちの少なくとも一つを含む。
【０１１１】
上述のＣＱＩ表は様々な種類のＣＱＩ表を含み得る。これらの種類のＣＱＩ表について以下に記載する。
【０１１２】
任意選択的な一実施形態において、上述のＣＱＩ表は第１のＣＱＩ表及び第２のＣＱＩ表を含み得る。第２のＣＱＩ表は以下の特徴、即ち、
第２のＣＱＩ表が２ｘの値を有し、第２のＣＱＩ表における各ＣＱＩがｘビットで表わされ、変調スキームと符号レートのＬ１通りの組み合わせが、第１のＣＱＩ表における変調スキームと符号レートのＬ２通りの組み合わせを除き、第２のＣＱＩ表における変調スキームと符号レートの最後のＬ１通りの組み合わせとして使用され、第２のＣＱＩ表における変調スキームと符号レートの最初のＬ２通りの組み合わせが、直角位相シフトキーイング（ＱＰＳＫ）と符号レートｒの組み合わせである（ただしＬ１とＬ２はそれぞれ０以上の整数であり、ｒは７８／１０２４より小さい実数であり、Ｌ１＋Ｌ２≦１５、且つｘ≦４である）こと、
第２のＣＱＩ表が２ｘの値を有し、第２のＣＱＩ表における各ＣＱＩがｘビットで表わされ、変調スキームと符号レートのＬ１通りの組み合わせが、第１のＣＱＩ表における変調スキームと符号レートのＬ２通りの組み合わせを除き、第２のＣＱＩ表における変調スキームと符号レートの最後のＬ１通りの組み合わせとして使用され、第２のＣＱＩ表における変調スキームと符号レートの最初のＬ２通りの組み合わせが、二位相シフトキーイング（ＢＰＳＫ）と符号レートｒの組み合わせである（ただしＬ１とＬ２はそれぞれ０以上の整数であり、ｒは１５６／１０２４より小さい実数であり、Ｌ１＋Ｌ２≦１５、且つｘ≦４である）こと、
第２のＣＱＩ表が２ｘの値を有し、第２のＣＱＩ表における各ＣＱＩがｘビットで表わされ、変調スキームと符号レートのＬ１通りの組み合わせが、第１のＣＱＩ表における変調スキームと符号レートのＬ２通りの組み合わせを除き、第２のＣＱＩ表における変調スキームと符号レートの最後のＬ１通りの組み合わせとして使用され、第２のＣＱＩ表における変調スキームと符号レートの最初のＬ２通りの組み合わせが、ＢＰＳＫと符号レートｒのＬ２１通りの組み合わせ及びＱＰＳＫと符号レートｒのＬ２２通りの組み合わせを含む（ただしＬ１とＬ２はそれぞれ０以上の整数であり、Ｌ２＝Ｌ２１＋Ｌ２２であり、ｒは１５６／１０２４より小さい実数であり、Ｌ１＋Ｌ２≦１５、且つｘ≦４である）こと、
第２のＣＱＩ表が２ｘの値を有し、第２のＣＱＩ表における各ＣＱＩがｘビットで表わされ、第１のＣＱＩ表が変調スキームと符号レートの合計Ｌ１通りの組み合わせを含み、変調スキームと符号レートのＬ１通りの組み合わせが第２のＣＱＩ表における変調スキームと符号レートの最初又は最後のＬ１通りの組み合わせとして使用され、第２のＣＱＩ表における変調スキームと符号レートの残りのＬ２通りの組み合わせがＢＰＳＫと符号レートｒのＬ２１通りのタイプ１の組み合わせ及びＱＰＳＫと符号レートｒのＬ２２通りのタイプ２の組み合わせを含む（ただしＬ１とＬ２はそれぞれ０より大きい整数であり、Ｌ２１とＬ２２はそれぞれ０以上の整数であり、Ｌ２＝Ｌ２１＋Ｌ２２であり、ｒは１５６／１０２４より小さい実数であり、Ｌ１＋Ｌ２≦１５、且つｘ≦４である）こと、
第１のＣＱＩ表が変調スキームと符号レートの合計Ｌ１通りの組み合わせを含み、第２のＣＱＩ表が変調スキームと符号レートの合計Ｌ２通りの組み合わせを含み、Ｌ２通りの組み合わせがＬ１通りの組み合わせのサブセットである（ただし８≦Ｌ１≦１５、Ｌ２≦７であり、Ｌ１とＬ２はそれぞれ０より大きい整数であり、第１のＣＱＩ表における最も高次の変調スキームは６４直角位相振幅変調（ＱＡＭ）であり、第２のＣＱＩ表における最も高次の変調スキームは１６ＱＡＭである）こと、又は
第１のＣＱＩ表及び第２のＣＱＩ表が変調スキームと符号レートの合計Ｌ１＝７通りの組み合わせを含み、第１のＣＱＩ表における変調スキームがＱＰＳＫと１６ＱＡＭを含み、第２のＣＱＩ表における変調スキームがＱＰＳＫ及び／又はＢＰＳＫを含み、第２のＣＱＩ表が第１のＣＱＩ表における第１、第３、第５及び第７の組み合わせのうちの少なくとも二つ、若しくは第１のＣＱＩ表における第２、第４、第６の組み合わせのうちの少なくとも二つを含むこと
のうちの少なくとも一つを有し得る。
【０１１３】
本発明では、第１のＣＱＩ表は、最大６４の変調次数を有するＣＱＩ表、最大１６の変調次数を有するＣＱＩ表、又はロングタームエボリューション（ＬＴＥ）リリース８における４ビットＣＱＩ表のうちの少なくとも一つを含み得る。
【０１１４】
任意選択的な一実施形態において、第２のＣＱＩ表は以下の特徴、即ち、
ｒの最小値が１／１０２４未満であること、
ｒの最小値が１／２０４８、１／４０９６又は１／３０７２に等しいこと、
ＱＰＳＫとｒ＝４４９／１０２４の組み合わせが除外されること、
第２のＣＱＩ表が、ＱＰＳＫとｒ＝４４９／１０２４の組み合わせを除く、第１のＣＱＩ表におけるＱＰＳＫと符号レートの組み合わせを全て含むこと、
第２のＣＱＩ表が第１のＣＱＩ表における１６ＱＡＭと符号レートの組み合わせを一つ含むこと、
第２のＣＱＩ表が１６ＱＡＭと符号レート４９０／１０２４の組み合わせ及び１６ＱＡＭと符号レート６１６／１０２４の組み合わせのうちの一つを含むこと、
第２のＣＱＩ表において隣接する組み合わせの全てのペアにおけるスペクトル効率比のうち、最後の組み合わせと最後から２番目の組み合わせのペアにおけるスペクトル効率比（最後の組み合わせのスペクトル効率と最後から２番目の組み合わせのスペクトル効率との比率と定義される）が最も高いこと、
第２のＣＱＩ表において隣接する組み合わせの全てのペアにおけるスペクトル効率比のうち、第２の組み合わせと第１の組み合わせのペアにおけるスペクトル効率比（第２の組み合わせのスペクトル効率と第１の組み合わせのスペクトル効率との比率と定義される）が最も高いこと、
第２のＣＱＩ表において隣接する組み合わせの全てのペアにおけるスペクトル効率比のうち、最後の組み合わせと最後から２番目の組み合わせのペアにおけるスペクトル効率比及び第２の組み合わせと第１の組み合わせのペアにおけるスペクトル効率比が、他の組み合わせのペアにおけるスペクトル効率比より高いこと、
第２のＣＱＩ表において隣接する組み合わせの全てのペアにおけるスペクトル効率比のうち、最後の組み合わせと最後から２番目の組み合わせのペアにおけるスペクトル効率比及び最後から３番目の組み合わせと最後から２番目の組み合わせのペアにおけるスペクトル効率比（最後から３番目の組み合わせのスペクトル効率と最後から２番目の組み合わせのスペクトル効率との比率と定義される）が、他の組み合わせのペアにおけるスペクトル効率比より高いこと、
第２のＣＱＩ表において隣接する組み合わせの全てのペアにおけるスペクトル効率比のうち、第２の組み合わせと第１の組み合わせのペアにおけるスペクトル効率比及び第３の組み合わせと第２の組み合わせのペアにおけるスペクトル効率比（第３の組み合わせのスペクトル効率と第２の組み合わせのスペクトル効率との比率と定義される）が、他の組み合わせのペアにおけるスペクトル効率比より高いこと、
最新のＣＱＩが第１のＣＱＩ表を基本とし、該ＣＱＩが範囲外状態を意味する値を有する場合に、現在のＣＱＩが第２のＣＱＩ表に基づく別のＣＱＩのフィードバックをトリガーすること、
上述のＣＱＩ表がさらに、より低いスペクトル効率を有する変調スキームと符号レートの組み合わせから成る第３のＣＱＩ表をも含み、最新のＣＱＩが第２のＣＱＩ表を基本とし、該ＣＱＩが範囲外状態を意味する値を有する場合に、現在のＣＱＩが第３のＣＱＩ表に基づく別のＣＱＩのフィードバックをトリガーすること、
第２のＣＱＩ表が二通りの範囲外状態、即ち最も低いスペクトル効率に付随する変調スキームと符号レートの最も低い組み合わせよりも低い状態、及び最も高いスペクトル効率に付随する変調スキームと符号レートの最も高い組み合わせよりも高い状態を含むこと、
第２のＣＱＩ表における変調スキームと符号レートのＮ１通りの連続的組み合わせからの隣接する組み合わせのどのペアのスペクトル効率比も、第１のＣＱＩ表における変調スキームと符号レートのＮ２通りの連続的組み合わせからの隣接する組み合わせのあらゆるペアのスペクトル効率比よりも高い（ただしＮ１及びＮ２はそれぞれ２以上の整数である）こと、又は
第２のＣＱＩ表の中間における変調スキームと符号レートのＮ３通りの連続的組み合わせからの隣接する組み合わせの各ペアのスペクトル効率比が、第２のＣＱＩ表における最初のＮ４通りの連続的組み合わせ及び最後のＮ５通りの連続的組み合わせからの隣接する組み合わせのあらゆるペアのスペクトル効率比よりも低い（ただしＮ３、Ｎ４及びＮ５はそれぞれ２以上の整数である）こと
のうちの少なくとも一つを有し得る。
【０１１５】
任意選択的な一実施形態において、上述のＣＱＩ表は第１のＣＱＩ表、第４のＣＱＩ表及び第５のＣＱＩ表を含み得る。第４のＣＱＩ表及び第５のＣＱＩ表は以下の組み合わせ、即ち、
第４のＣＱＩ表が２ｘの値を有し、第４のＣＱＩ表における各ＣＱＩがｘビットで表わされ、変調スキームと符号レートのＬ１通りの組み合わせが、第１のＣＱＩ表における変調スキームと符号レートのＬ２通りの組み合わせを除き、第４のＣＱＩ表における変調スキームと符号レートの最後のＬ１通りの組み合わせとして使用され、第４のＣＱＩ表における変調スキームと符号レートの最初のＬ２通りの組み合わせがＱＰＳＫと符号レートｒの組み合わせであり（ただしＬ１とＬ２はそれぞれ１より大きい正の整数であり、ｒは７８／１０２４より小さい実数であり、Ｌ１＋Ｌ２≦１５、且つｘ≦４である）、第５のＣＱＩ表が２ｙの値を有し、第５のＣＱＩ表における各ＣＱＩがｙビットで表わされ、変調スキームと符号レートのＬ３通りの組み合わせが、第４のＣＱＩ表における変調スキームと符号レートのＬ４通りの組み合わせを除き、第５のＣＱＩ表における変調スキームと符号レートの最後のＬ３通りの組み合わせとして使用され、第５のＣＱＩ表における変調スキームと符号レートの最初のＬ４通りの組み合わせがＱＰＳＫと符号レートｒの組み合わせである（ただしＬ３とＬ４はそれぞれ１より大きい正の整数であり、ｒは７８／１０２４より小さい実数であり、Ｌ３＋Ｌ４≦１５、且つｙ≦４である）こと、
第４のＣＱＩ表が２ｘの値を有し、第４のＣＱＩ表における各ＣＱＩがｘビットで表わされ、変調スキームと符号レートのＬ１通りの組み合わせが、第１のＣＱＩ表における変調スキームと符号レートのＬ２通りの組み合わせを除き、第４のＣＱＩ表における変調スキームと符号レートの最後のＬ１通りの組み合わせとして使用され、第４のＣＱＩ表における変調スキームと符号レートの最初のＬ２通りの組み合わせがＢＰＳＫと符号レートｒの組み合わせであり（ただしＬ１とＬ２はそれぞれ１より大きい正の整数であり、ｒは１５６／１０２４より小さい実数であり、Ｌ１＋Ｌ２≦１５、且つｘ≦４である）、第５のＣＱＩ表が２ｙの値を有し、第５のＣＱＩ表における各ＣＱＩがｙビットで表わされ、変調スキームと符号レートのＬ３通りの組み合わせが、第４のＣＱＩ表における変調スキームと符号レートのＬ４通りの組み合わせを除き、第５のＣＱＩ表における変調スキームと符号レートの最後のＬ３通りの組み合わせとして使用され、第５のＣＱＩ表における変調スキームと符号レートの最初のＬ４通りの組み合わせがＢＰＳＫと符号レートｒの組み合わせである（ただしＬ３とＬ４はそれぞれ１より大きい正の整数であり、ｒは１５６／１０２４より小さい実数であり、Ｌ３＋Ｌ４≦１５、且つｙ≦４である）こと、
第４のＣＱＩ表が２ｘの値を有し、第４のＣＱＩ表における各ＣＱＩがｘビットで表わされ、変調スキームと符号レートのＬ１通りの組み合わせが、第１のＣＱＩ表における変調スキームと符号レートのＬ２通りの組み合わせを除き、第４のＣＱＩ表における変調スキームと符号レートの最後のＬ１通りの組み合わせとして使用され、第４のＣＱＩ表における変調スキームと符号レートの最初のＬ２通りの組み合わせがＢＰＳＫと符号レートｒのＬ２１通りの組み合わせ及びＱＰＳＫと符号レートｒのＬ２２通りの組み合わせを含み（ただしＬ１とＬ２はそれぞれ１より大きい正の整数であり、Ｌ２＝Ｌ２１＋Ｌ２２であり、ｒは１５６／１０２４より小さい実数であり、Ｌ１＋Ｌ２≦１５、且つｘ≦４である）、第５のＣＱＩ表が２ｙの値を有し、第５のＣＱＩ表における各ＣＱＩがｙビットで表わされ、変調スキームと符号レートのＬ３通りの組み合わせが、第４のＣＱＩ表における変調スキームと符号レートのＬ４通りの組み合わせを除き、第５のＣＱＩ表における変調スキームと符号レートの最後のＬ３通りの組み合わせとして使用され、第５のＣＱＩ表における変調スキームと符号レートの最初のＬ４通りの組み合わせがＢＰＳＫと符号レートｒのＬ４１通りの組み合わせ及びＱＰＳＫと符号レートｒのＬ４２通りの組み合わせを含む（ただしＬ３とＬ４はそれぞれ１より大きい正の整数であり、Ｌ２＝Ｌ４１＋Ｌ４２であり、ｒは１５６／１０２４より小さい実数であり、Ｌ３＋Ｌ４≦１５、且つｙ≦４である）こと、又は
第１のＣＱＩ表が変調スキームと符号レートのＬ１通りの組み合わせを含み、第４のＣＱＩ表が変調スキームと符号レートのＬ２通りの組み合わせを含み、第５のＣＱＩ表が変調スキームと符号レートのＬ２通りの組み合わせを含み（ただしＬ１とＬ２はそれぞれ７以上の整数であり、Ｌ２＜Ｌ１／２である）、第４のＣＱＩ表における変調スキームと符号レートの全ての組み合わせ及び第５のＣＱＩ表における変調スキームと符号レートの全ての組み合わせがそれぞれ、第１のＣＱＩ表における変調スキームと符号レートの全ての組み合わせのサブセットであること
のうちの一つを含み得る。
【０１１６】
本発明では、第１のＣＱＩ表は、最大６４の変調次数を有するＣＱＩ表、最大１６の変調次数を有するＣＱＩ表、又はロングタームエボリューション（ＬＴＥ）リリース８における４ビットＣＱＩ表のうちの少なくとも一つを含み得る。
【０１１７】
任意選択的な一実施形態において、第４のＣＱＩ表及び第５のＣＱＩ表は以下の特徴、即ち、
第５のＣＱＩ表における符号レートの最小値が第４のＣＱＩ表における符号レートの最小値より小さいこと、
第５のＣＱＩ表における符号レートの最小値が１／１０２４以下であること、
第４のＣＱＩ表における符号レートの最小値が１／１０２４以下であること、
第４のＣＱＩ表がＱＰＳＫとｒ＝４４９／１０２４の組み合わせを含むこと、
第４のＣＱＩ表が第１のＣＱＩ表におけるＱＰＳＫと符号レートの組み合わせを全て含むこと、
第５のＣＱＩ表が第１のＣＱＩ表におけるＱＰＳＫと符号レートの組み合わせを全く含まないこと、
第５のＣＱＩ表が、第４のＣＱＩ表に含まれるが第１のＣＱＩ表に含まれないＱＰＳＫと符号レートの組み合わせを全て含むこと、
第４のＣＱＩ表が第１のＣＱＩ表における１６ＱＡＭと符号レートの少なくとも一つの組み合わせを含むこと、
第４のＣＱＩ表において隣接する組み合わせの全てのペアにおけるスペクトル効率比のうち、最後の組み合わせと最後から２番目の組み合わせのペアにおけるスペクトル効率比（最後の組み合わせのスペクトル効率と最後から２番目の組み合わせのスペクトル効率との比率と定義される）が最も高いこと、
第４のＣＱＩ表において隣接する組み合わせの全てのペアにおけるスペクトル効率比のうち、第２の組み合わせと第１の組み合わせのペアにおけるスペクトル効率比（第２の組み合わせのスペクトル効率と第１の組み合わせのスペクトル効率との比率と定義される）が最も高いこと、
第４のＣＱＩ表において隣接する組み合わせの全てのペアにおけるスペクトル効率比のうち、最後の組み合わせと最後から２番目の組み合わせのペアにおけるスペクトル効率比及び第２の組み合わせと第１の組み合わせのペアにおけるスペクトル効率比が、他の組み合わせのペアにおけるスペクトル効率比より高いこと、
第４のＣＱＩ表において隣接する組み合わせの全てのペアにおけるスペクトル効率比のうち、最後の組み合わせと最後から２番目の組み合わせのペアにおけるスペクトル効率比及び最後から３番目の組み合わせと最後から２番目の組み合わせのペアにおけるスペクトル効率比（最後から３番目の組み合わせのスペクトル効率と最後から２番目の組み合わせのスペクトル効率との比率と定義される）が、他の組み合わせのペアにおけるスペクトル効率比より高いこと、
第４のＣＱＩ表において隣接する組み合わせの全てのペアにおけるスペクトル効率比のうち、第２の組み合わせと第１の組み合わせのペアにおけるスペクトル効率比及び第３の組み合わせと第２の組み合わせのペアにおけるスペクトル効率比（第３の組み合わせのスペクトル効率と第２の組み合わせのスペクトル効率との比率と定義される）が、他の組み合わせのペアにおけるスペクトル効率比より高いこと、
現在のＣＱＩ又は最新のＣＱＩが第１のＣＱＩ表を基本とし、該ＣＱＩが範囲外状態を意味する値を有する場合に、現在のＣＱＩが第４のＣＱＩ表に基づく別のＣＱＩのフィードバックをトリガーすること、又は
現在のＣＱＩ又は最新のＣＱＩが第４のＣＱＩ表を基本とし、該ＣＱＩが範囲外状態を意味する値を有する場合に、現在のＣＱＩが第５のＣＱＩ表に基づく別のＣＱＩのフィードバックをトリガーすること
のうちの少なくとも一つを有し得る。
【０１１８】
任意選択的な一実施形態において、ＣＱＩ情報の送信装置も提供される。図４は、本開示の一実施形態によるＣＱＩ情報の送信装置の構造を示すブロック図である。図４に記載の通り、該装置は第２の受信モジュール４２、判定モジュール４４、及び第２の送信モジュール４６を含む。該装置について以下に詳しく記載する。
【０１１９】
第２の受信モジュール４２は、基地局から送信される上位層構成シグナリングメッセージを受信するよう構成される
【０１２０】
判定モジュール４４は第２の受信モジュール４２に接続され、ＣＱＩ情報を上位層構成シグナリングメッセージに基づいて取得されるＣＱＩ表に基づいて判定するよう構成される。
【０１２１】
第２の送信モジュール４６は判定モジュール４４に接続され、判定されたＣＱＩ情報を基地局に送信するよう構成される。
【０１２２】
任意選択的な一実施形態において、上述の上位層構成シグナリングメッセージは以下の情報、即ち、有効範囲レベルシグナリング、チャネル状態情報（ＣＳＩ）参照リソースに占有されるサブフレーム数（Ｍ）、ダウンリンク制御チャネル向けの反復数、ダウンリンクデータ共有チャネル向けの反復数、物理ランダムアクセスチャネル（ＰＲＡＣＨ）向けの反復数、ＣＱＩ表選択シグナリング、端末カテゴリー、シナリオ表示シグナリング、周波数帯域表示シグナリング、又はチャネル符号化種別表示情報のうちの少なくとも一つを含み得る。上述の有効範囲レベルシグナリングは、以下の有効範囲、即ち、通常の有効範囲若しくは拡張有効範囲、通常の有効範囲、中程度の有効範囲若しくは深い有効範囲、又は通常の有効範囲、低い拡張有効範囲、中程度の拡張有効範囲若しくは高い拡張有効範囲のうちの一つを含む有効範囲レベルを意味する。シナリオ表示シグナリングは、拡張モバイルブロードバンド（ｅＭＢＢ）シナリオ、超高信頼低遅延通信（ＵＲＬＬＣ）シナリオ又は大容量マシン型通信（ｍＭＴＣ）シナリオを意味する。周波数帯域表示シグナリングは、様々な範囲の搬送波周波数を意味する。チャネル符号化種別表示情報は、低密度パリティ検査（ＬＤＰＣ）符号、ターボ符号、畳み込み符号又は極性符号のうちのいずれか二つを含む様々なチャネル符号化種別を意味する。
【０１２３】
任意選択で、上述の上位層構成シグナリングメッセージは以下の情報、即ち、有効範囲レベルシグナリング及びＣＳＩ参照リソースに占有されるサブフレーム数（Ｍ）、有効範囲レベルシグナリング及び反復数、ＣＳＩ参照リソースに占有されるサブフレーム数（Ｍ）及び反復数、ＣＳＩ参照リソースに占有されるサブフレーム数（Ｍ）及びＣＱＩ表選択シグナリング、ＣＳＩ参照リソースに占有されるサブフレーム数（Ｍ）及び端末種別、端末種別及び有効範囲レベルシグナリング、有効範囲レベルシグナリング及びＣＱＩ表選択シグナリング、有効範囲レベルシグナリング及びＣＱＩ表選択シグナリング、又はＣＳＩ参照リソースに占有されるサブフレーム数（Ｍ）及びＣＱＩ表選択シグナリングのうちの一つを含み得る。本発明では、反復数はダウンリンク制御チャネル向けの反復数、ダウンリンクデータ共有チャネル向けの反復数、又はＰＲＡＣＨ向けの反復数のうちの少なくとも一つを含む。
【０１２４】
上述のＣＱＩ表は様々な種類のＣＱＩ表を含み得る。これらの種類のＣＱＩ表について以下に記載する。
【０１２５】
任意選択的な一実施形態において、上述のＣＱＩ表は第１のＣＱＩ表及び第２のＣＱＩ表を含み得る。第２のＣＱＩ表は以下の特徴、即ち、
第２のＣＱＩ表が２ｘの値を有し、第２のＣＱＩ表における各ＣＱＩがｘビットで表わされ、変調スキームと符号レートのＬ１通りの組み合わせが、第１のＣＱＩ表における変調スキームと符号レートのＬ２通りの組み合わせを除き、第２のＣＱＩ表における変調スキームと符号レートの最後のＬ１通りの組み合わせとして使用され、第２のＣＱＩ表における変調スキームと符号レートの最初のＬ２通りの組み合わせが、直角位相シフトキーイング（ＱＰＳＫ）と符号レートｒの組み合わせである（ただしＬ１とＬ２はそれぞれ０以上の整数であり、ｒは７８／１０２４より小さい実数であり、Ｌ１＋Ｌ２≦１５、且つｘ≦４である）こと、
第２のＣＱＩ表が２ｘの値を有し、第２のＣＱＩ表における各ＣＱＩがｘビットで表わされ、変調スキームと符号レートのＬ１通りの組み合わせが、第１のＣＱＩ表における変調スキームと符号レートのＬ２通りの組み合わせを除き、第２のＣＱＩ表における変調スキームと符号レートの最後のＬ１通りの組み合わせとして使用され、第２のＣＱＩ表における変調スキームと符号レートの最初のＬ２通りの組み合わせが、二位相シフトキーイング（ＢＰＳＫ）と符号レートｒの組み合わせである（ただしＬ１とＬ２はそれぞれ０以上の整数であり、ｒは１５６／１０２４より小さい実数であり、Ｌ１＋Ｌ２≦１５、且つｘ≦４である）こと、
第２のＣＱＩ表が２ｘの値を有し、第２のＣＱＩ表における各ＣＱＩがｘビットで表わされ、変調スキームと符号レートのＬ１通りの組み合わせが、第１のＣＱＩ表における変調スキームと符号レートのＬ２通りの組み合わせを除き、第２のＣＱＩ表における変調スキームと符号レートの最後のＬ１通りの組み合わせとして使用され、第２のＣＱＩ表における変調スキームと符号レートの最初のＬ２通りの組み合わせが、ＢＰＳＫと符号レートｒのＬ２１通りの組み合わせ及びＱＰＳＫと符号レートｒのＬ２２通りの組み合わせを含む（ただしＬ１とＬ２はそれぞれ０以上の整数であり、Ｌ２＝Ｌ２１＋Ｌ２２であり、ｒは１５６／１０２４より小さい実数であり、Ｌ１＋Ｌ２≦１５、且つｘ≦４である）こと、
第２のＣＱＩ表が２ｘの値を有し、第２のＣＱＩ表における各ＣＱＩがｘビットで表わされ、第１のＣＱＩ表が変調スキームと符号レートの合計Ｌ１通りの組み合わせを含み、変調スキームと符号レートのＬ１通りの組み合わせが第２のＣＱＩ表における変調スキームと符号レートの最初又は最後のＬ１通りの組み合わせとして使用され、第２のＣＱＩ表における変調スキームと符号レートの残りのＬ２通りの組み合わせがＢＰＳＫと符号レートｒのＬ２１通りのタイプ１の組み合わせ及びＱＰＳＫと符号レートｒのＬ２２通りのタイプ２の組み合わせを含む（ただしＬ１とＬ２はそれぞれ０より大きい整数であり、Ｌ２１とＬ２２はそれぞれ０以上の整数であり、Ｌ２＝Ｌ２１＋Ｌ２２であり、ｒは１５６／１０２４より小さい実数であり、Ｌ１＋Ｌ２≦１５、且つｘ≦４である）こと、
第１のＣＱＩ表が変調スキームと符号レートの合計Ｌ１通りの組み合わせを含み、第２のＣＱＩ表が変調スキームと符号レートの合計Ｌ２通りの組み合わせを含み、Ｌ２通りの組み合わせがＬ１通りの組み合わせのサブセットである（ただし８≦Ｌ１≦１５、Ｌ２≦７であり、Ｌ１とＬ２はそれぞれ０より大きい整数であり、第１のＣＱＩ表における最も高次の変調スキームは６４直角位相振幅変調（ＱＡＭ）であり、第２のＣＱＩ表における最も高次の変調スキームは１６ＱＡＭである）こと、又は
第１のＣＱＩ表及び第２のＣＱＩ表が変調スキームと符号レートの合計Ｌ１＝７通りの組み合わせを含み、第１のＣＱＩ表における変調スキームがＱＰＳＫと１６ＱＡＭを含み、第２のＣＱＩ表における変調スキームがＱＰＳＫ及び／又はＢＰＳＫを含み、第２のＣＱＩ表が第１のＣＱＩ表における第１、第３、第５及び第７の組み合わせのうちの少なくとも二つ、若しくは第１のＣＱＩ表における第２、第４、第６の組み合わせのうちの少なくとも二つを含むこと
のうちの少なくとも一つを有し得る。
【０１２６】
本発明では、第１のＣＱＩ表は、最大６４の変調次数を有するＣＱＩ表、最大１６の変調次数を有するＣＱＩ表、又はロングタームエボリューション（ＬＴＥ）リリース８における４ビットＣＱＩ表のうちの少なくとも一つを含み得る。
【０１２７】
任意選択的な一実施形態において、第２のＣＱＩ表は以下の特徴、即ち、
ｒの最小値が１／１０２４未満であること、
ｒの最小値が１／２０４８、１／４０９６又は１／３０７２に等しいこと、
ＱＰＳＫとｒ＝４４９／１０２４の組み合わせが除外されること、
第２のＣＱＩ表が、ＱＰＳＫとｒ＝４４９／１０２４の組み合わせを除く、第１のＣＱＩ表におけるＱＰＳＫと符号レートの組み合わせを全て含むこと、
第２のＣＱＩ表が第１のＣＱＩ表における１６ＱＡＭと符号レートの組み合わせを一つ含むこと、
第２のＣＱＩ表が１６ＱＡＭと符号レート４９０／１０２４の組み合わせ及び１６ＱＡＭと符号レート６１６／１０２４の組み合わせのうちの一つを含むこと、
第２のＣＱＩ表において隣接する組み合わせの全てのペアにおけるスペクトル効率比のうち、最後の組み合わせと最後から２番目の組み合わせのペアにおけるスペクトル効率比（最後の組み合わせのスペクトル効率と最後から２番目の組み合わせのスペクトル効率との比率と定義される）が最も高いこと、
第２のＣＱＩ表において隣接する組み合わせの全てのペアにおけるスペクトル効率比のうち、第２の組み合わせと第１の組み合わせのペアにおけるスペクトル効率比（第２の組み合わせのスペクトル効率と第１の組み合わせのスペクトル効率との比率と定義される）が最も高いこと、
第２のＣＱＩ表において隣接する組み合わせの全てのペアにおけるスペクトル効率比のうち、最後の組み合わせと最後から２番目の組み合わせのペアにおけるスペクトル効率比及び第２の組み合わせと第１の組み合わせのペアにおけるスペクトル効率比が、他の組み合わせのペアにおけるスペクトル効率比より高いこと、
第２のＣＱＩ表において隣接する組み合わせの全てのペアにおけるスペクトル効率比のうち、最後の組み合わせと最後から２番目の組み合わせのペアにおけるスペクトル効率比及び最後から３番目の組み合わせと最後から２番目の組み合わせのペアにおけるスペクトル効率比（最後から３番目の組み合わせのスペクトル効率と最後から２番目の組み合わせのスペクトル効率との比率と定義される）が、他の組み合わせのペアにおけるスペクトル効率比より高いこと、
第２のＣＱＩ表において隣接する組み合わせの全てのペアにおけるスペクトル効率比のうち、第２の組み合わせと第１の組み合わせのペアにおけるスペクトル効率比及び第３の組み合わせと第２の組み合わせのペアにおけるスペクトル効率比（第３の組み合わせのスペクトル効率と第２の組み合わせのスペクトル効率との比率と定義される）が、他の組み合わせのペアにおけるスペクトル効率比より高いこと、
最新のＣＱＩが第１のＣＱＩ表を基本とし、該ＣＱＩが範囲外状態を意味する値を有する場合に、現在のＣＱＩが第２のＣＱＩ表に基づく別のＣＱＩのフィードバックをトリガーすること、
上述のＣＱＩ表がさらに、より低いスペクトル効率を有する変調スキームと符号レートの組み合わせから成る第３のＣＱＩ表をも含み、最新のＣＱＩが第２のＣＱＩ表を基本とし、該ＣＱＩが範囲外状態を意味する値を有する場合に、現在のＣＱＩが第３のＣＱＩ表に基づく別のＣＱＩのフィードバックをトリガーすること、
第２のＣＱＩ表が二通りの範囲外状態、即ち最も低いスペクトル効率に付随する変調スキームと符号レートの最も低い組み合わせよりも低い状態、及び最も高いスペクトル効率に付随する変調スキームと符号レートの最も高い組み合わせよりも高い状態を含むこと、
第２のＣＱＩ表における変調スキームと符号レートのＮ１通りの連続的組み合わせからの隣接する組み合わせのどのペアのスペクトル効率比も、第１のＣＱＩ表における変調スキームと符号レートのＮ２通りの連続的組み合わせからの隣接する組み合わせのあらゆるペアのスペクトル効率比よりも高い（ただしＮ１及びＮ２はそれぞれ２以上の整数である）こと、又は
第２のＣＱＩ表の中間における変調スキームと符号レートのＮ３通りの連続的組み合わせからの隣接する組み合わせの各ペアのスペクトル効率比が、第２のＣＱＩ表における最初のＮ４通りの連続的組み合わせ及び最後のＮ５通りの連続的組み合わせからの隣接する組み合わせのあらゆるペアのスペクトル効率比よりも低い（ただしＮ３、Ｎ４及びＮ５はそれぞれ２以上の整数である）こと
のうちの少なくとも一つを有し得る。
【０１２８】
任意選択的な一実施形態において、上述のＣＱＩ表は第１のＣＱＩ表、第４のＣＱＩ表及び第５のＣＱＩ表を含み得る。第４のＣＱＩ表及び第５のＣＱＩ表は以下の組み合わせ、即ち、
第４のＣＱＩ表が２ｘの値を有し、第４のＣＱＩ表における各ＣＱＩがｘビットで表わされ、変調スキームと符号レートのＬ１通りの組み合わせが、第１のＣＱＩ表における変調スキームと符号レートのＬ２通りの組み合わせを除き、第４のＣＱＩ表における変調スキームと符号レートの最後のＬ１通りの組み合わせとして使用され、第４のＣＱＩ表における変調スキームと符号レートの最初のＬ２通りの組み合わせがＱＰＳＫと符号レートｒの組み合わせであり（ただしＬ１とＬ２はそれぞれ１より大きい正の整数であり、ｒは７８／１０２４より小さい実数であり、Ｌ１＋Ｌ２≦１５、且つｘ≦４である）、第５のＣＱＩ表が２ｙの値を有し、第５のＣＱＩ表における各ＣＱＩがｙビットで表わされ、変調スキームと符号レートのＬ３通りの組み合わせが、第４のＣＱＩ表における変調スキームと符号レートのＬ４通りの組み合わせを除き、第５のＣＱＩ表における変調スキームと符号レートの最後のＬ３通りの組み合わせとして使用され、第５のＣＱＩ表における変調スキームと符号レートの最初のＬ４通りの組み合わせがＱＰＳＫと符号レートｒの組み合わせである（ただしＬ３とＬ４はそれぞれ１より大きい正の整数であり、ｒは７８／１０２４より小さい実数であり、Ｌ３＋Ｌ４≦１５、且つｙ≦４である）こと、
第４のＣＱＩ表が２ｘの値を有し、第４のＣＱＩ表における各ＣＱＩがｘビットで表わされ、変調スキームと符号レートのＬ１通りの組み合わせが、第１のＣＱＩ表における変調スキームと符号レートのＬ２通りの組み合わせを除き、第４のＣＱＩ表における変調スキームと符号レートの最後のＬ１通りの組み合わせとして使用され、第４のＣＱＩ表における変調スキームと符号レートの最初のＬ２通りの組み合わせがＢＰＳＫと符号レートｒの組み合わせであり（ただしＬ１とＬ２はそれぞれ１より大きい正の整数であり、ｒは１５６／１０２４より小さい実数であり、Ｌ１＋Ｌ２≦１５、且つｘ≦４である）、第５のＣＱＩ表が２ｙの値を有し、第５のＣＱＩ表における各ＣＱＩがｙビットで表わされ、変調スキームと符号レートのＬ３通りの組み合わせが、第４のＣＱＩ表における変調スキームと符号レートのＬ４通りの組み合わせを除き、第５のＣＱＩ表における変調スキームと符号レートの最後のＬ３通りの組み合わせとして使用され、第５のＣＱＩ表における変調スキームと符号レートの最初のＬ４通りの組み合わせがＢＰＳＫと符号レートｒの組み合わせである（ただしＬ３とＬ４はそれぞれ１より大きい正の整数であり、ｒは１５６／１０２４より小さい実数であり、Ｌ３＋Ｌ４≦１５、且つｙ≦４である）こと、
第４のＣＱＩ表が２ｘの値を有し、第４のＣＱＩ表における各ＣＱＩがｘビットで表わされ、変調スキームと符号レートのＬ１通りの組み合わせが、第１のＣＱＩ表における変調スキームと符号レートのＬ２通りの組み合わせを除き、第４のＣＱＩ表における変調スキームと符号レートの最後のＬ１通りの組み合わせとして使用され、第４のＣＱＩ表における変調スキームと符号レートの最初のＬ２通りの組み合わせがＢＰＳＫと符号レートｒのＬ２１通りの組み合わせ及びＱＰＳＫと符号レートｒのＬ２２通りの組み合わせを含み（ただしＬ１とＬ２はそれぞれ１より大きい正の整数であり、Ｌ２＝Ｌ２１＋Ｌ２２であり、ｒは１５６／１０２４より小さい実数であり、Ｌ１＋Ｌ２≦１５、且つｘ≦４である）、第５のＣＱＩ表が２ｙの値を有し、第５のＣＱＩ表における各ＣＱＩがｙビットで表わされ、変調スキームと符号レートのＬ３通りの組み合わせが、第４のＣＱＩ表における変調スキームと符号レートのＬ４通りの組み合わせを除き、第５のＣＱＩ表における変調スキームと符号レートの最後のＬ３通りの組み合わせとして使用され、第５のＣＱＩ表における変調スキームと符号レートの最初のＬ４通りの組み合わせがＢＰＳＫと符号レートｒのＬ４１通りの組み合わせ及びＱＰＳＫと符号レートｒのＬ４２通りの組み合わせを含む（ただしＬ３とＬ４はそれぞれ１より大きい正の整数であり、Ｌ２＝Ｌ４１＋Ｌ４２であり、ｒは１５６／１０２４より小さい実数であり、Ｌ３＋Ｌ４≦１５、且つｙ≦４である）こと、又は
第１のＣＱＩ表が変調スキームと符号レートのＬ１通りの組み合わせを含み、第４のＣＱＩ表が変調スキームと符号レートのＬ２通りの組み合わせを含み、第５のＣＱＩ表が変調スキームと符号レートのＬ２通りの組み合わせを含み（ただしＬ１とＬ２はそれぞれ７以上の整数であり、Ｌ２＜Ｌ１／２である）、第４のＣＱＩ表における変調スキームと符号レートの全ての組み合わせ及び第５のＣＱＩ表における変調スキームと符号レートの全ての組み合わせがそれぞれ、第１のＣＱＩ表における変調スキームと符号レートの全ての組み合わせのサブセットであること
のうちの一つを含み得る。
【０１２９】
本発明では、第１のＣＱＩ表は、最大６４の変調次数を有するＣＱＩ表、最大１６の変調次数を有するＣＱＩ表、又はロングタームエボリューション（ＬＴＥ）リリース８における４ビットＣＱＩ表のうちの少なくとも一つを含み得る。
【０１３０】
任意選択的な一実施形態において、第４のＣＱＩ表及び第５のＣＱＩ表は以下の特徴、即ち、
第５のＣＱＩ表における符号レートの最小値が第４のＣＱＩ表における符号レートの最小値より小さいこと、
第５のＣＱＩ表における符号レートの最小値が１／１０２４以下であること、
第４のＣＱＩ表における符号レートの最小値が１／１０２４以下であること、
第４のＣＱＩ表がＱＰＳＫとｒ＝４４９／１０２４の組み合わせを含むこと、
第４のＣＱＩ表が第１のＣＱＩ表におけるＱＰＳＫと符号レートの組み合わせを全て含むこと、
第５のＣＱＩ表が第１のＣＱＩ表におけるＱＰＳＫと符号レートの組み合わせを全く含まないこと、
第５のＣＱＩ表が、第４のＣＱＩ表に含まれるが第１のＣＱＩ表に含まれないＱＰＳＫと符号レートの組み合わせを全て含むこと、
第４のＣＱＩ表が第１のＣＱＩ表における１６ＱＡＭと符号レートの少なくとも一つの組み合わせを含むこと、
第４のＣＱＩ表において隣接する組み合わせの全てのペアにおけるスペクトル効率比のうち、最後の組み合わせと最後から２番目の組み合わせのペアにおけるスペクトル効率比（最後の組み合わせのスペクトル効率と最後から２番目の組み合わせのスペクトル効率との比率と定義される）が最も高いこと、
第４のＣＱＩ表において隣接する組み合わせの全てのペアにおけるスペクトル効率比のうち、第２の組み合わせと第１の組み合わせのペアにおけるスペクトル効率比（第２の組み合わせのスペクトル効率と第１の組み合わせのスペクトル効率との比率と定義される）が最も高いこと、
第４のＣＱＩ表において隣接する組み合わせの全てのペアにおけるスペクトル効率比のうち、最後の組み合わせと最後から２番目の組み合わせのペアにおけるスペクトル効率比及び第２の組み合わせと第１の組み合わせのペアにおけるスペクトル効率比が、他の組み合わせのペアにおけるスペクトル効率比より高いこと、
第４のＣＱＩ表において隣接する組み合わせの全てのペアにおけるスペクトル効率比のうち、最後の組み合わせと最後から２番目の組み合わせのペアにおけるスペクトル効率比及び最後から３番目の組み合わせと最後から２番目の組み合わせのペアにおけるスペクトル効率比（最後から３番目の組み合わせのスペクトル効率と最後から２番目の組み合わせのスペクトル効率との比率と定義される）が、他の組み合わせのペアにおけるスペクトル効率比より高いこと、
第４のＣＱＩ表において隣接する組み合わせの全てのペアにおけるスペクトル効率比のうち、第２の組み合わせと第１の組み合わせのペアにおけるスペクトル効率比及び第３の組み合わせと第２の組み合わせのペアにおけるスペクトル効率比（第３の組み合わせのスペクトル効率と第２の組み合わせのスペクトル効率との比率と定義される）が、他の組み合わせのペアにおけるスペクトル効率比より高いこと、
現在のＣＱＩ又は最新のＣＱＩが第１のＣＱＩ表を基本とし、該ＣＱＩが範囲外状態を意味する値を有する場合に、現在のＣＱＩが第４のＣＱＩ表に基づく別のＣＱＩのフィードバックをトリガーすること、又は
現在のＣＱＩ又は最新のＣＱＩが第４のＣＱＩ表を基本とし、該ＣＱＩが範囲外状態を意味する値を有する場合に、現在のＣＱＩが第５のＣＱＩ表に基づく別のＣＱＩのフィードバックをトリガーすること
のうちの少なくとも一つを有し得る。
【０１３１】
上述の実施形態により、様々な有効範囲レベルにてＭＴＣ端末に付随する送信とフィードバックに十分に対応することができる。シグナリングオーバーヘッドを増やさなくても、関連システムとの互換性を有するＭＴＣ端末に十分に対応することができる。リンク適応の正確性を、特に深い有効範囲のシナリオにおいて改善することができる。システムの信頼性と効率を最大限に改善することができる。
【０１３２】
以下、本開示の実施形態を、端末の有効範囲レベルに基づくＣＱＩ表の判定方法に関して、基地局及び端末を含むＣＱＩ送受信システムの例を参考に説明する。
【０１３３】
実施形態１
この実施形態では、ＣＱＩ情報の処理方法が提供される。該方法は基地局に応用することができ、以下に記載のステップを含む。
【０１３４】
基地局は上位層構成シグナリングメッセージを端末に送信する。
【０１３５】
基地局はＣＳＩを端末から受信する。ＣＳＩは、上位層構成シグナリングメッセージから判定されるＣＱＩ表に基づいて取得されるＣＱＩ情報を含む。
【０１３６】
任意選択で、基地局は上位層構成シグナリングメッセージを端末に送信する。上位層構成シグナリングメッセージは以下の情報、即ち、有効範囲レベルシグナリング、ＣＳＩ参照リソースに占有されるサブフレーム数（Ｍ）、ダウンリンクデータ制御チャネル向けの反復数、ＰＲＡＣＨ向けの反復数、ＣＱＩ表選択シグナリング、端末カテゴリー、シナリオ表示シグナリング、周波数帯域表示シグナリング、又はチャネル符号化種別表示情報のうちの少なくとも一つを含み得る。本発明では、有効範囲レベルシグナリングは端末の様々な有効範囲レベルを意味する。シナリオ表示シグナリングは、ｅＭＢＢシナリオ、ＵＲＬＬＣシナリオ又はｍＭＴＣシナリオを意味し、これらは全て、５Ｇ移動通信における典型的な新ＲＡＴのシナリオである。周波数帯域表示シグナリングは、様々な範囲の搬送波周波数を意味する。チャネル符号化種別表示情報は、ＬＤＰＣ符号、ターボ符号、畳み込み符号又は極性符号のうちいずれか二つを含む様々なチャネル符号化種別を意味する。
【０１３７】
任意選択で、上述の上位層構成シグナリングメッセージは以下の情報、即ち、有効範囲レベルシグナリング及びＣＳＩ参照リソースに占有されるサブフレーム数（Ｍ）、有効範囲レベルシグナリング及び反復数、ＣＳＩ参照リソースに占有されるサブフレーム数（Ｍ）及び反復数、ＣＳＩ参照リソースに占有されるサブフレーム数（Ｍ）及びＣＱＩ表選択シグナリング、ＣＳＩ参照リソースに占有されるサブフレーム数（Ｍ）及び端末種別、端末種別及び有効範囲レベルシグナリング、有効範囲レベルシグナリング及びＣＱＩ表選択シグナリング、有効範囲レベルシグナリング及びＣＱＩ表選択シグナリング、又はＣＳＩ参照リソースに占有されるサブフレーム数（Ｍ）及びＣＱＩ表選択シグナリングのうちの一つを含み得る。本発明では、反復数はダウンリンク制御チャネル向けの反復数、ダウンリンクデータ共有チャネル向けの反復数、又はＰＲＡＣＨ向けの反復数のうちの少なくとも一つを含む。
【０１３８】
基地局は上位層構成シグナリングメッセージを端末に送信し、上位層構成シグナリングメッセージは有効範囲レベルシグナリングを含み得る。有効範囲レベルシグナリングは通常の有効範囲又は拡張有効範囲を選択する。
【０１３９】
任意選択で、基地局はＣＳＩを端末から受信する。ＣＳＩはＣＱＩ情報を含む。有効範囲レベルシグナリングは通常の有効範囲又は拡張有効範囲を選択する。上述の有効範囲レベルシグナリングが拡張有効範囲への対応を意味する場合、ＣＱＩ情報は第２のＣＱＩ表から取得され得る。上述の有効範囲レベルシグナリングが通常の有効範囲への対応を意味する場合、ＣＱＩ情報は第１のＣＱＩ表から取得され得る。本発明では、第１のＣＱＩ表は最大６４の変調次数を有する既存のＣＱＩ表である。
【０１４０】
以下、ＣＱＩ表について、例を参考に説明する。第１のＣＱＩ表は、ＬＴＥリリース８におけるＣＱＩ表、即ち背景技術のセクションに記載のＣＱＩ表であってもよい。
【０１４１】
任意選択で、第１のＣＱＩ表はＬＴＥリリース８における４ビットＣＱＩ表であってもよい。第２のＣＱＩ表は、以下に記載のスキームのうちの一つであってもよい。
【０１４２】
スキームＡ１
第２のＣＱＩ表は２ｘの値を有し、即ち各ＣＱＩはｘビットで表わされる。変調スキームと符号レートのＬ１通りの組み合わせは、第１のＣＱＩ表における変調スキームと符号レートのＬ２通りの組み合わせを除き、第２のＣＱＩ表における変調スキームと符号レートの最後のＬ１通りの組み合わせとして使用される。第２のＣＱＩ表における変調スキームと符号レートの最初のＬ２通りの組み合わせは、ＱＰＳＫと符号レートｒの組み合わせであり、ただしＬ１とＬ２はそれぞれ０以上の整数であり、ｒは７８／１０２４より小さい実数であり、Ｌ１＋Ｌ２≦１５、且つｘ≦４である。
【０１４３】
第２のＣＱＩ表のより具体的な例を以下に記載する。
【０１４４】
第１のＣＱＩ表はＬＴＥリリース８におけるＣＱＩ表であると想定すると、第２のＣＱＩ表は表３に記載の通り定義され得る。
【０１４５】
【表３】
2018531545.tif 000005
【０１４６】
ここでは、括弧内の数字は第１のＣＱＩ表における指数を表わす。例えば、上記の表における８（１）は、第１のＣＱＩ表において指数が０である変調スキームと符号レートの組み合わせが、第２のＣＱＩ表において指数が８である変調スキームと符号レートの組み合わせとして使用されることを意味する。これは他の指数にも当てはまる。
【０１４７】
スキームＡ２
第２のＣＱＩ表は２ｘの値を有し、即ち各ＣＱＩはｘビットで表わされる。変調スキームと符号レートのＬ１通りの組み合わせは、第１のＣＱＩ表における変調スキームと符号レートのＬ２通りの組み合わせを除き、第２のＣＱＩ表における変調スキームと符号レートの最後のＬ１通りの組み合わせとして使用される。第２のＣＱＩ表における変調スキームと符号レートの最初のＬ２通りの組み合わせは、ＢＰＳＫと符号レートｒの組み合わせであり、ただしＬ１とＬ２はそれぞれ０以上の整数であり、ｒは１５６／１０２４より小さい実数であり、Ｌ１＋Ｌ２≦１５、且つｘ≦４である。
【０１４８】
第２のＣＱＩ表のより具体的な例を以下に記載する。
【０１４９】
第１のＣＱＩ表はＬＴＥリリース８におけるＣＱＩ表であると想定すると、第２のＣＱＩ表は表４に記載の通り定義され得る。
【０１５０】
【表４】
2018531545.tif 000006
【０１５１】
ここでは、括弧内の数字は第１のＣＱＩ表における指数を表わす。例えば、上記の表における８（１）は、第１のＣＱＩ表において指数が０である変調スキームと符号レートの組み合わせが、第２のＣＱＩ表において指数が８である変調スキームと符号レートの組み合わせとして使用されることを意味する。これは他の指数にも当てはまる。
【０１５２】
スキームＡ３
第２のＣＱＩ表は２ｘの値を有し、即ち各ＣＱＩはｘビットで表わされる。変調スキームと符号レートのＬ１通りの組み合わせは、第１のＣＱＩ表における変調スキームと符号レートのＬ２通りの組み合わせを除き、第２のＣＱＩ表における変調スキームと符号レートの最後のＬ１通りの組み合わせとして使用される。第２のＣＱＩ表における変調スキームと符号レートの最初のＬ２通りの組み合わせは、ＢＰＳＫと符号レートｒのＬ２１通りの組み合わせ及びＱＰＳＫと符号レートｒのＬ２２通りの組み合わせを含み、ただしＬ１とＬ２はそれぞれ０以上の整数であり、Ｌ２＝Ｌ２１＋Ｌ２２であり、ｒは１５６／１０２４より小さい実数であり、Ｌ１＋Ｌ２≦１５、且つｘ≦４である。
【０１５３】
第２のＣＱＩ表のより具体的な例を以下に記載する。
【０１５４】
第１のＣＱＩ表はＬＴＥリリース８におけるＣＱＩ表であると想定すると、第２のＣＱＩ表は表５に記載の通り定義され得る。
【０１５５】
【表５】
2018531545.tif 000007
【０１５６】
ここでは、括弧内の数字は第１のＣＱＩ表における指数を表わす。例えば、上記の表における８（１）は、第１のＣＱＩ表において指数が０である変調スキームと符号レートの組み合わせが、第２のＣＱＩ表において指数が８である変調スキームと符号レートの組み合わせとして使用されることを意味する。これは他の指数にも当てはまる。
【０１５７】
任意選択で、第２のＣＱＩ表は以下の特徴、即ち、
１）ｒの最小値が１／１０２４未満であること、
２）ｒの最小値が１／１０２４、１／２０４８、１／４０９６又は１／３０７２に等しいこと、
３）ＱＰＳＫとｒ＝４４９／１０２４の組み合わせが除外されること、
４）第２のＣＱＩ表が、ＱＰＳＫとｒ＝４４９／１０２４の組み合わせを除く、第１のＣＱＩ表におけるＱＰＳＫと符号レートの組み合わせを全て含むこと、
５）第２のＣＱＩ表が第１のＣＱＩ表における１６ＱＡＭと符号レートの組み合わせを一つ含むこと、
６）第２のＣＱＩ表が１６ＱＡＭと符号レート４９０／１０２４の組み合わせ及び１６ＱＡＭと符号レート６１６／１０２４の組み合わせのうちの一つを含むこと、
７）第２のＣＱＩ表において隣接する組み合わせの全てのペアにおけるスペクトル効率比のうち、最後の組み合わせと最後から２番目の組み合わせのペアにおけるスペクトル効率比（最後の組み合わせのスペクトル効率と最後から２番目の組み合わせのスペクトル効率との比率と定義される）が、他の組み合わせのペアにおけるスペクトル効率比以上であること、
８）第２のＣＱＩ表において隣接する組み合わせの全てのペアにおけるスペクトル効率比のうち、第２の組み合わせと第１の組み合わせのペアにおけるスペクトル効率比（第２の組み合わせのスペクトル効率と第１の組み合わせのスペクトル効率との比率と定義される）が、他の組み合わせのペアにおけるスペクトル効率比以上であること、
９）第２のＣＱＩ表において隣接する組み合わせの全てのペアにおけるスペクトル効率比のうち、最後の組み合わせと最後から２番目の組み合わせのペアにおけるスペクトル効率比及び第２の組み合わせと第１の組み合わせのペアにおけるスペクトル効率比が、他の組み合わせのペアにおけるスペクトル効率比以上であること、
１０）第２のＣＱＩ表において隣接する組み合わせの全てのペアにおけるスペクトル効率比のうち、最後の組み合わせと最後から２番目の組み合わせのペアにおけるスペクトル効率比及び最後から３番目の組み合わせと最後から２番目の組み合わせのペアにおけるスペクトル効率比（最後から３番目の組み合わせのスペクトル効率と最後から２番目の組み合わせのスペクトル効率との比率と定義される）が、他の組み合わせのペアにおけるスペクトル効率比より高いこと、
１１）第２のＣＱＩ表において隣接する組み合わせの全てのペアにおけるスペクトル効率比のうち、第２の組み合わせと第１の組み合わせのペアにおけるスペクトル効率比及び第３の組み合わせと第２の組み合わせのペアにおけるスペクトル効率比（第３の組み合わせのスペクトル効率と第２の組み合わせのスペクトル効率との比率と定義される）が、他の組み合わせのペアにおけるスペクトル効率比以上であること、
１２）最新のＣＱＩが第１のＣＱＩ表を基本とし、該ＣＱＩが範囲外状態を意味する値を有する場合に、現在のＣＱＩが第２のＣＱＩ表に基づく別のＣＱＩのフィードバックをトリガーすること、
１３）最新のＣＱＩが第２のＣＱＩ表を基本とし、該ＣＱＩが範囲外状態を意味する値を有する場合に、現在のＣＱＩが、より低いスペクトル効率を有する変調スキームと符号レートの組み合わせから成る第３のＣＱＩ表に基づく別のＣＱＩのフィードバックをトリガーすること、
１４）第２のＣＱＩ表が二通りの範囲外状態、即ち最も低いスペクトル効率に付随する変調スキームと符号レートの最も低い組み合わせよりも低い状態、及び最も高いスペクトル効率に付随する変調スキームと符号レートの最も高い組み合わせよりも高い状態を含むこと、
１５）第２のＣＱＩ表における変調スキームと符号レートのＮ１通りの連続的組み合わせからの隣接する組み合わせのどのペアのスペクトル効率比も、第１のＣＱＩ表における変調スキームと符号レートのＮ２通りの連続的組み合わせからの隣接する組み合わせのあらゆるペアのスペクトル効率比よりも高い（ただしＮ１及びＮ２はそれぞれ２以上の整数である）こと、又は
１６）第２のＣＱＩ表の中間における変調スキームと符号レートのＮ３通りの連続的組み合わせからの隣接する組み合わせの各ペアのスペクトル効率比が、第２のＣＱＩ表における最初のＮ４通りの連続的組み合わせ及び最後のＮ５通りの連続的組み合わせからの隣接する組み合わせのあらゆるペアのスペクトル効率比よりも低い（ただしＮ３、Ｎ４及びＮ５はそれぞれ２以上の整数である）こと
のうちの一つを有し得る。
【０１５８】
上述の特徴２）、３）、４）、６）、８）及び１１）を有する第２のＣＱＩ表の一例を表６に記載する。
【０１５９】
【表６】
2018531545.tif 000008
【０１６０】
上述の特徴２）、３）、４）、５）、６）、７）及び９）を有する第２のＣＱＩ表の一例を表７に記載する。
【０１６１】
【表７】
2018531545.tif 000009
【０１６２】
代替的に、第２のＣＱＩ表は他の形を有するＣＱＩ表であってもよい。
【０１６３】
例えば、第２のＣＱＩ表は２ｘの値を有し、第２のＣＱＩ表における各ＣＱＩはｘビットで表わされる。第１のＣＱＩ表は、変調スキームと符号レートの合計Ｌ１通りの組み合わせを含み、変調スキームと符号レートのＬ１通りの組み合わせは、第２のＣＱＩ表における変調スキームと符号レートの最初又は最後のＬ１通りの組み合わせとして使用される。第２のＣＱＩ表における変調スキームと符号レートの残るＬ２通りの組み合わせは、ＢＰＳＫと符号レートｒのＬ２１通りのタイプ１の組み合わせ及びＱＰＳＫと符号レートｒのＬ２２通りのタイプ２の組み合わせを含み、ただしＬ１とＬ２はそれぞれ０より大きい整数であり、Ｌ２１とＬ２２はそれぞれ０以上の整数であり、Ｌ２＝Ｌ２１＋Ｌ２２であり、ｒは１５６／１０２４より小さい実数であり、Ｌ１＋Ｌ２≦１５、且つｘ≦４である。
【０１６４】
例えば、第１のＣＱＩ表は、変調スキームと符号レートの合計Ｌ１通りの組み合わせを含み、第２のＣＱＩ表は、変調スキームと符号レートの合計Ｌ２通りの組み合わせを含む。Ｌ２通りの組み合わせはＬ１通りの組み合わせのサブセットであり、ただしＬ１≦１５、Ｌ２≦７であり、Ｌ１とＬ２はそれぞれ０より大きい整数である。第１のＣＱＩ表における最も高次の変調スキームは６４直角位相振幅変調（ＱＡＭ）であり、第２のＣＱＩ表における最も高次の変調スキームは１６ＱＡＭである。
【０１６５】
本発明では、第１のＣＱＩ表は、最大６４の変調次数を有するＣＱＩ表、最大１６の変調次数を有するＣＱＩ表、又はロングタームエボリューション（ＬＴＥ）リリース８における４ビットＣＱＩ表のうちの少なくとも一つを含み得る。
【０１６６】
この実施形態に記載の方法により、二通りの有効範囲レベルにてＭＴＣ端末又は５Ｇ端末に付随する送信とフィードバックに十分に対応することができる。特に、範囲外状態の処理方法が提案されており、これにより二通りの有効範囲レベル構成設定で三通りの有効範囲レベルに対応することができる。シグナリングオーバーヘッドを増やさなくても、関連システムとの互換性を有するＭＴＣ端末又は５Ｇ端末に十分に対応することができる。リンク適応の正確性を、特に深い有効範囲のシナリオにおいて改善することができる。システムの信頼性と効率を最大限に改善することができる。
【０１６７】
実施形態２
この実施形態では、ＣＱＩ情報の処理方法が提供される。該方法は基地局に応用することができ、以下に記載のステップを含む。
【０１６８】
基地局は上位層構成シグナリングメッセージを端末に送信する。
【０１６９】
基地局はＣＳＩを端末から受信する。ＣＳＩは、上位層構成設定信号から判定されるＣＱＩ表に基づいて取得されるＣＱＩ情報を含む。
【０１７０】
任意選択で、基地局は上位層構成シグナリングメッセージを端末に送信する。上位層構成シグナリングメッセージは以下の情報、即ち、有効範囲レベルシグナリング、ＣＳＩ参照リソースに占有されるサブフレーム数（Ｍ）、ダウンリンク制御チャネル向けの反復数、ダウンリンクデータ共有チャネル向けの反復数、ＰＲＡＣＨ向けの反復数、ＣＱＩ表選択シグナリング、端末カテゴリー、シナリオ表示シグナリング、周波数帯域表示シグナリング、又はチャネル符号化種別表示情報のうちの少なくとも一つを含み得る。本発明では、有効範囲レベルシグナリングは端末の様々な有効範囲レベルを意味する。シナリオ表示シグナリングは、ｅＭＢＢシナリオ、ＵＲＬＬＣシナリオ又はｍＭＴＣシナリオを意味し、これらは全て、５Ｇ移動通信における典型的な新ＲＡＴのシナリオである。周波数帯域表示シグナリングは、様々な範囲の搬送波周波数を意味する。チャネル符号化種別表示情報は、ＬＤＰＣ符号、ターボ符号、畳み込み符号又は極性符号のうちいずれか二つを含む様々なチャネル符号化種別を意味する。
【０１７１】
任意選択で、基地局は上位層構成シグナリングメッセージを端末に送信し、上位層構成シグナリングメッセージは有効範囲レベルシグナリングを含み得る。有効範囲レベルシグナリングは通常の有効範囲又は拡張有効範囲を選択する。代替的に、有効範囲レベルシグナリングは通常の有効範囲、中程度の有効範囲又は深い有効範囲を選択する。代替的に、有効範囲レベルシグナリングは通常の有効範囲、低い拡張有効範囲、中程度の拡張有効範囲又は高い拡張有効範囲を選択する。
【０１７２】
三通りの有効範囲レベル
任意選択で、基地局はＣＳＩを端末から受信する。ＣＳＩはＣＱＩ情報を含む。有効範囲レベルシグナリングは通常の有効範囲、中程度の有効範囲又は深い有効範囲を選択する。上述の有効範囲レベルシグナリングが通常の有効範囲への対応を意味する場合、ＣＱＩ情報は第１のＣＱＩ表から取得され得る。上述の有効範囲レベルシグナリングが中程度の有効範囲への対応を意味する場合、ＣＱＩ情報は第４のＣＱＩ表から取得され得る。上述の有効範囲レベルシグナリングが深い有効範囲への対応を意味する場合、ＣＱＩ情報は第５のＣＱＩ表から取得され得る。本発明では、第１のＣＱＩ表は最大６４の変調次数を有する既存のＣＱＩ表であってもよい。
【０１７３】
任意選択で、第１のＣＱＩ表はＬＴＥリリース８における４ビットＣＱＩ表であってもよい。第４のＣＱＩ表及び第５のＣＱＩ表は、以下に記載のスキームのうちの一つであってもよい。
【０１７４】
スキームＡ１
第４のＣＱＩ表は２ｘの値を有し、即ち各ＣＱＩはｘビットで表わされる。変調スキームと符号レートのＬ１通りの組み合わせは、第１のＣＱＩ表における変調スキームと符号レートのＬ２通りの組み合わせを除き、第４のＣＱＩ表における変調スキームと符号レートの最後のＬ１通りの組み合わせとして使用される。第４のＣＱＩ表における変調スキームと符号レートの最初のＬ２通りの組み合わせは、ＱＰＳＫと符号レートｒの組み合わせであり、ただしＬ１とＬ２はそれぞれ１より大きい正の整数であり、ｒは７８／１０２４より小さい実数であり、Ｌ１＋Ｌ２≦１５、且つｘ≦４である。
【０１７５】
第５のＣＱＩ表は２ｙの値を有し、即ち各ＣＱＩはｙビットで表わされる。変調スキームと符号レートのＬ３通りの組み合わせは、第４のＣＱＩ表における変調スキームと符号レートのＬ４通りの組み合わせを除き、第５のＣＱＩ表における変調スキームと符号レートの最後のＬ３通りの組み合わせとして使用される。第５のＣＱＩ表における変調スキームと符号レートの最初のＬ４通りの組み合わせは、ＱＰＳＫと符号レートｒの組み合わせであり、ただしＬ３とＬ４はそれぞれ１より大きい正の整数であり、ｒは７８／１０２４より小さい実数であり、Ｌ３＋Ｌ４≦１５、且つｙ≦４である。
【０１７６】
第４のＣＱＩ表を表８に記載する。
【０１７７】
【表８】
2018531545.tif 000010
【０１７８】
第５のＣＱＩ表を表９に記載する。
【０１７９】
【表９】
2018531545.tif 000011
【０１８０】
ここでは、ｘ＝４及びｙ＝３である。
【０１８１】
スキームＡ２
第４のＣＱＩ表は２ｘの値を有し、即ち各ＣＱＩはｘビットで表わされる。変調スキームと符号レートのＬ１通りの組み合わせは、第１のＣＱＩ表における変調スキームと符号レートのＬ２通りの組み合わせを除き、第４のＣＱＩ表における変調スキームと符号レートの最後のＬ１通りの組み合わせとして使用される。第４のＣＱＩ表における変調スキームと符号レートの最初のＬ２通りの組み合わせは、ＢＰＳＫと符号レートｒの組み合わせであり、ただしＬ１とＬ２はそれぞれ１より大きい正の整数であり、ｒは１５６／１０２４より小さい実数であり、Ｌ１＋Ｌ２≦１５、且つｘ≦４である。
【０１８２】
第５のＣＱＩ表は２ｙの値を有し、即ち各ＣＱＩはｙビットで表わされる。変調スキームと符号レートのＬ３通りの組み合わせは、第４のＣＱＩ表における変調スキームと符号レートのＬ４通りの組み合わせを除き、第５のＣＱＩ表における変調スキームと符号レートの最後のＬ３通りの組み合わせとして使用される。第５のＣＱＩ表における変調スキームと符号レートの最初のＬ４通りの組み合わせは、ＢＰＳＫと符号レートｒの組み合わせであり、ただしＬ３とＬ４はそれぞれ１より大きい正の整数であり、ｒは１５６／１０２４より小さい実数であり、Ｌ３＋Ｌ４≦１５、且つｙ≦４である。
【０１８３】
スキームＡ３
第４のＣＱＩ表は２ｘの値を有し、即ち各ＣＱＩはｘビットで表わされる。変調スキームと符号レートのＬ１通りの組み合わせは、第１のＣＱＩ表における変調スキームと符号レートのＬ２通りの組み合わせを除き、第４のＣＱＩ表における変調スキームと符号レートの最後のＬ１通りの組み合わせとして使用される。第４のＣＱＩ表における変調スキームと符号レートの最初のＬ２通りの組み合わせは、ＢＰＳＫと符号レートｒのＬ２１通りの組み合わせ及びＱＰＳＫと符号レートｒのＬ２２通りの組み合わせを含み、ただしＬ１とＬ２はそれぞれ１より大きい正の整数であり、Ｌ２＝Ｌ２１＋Ｌ２２であり、ｒは１５６／１０２４より小さい実数であり、Ｌ１＋Ｌ２≦１５、且つｘ≦４である。
【０１８４】
第５のＣＱＩ表は２ｙの値を有し、即ち各ＣＱＩはｙビットで表わされる。変調スキームと符号レートのＬ３通りの組み合わせは、第４のＣＱＩ表における変調スキームと符号レートのＬ４通りの組み合わせを除き、第５のＣＱＩ表における変調スキームと符号レートの最後のＬ３通りの組み合わせとして使用される。第５のＣＱＩ表における変調スキームと符号レートの最初のＬ４通りの組み合わせは、ＢＰＳＫと符号レートｒのＬ４１通りの組み合わせ及びＱＰＳＫと符号レートｒのＬ４２通りの組み合わせを含み、ただしＬ３とＬ４はそれぞれ１より大きい正の整数であり、Ｌ２＝Ｌ４１＋Ｌ４２であり、ｒは１５６／１０２４より小さい実数であり、Ｌ３＋Ｌ４≦１５、且つｘ≦４である。
【０１８５】
任意選択で、第４のＣＱＩ表及び第５のＣＱＩ表は以下の特徴、即ち、
１）第５のＣＱＩ表における符号レートの最小値が第４のＣＱＩ表における符号レートの最小値より小さいこと、
２）第５のＣＱＩ表における符号レートの最小値が１／１０２４以下であること、
３）第４のＣＱＩ表における符号レートの最小値が１／１０２４未満であること、
４）第４のＣＱＩ表がＱＰＳＫとｒ＝４４９／１０２４の組み合わせを含むこと、
５）第４のＣＱＩ表が第１のＣＱＩ表におけるＱＰＳＫと符号レートの組み合わせを全て含むこと、
６）第５のＣＱＩ表が第１のＣＱＩ表におけるＱＰＳＫと符号レートの組み合わせを全く含まないこと、
７）第５のＣＱＩ表が、第４のＣＱＩ表に含まれるが第１のＣＱＩ表に含まれないＱＰＳＫと符号レートの組み合わせを全て含むこと、
８）第４のＣＱＩ表が第１のＣＱＩ表における１６ＱＡＭと符号レートの少なくとも一つの組み合わせを含むこと、
９）第４のＣＱＩ表において隣接する組み合わせの全てのペアにおけるスペクトル効率比のうち、最後の組み合わせと最後から４番目の組み合わせのペアにおけるスペクトル効率比（最後の組み合わせのスペクトル効率と最後から４番目の組み合わせのスペクトル効率との比率と定義される）が、他の組み合わせのペアにおけるスペクトル効率比以上であること、
１０）第４のＣＱＩ表において隣接する組み合わせの全てのペアにおけるスペクトル効率比のうち、第４の組み合わせと第１の組み合わせのペアにおけるスペクトル効率比（第４の組み合わせのスペクトル効率と第１の組み合わせのスペクトル効率との比率と定義される）が、他の組み合わせのペアにおけるスペクトル効率比以上であること、
１１）第４のＣＱＩ表において隣接する組み合わせの全てのペアにおけるスペクトル効率比のうち、最後の組み合わせと最後から４番目の組み合わせのペアにおけるスペクトル効率比及び第４の組み合わせと第１の組み合わせのペアにおけるスペクトル効率比が、他の組み合わせのペアにおけるスペクトル効率比以上であること、
１２）第４のＣＱＩ表において隣接する組み合わせの全てのペアにおけるスペクトル効率比のうち、最後の組み合わせと最後から２番目の組み合わせのペアにおけるスペクトル効率比及び最後から４番目の組み合わせと最後から２番目の組み合わせのペアにおけるスペクトル効率比（最後から５番目の組み合わせのスペクトル効率と最後から４番目の組み合わせのスペクトル効率との比率と定義される）が、他の組み合わせのペアにおけるスペクトル効率比以上であること、
１３）第４のＣＱＩ表において隣接する組み合わせの全てのペアにおけるスペクトル効率比のうち、第４の組み合わせと第１の組み合わせのペアにおけるスペクトル効率比及び第５の組み合わせと第４の組み合わせのペアにおけるスペクトル効率比（第５の組み合わせのスペクトル効率と第４の組み合わせのスペクトル効率との比率と定義される）が、他の組み合わせのペアにおけるスペクトル効率比以上であること、
１４）現在のＣＱＩ又は最新のＣＱＩが第１のＣＱＩ表を基本とし、該ＣＱＩが範囲外状態を意味する値を有する場合に、現在のＣＱＩが第４のＣＱＩ表に基づく別のＣＱＩのフィードバックをトリガーすること、又は
１５）現在のＣＱＩ又は最新のＣＱＩが第４のＣＱＩ表を基本とし、該ＣＱＩが範囲外状態を意味する値を有する場合に、現在のＣＱＩが第５のＣＱＩ表に基づく別のＣＱＩのフィードバックをトリガーすること
のうちの一つを含み得る。
【０１８６】
本発明では、変調スキームと符号レートの隣接する組み合わせのペアにおける効率比とは、ペアにおける第２の組み合わせのスペクトル効率と、ペアにおける第１の組み合わせのスペクトル効率との比率を指す。スペクトル効率は、変調次数と符号レートの積である。ＢＰＳＫ、ＱＰＳＫ、１６ＱＡＭ及び６４ＱＡＭの変調次数はそれぞれ１、２、４及び６である。
【０１８７】
この実施形態に記載の方法により、様々な有効範囲レベルにてＭＴＣ端末又は５Ｇ端末に付随する送信とフィードバックに十分に対応することができる。シグナリングオーバーヘッドを増やさなくても、関連システムとの互換性を有するＭＴＣ端末又は５Ｇ端末に十分に対応することができる。リンク適応の正確性を、特に深い有効範囲のシナリオにおいて改善することができる。システムの信頼性と効率を最大限に改善することができる。
【０１８８】
実施形態３
この実施形態は、本開示の一実施形態によるＣＱＩ情報符号化の解決策に関する。この解決策を基地局に応用することができる。
【０１８９】
上述の実施形態を基に、本開示の実施形態の解決策を基地局に応用することができる。ＣＱＩ情報に関する方法は、以下に記載のステップを含み得る。
【０１９０】
ステップＳ５０２にて、基地局（例えばｅＮｏｄｅＢ）は上位層構成シグナリングメッセージを端末（ＵＥ）に送信する。
【０１９１】
ステップＳ５０４にて、基地局はＣＳＩを端末から受信する。ＣＳＩは、上位層構成シグナリングメッセージに対応するＣＱＩ表に基づいて取得されるＣＱＩ情報を含む。
【０１９２】
次いで、基地局（例えばｅＮｏｄｅＢ）は上述のダウンリンク制御シグナリングに基づいてダウンリンクデータを端末（ＵＥ）に送信する。
【０１９３】
さらに、本開示の一実施形態において、ＣＱＩ情報の符号化方法が提供される。この方法を端末に応用することができる。つまり、本開示の実施形態による方法を、端末の観点から説明することができる。
【０１９４】
上記を基に、ＣＱＩ情報を符号化するために端末に応用される方法は、以下に記載のステップを含む。
【０１９５】
ステップＳ６０２にて、端末は基地局から送信された上位層構成シグナリングメッセージを受信する。
【０１９６】
ステップＳ６０４にて、端末はＣＳＩを基地局に送信する。ＣＱＩ情報は、上位層構成設定信号に対応するＣＱＩ表に基づいて取得される。
【０１９７】
本開示の一実施形態において、上述の方法実施形態に対応する基地局も提供される。基地局は、上位層構成シグナリングメッセージを端末に送信するよう構成される構成シグナリング送信ユニット（上述の第１の送信モジュール３２に相当）を含む。
【０１９８】
任意選択で、上位層構成シグナリングメッセージを上記の通り実装することができる。
【０１９９】
任意選択で、基地局はさらに、ＣＳＩを端末から受信するよう構成されるＣＳＩ受信ユニット（上述の第１の受信モジュール３４に相当）をも含み得る。ＣＳＩは、上位層構成設定信号に対応するＣＱＩ表に基づいて取得されるＣＱＩ情報を含む。
【０２００】
任意選択で、各ＣＱＩ表を上述の通り実装することができる。
【０２０１】
要約すると、この実施形態に記載の基地局により、様々な有効範囲レベルにてＭＴＣ端末又は５Ｇ端末に付随する送信とフィードバックに十分に対応することができる。シグナリングオーバーヘッドを増やさなくても、関連システムとの互換性を有するＭＴＣ端末又は５Ｇ端末に十分に対応することができる。リンク適応の正確性を、特に深い有効範囲のシナリオにおいて改善することができる。システムの信頼性と効率を最大限に改善することができる。
【０２０２】
本開示の一実施形態において、上述の方法実施形態に対応する端末も提供される。端末は、基地局から送信される上位層構成シグナリングメッセージを受信するよう構成される構成設定情報受信ユニット（即ち上述の第２の受信モジュール４２）を含む。
【０２０３】
上位層構成シグナリングメッセージを上記の通り実装することができる。
【０２０４】
端末はさらに、ＣＳＩを基地局に送信するよう構成されるＣＳＩ報告ユニット（即ち上述の第２の送信モジュール４６）をも含む。ＣＳＩは、上位層構成設定信号に対応するＣＱＩ表に基づいて取得されるＣＱＩ情報を含む。
【０２０５】
各ＣＱＩ表を上述の通り実装することができる。
【０２０６】
端末はさらに、基地局から送信されるダウンリンク制御シグナリングを受信及び検出するよう構成される制御情報受信検出ユニットをも含む。
【０２０７】
第１及び第２の変調表並びにＴＢＳ表を上述の通り実装することができる。
【０２０８】
上述の実施形態におけるＣＱＩ情報、基地局及び端末に関する方法と併せて、フィードバックと送信における一貫性を上位層シグナリングによって保証することができる。一方では関連する無線送信ネットワークとの互換性を有する高次変調に対応することができ、その結果、ピークデータ転送速度及びスペクトル効率が向上する。他方、高次ＱＡＭの使用と不使用を切り替えることができる。適切な通常の有効範囲内で高次（例えば６４）ＱＡＭ送信に対応することができ、また低次変調の送信は、例えばマクロ基地局など、高次ＱＡＭが実現可能でない場合に対応可能である。
【０２０９】
注意すべき点として、上述のモジュールはそれぞれソフトウェア又はハードウェアによって実装することができ、ハードウェアの場合は上述のモジュールを同一のプロセッサに配置してもよく、又は複数のプロセッサにまたがって分散させてもよいが、これらの形態に限られるわけではない。
【０２１０】
本開示の一実施形態によれば、保存媒体も提供される。任意選択で、この実施形態では以下に記載のステップ向けにプログラムコードを保存するよう保存媒体を構成設定してもよい。
【０２１１】
Ｓ１１にて、上位層構成シグナリングメッセージが端末に送信される。
【０２１２】
Ｓ１２にて、ＣＱＩ情報が端末から受信される。ＣＱＩ情報は、上位層構成シグナリングメッセージに基づいて取得されるＣＱＩ表に基づいて判定される。
【０２１３】
任意選択で、保存媒体をさらに、以下に記載のステップ向けにプログラムコードを保存するよう構成設定してもよい。
【０２１４】
Ｓ２１にて、基地局から送信された上位層構成シグナリングメッセージが受信される。
【０２１５】
Ｓ２２にて、上位層構成シグナリングメッセージに基づいて取得されたＣＱＩ表に基づいてＣＱＩ情報が判定される。
【０２１６】
Ｓ２３にて、判定されたＣＱＩ情報が基地局に送信される。
【０２１７】
代替的に、この実施形態では上述の保存媒体の例としてＵＳＢディスク、読み取り専用メモリ（ＲＯＭ）、ランダムアクセスメモリ（ＲＡＭ）、携帯ハードディスク、磁気ディスク、光ディスクなど、プログラムコードの保存に使用できる媒体が挙げられる。
【０２１８】
任意選択で、この実施形態ではプロセッサが上述のステップＳ１１〜Ｓ１２を、保存媒体に保存されたプログラムコードに従って実行し得る。
【０２１９】
任意選択で、この実施形態ではプロセッサが上述のステップＳ２１〜Ｓ２３を、保存媒体に保存されたプログラムコードに従って実行し得る。
【０２２０】
任意選択で、この実施形態における特定の例に関して、上述の実施形態と、任意選択的実施形態に記載の例を参考にしてもよい。それらの詳細については本明細書では省略する。
【０２２１】
当業者であれば、本開示における上述のモジュール又はステップを汎用コンピューティング装置によって実装することができ、単一のコンピューティング装置に集中させてもよく、又は複数のコンピューティング装置から成るネットワークにまたがって分散させてもよいという点を理解し得る。任意選択でそれらを、保存装置に保存して一台以上のコンピューティング装置で実行可能なコンピュータ実行可能プログラムコードによって実装してもよい。場合によっては、本明細書に記載のステップを上記と異なる順序で実行してもよい。代替的に、それらを個別の集積回路モジュールに別々に実装してもよく、又は一つ以上のモジュール若しくはステップを単一の集積回路モジュールに実装してもよい。このように、本開示は特定のハードウェア、ソフトウェア及びそれらの組み合わせに限定されない。
【０２２２】
上述の説明は単に本開示の好適な実施形態の例示であり、本開示の制限を意図するものではない。当業者であれば、様々な変更や修正を加えることができる。本開示の精神と原則から逸脱することなく為される如何なる修正、同等の代替又は改善も、本開示の範囲に含まれる。
【産業上の利用可能性】
【０２２３】
上述の解決策により、有効範囲拡張を用いるＭＴＣ端末及び５Ｇ端末に要求される、より高いデータ送信信頼性及びより低いデータ送信速度が達成され得る。
【図１】
2018531545.tif 000012
【図２】
2018531545.tif 000013
【図３】
2018531545.tif 000014
【図４】
2018531545.tif 000015
【国際調査報告】
2018531545.tif 000016
2018531545.tif 000017
2018531545.tif 000018
2018531545.tif 000019